(57)【特許請求の範囲】
【請求項１】
主制御手段と、
前記主制御手段からの指示に基づいて遊技演出を制御する副制御手段と、
所定の範囲にて変位動作する第１可動役物と、
前記第１可動役物に隣接して配置され、所定の範囲にて変位動作する第２可動役物と、
前記第１可動役物及び前記第２可動役物を駆動する駆動装置と、
前記第１可動役物及び前記第２可動役物のいずれか一方に配置された発磁体と、前記一方とは異なる他方に配置され、前記発磁体に吸引される被吸引体と、を含み、前記第１可動役物及び前記第２可動役物が所定の位置関係となったときに、前記被吸引体が前記発磁体に吸引されることにより当該位置関係を保持する位置保持手段と、を備え、
前記副制御手段は、前記駆動装置を制御して、前記第１可動役物及び前記第２可動役物が前記所定の位置関係となるように前記第１可動役物及び前記第２可動役物を変位させる
ことを特徴とする遊技機。
【発明の詳細な説明】
【技術分野】
【０００１】
本発明は、遊技機に関する。
【背景技術】
【０００２】
遊技機として、変位する装飾用の立体物（装飾部材）を複数並べてなる役物装置を備えるものがある（例えば、特許文献１参照）。
【先行技術文献】
【特許文献】
【０００３】
【特許文献１】特開平１１−２５３６１４号公報
【発明の概要】
【発明が解決しようとする課題】
【０００４】
例えば、複数の装飾用の可動部材を停止させて１つの絵柄や文字列を構成する場合など、複数の可動部材がぴったりと並ぶ状態で停止させたいという要望がある。しかしながら、可動部材はギヤ等を介して回転するため、その位置を正確に制御することは難しい。
【０００５】
本発明は、可動役物の位置決め精度を向上することができる遊技機を提供することを目的とする。
【課題を解決するための手段】
【０００６】
本発明に係る遊技機（１）は、主制御手段（１５００）と、前記主制御手段からの指示に基づいて遊技演出を制御する副制御手段（１５３０）と、所定の範囲にて変位動作する第１可動役物（３６０１）と、前記第１可動役物に隣接して配置され、所定の範囲にて変位動作する第２可動役物（３６０１）と、前記第１可動役物及び前記第２可動役物を駆動する駆動装置（３６０２）と、前記第１可動役物及び前記第２可動役物のいずれか一方に配置された発磁体（５５０２）と、前記一方とは異なる他方に配置され、前記発磁体に吸引される被吸引体（５５０２）と、を含み、前記第１可動役物及び前記第２可動役物が所定の位置関係となったときに、前記被吸引体が前記発磁体に吸引されることにより当該位置関係を保持する位置保持手段と、を備え、前記副制御手段は、前記駆動装置を制御して、前記第１可動役物及び前記第２可動役物が前記所定の位置関係となるように前記第１可動役物及び前記第２可動役物を変位させることを特徴とする。
【発明の効果】
【０００８】
本発明によれば、遊技機における可動役物の位置決め精度を向上することができる。
【図面の簡単な説明】
【０００９】
【図１】パチンコ遊技機１の概略正面図
【図２】図１における表示器１０４の拡大図
【図３】特定領域１０９の内部構造を示す概略斜視図
【図４】大当たりと遊技状態について説明するための説明図
【図５】通常遊技状態における大当たりの内訳と時短遊技状態における大当たりの内訳とについて説明するための説明図
【図６】大当たり遊技中の大入賞装置１１３又は特定入賞装置１１９の開放パターンの一例を示すタイムチャート
【図７】特別図柄判定に使用される各種テーブルについて説明するための説明図
【図８】特別図柄の変動パターンを決定する処理に使用される変動パターンテーブルについて説明するための説明図
【図９】短当たり遊技中の大入賞装置１１３の開放パターンと演出との一例について説明するための説明図
【図１０】４Ｒ長当たり遊技中の大入賞装置１１３又は特定入賞装置１１９の開放パターンと演出との一例について説明するための説明図
【図１１】８Ｒ長当たり遊技中の大入賞装置１１３又は特定入賞装置１１９の開放パターンと演出との一例について説明するための説明図
【図１２】１５Ｒ長当たり遊技中の大入賞装置１１３又は特定入賞装置１１９の開放パターンと演出との一例について説明するための説明図
【図１３】第２特別図柄の変動中に行われる演出例を示す説明図。
【図１４】第２特別図柄からの大当たり遊技の内訳を示す説明図。
【図１５】パチンコ遊技機１が備える制御装置の構成例を示すブロック図
【図１６】遊技制御基板１５００において実行されるタイマ割込み処理の一例を示すフローチャート
【図１７】図１６のステップＳ１６０２におけるスイッチ処理の詳細フローチャート
【図１８】図１７のステップＳ１７０１における第１始動装置スイッチ処理の詳細フローチャート
【図１９】図１７のステップＳ１７０２における第２始動装置スイッチ処理の詳細フローチャート
【図２０】図１７のステップＳ１７０３におけるゲートスイッチ処理の詳細フローチャート
【図２１】図１６のステップＳ１６０３における特別図柄処理の詳細フローチャート
【図２２】図２１のステップＳ２１０７における大当たり判定処理の詳細フローチャート
【図２３】図２１のステップＳ２１０８における変動パターン選択処理の詳細フローチャート
【図２４】図２１のステップＳ２１１６における停止中処理の詳細フローチャート
【図２５】図１６のステップＳ１６０４における普通図柄処理の詳細フローチャート
【図２６】図１６のステップＳ１６０５における電動チューリップ処理の詳細フローチャート
【図２７】図１６のステップＳ１６０６における特定領域開放制御処理の詳細フローチャート
【図２８】図１６のステップＳ１６０６における特定領域開放制御処理の詳細フローチャート
【図２９】図１６のステップＳ１６０７における大入賞装置開放制御処理の詳細フローチャート
【図３０】図２９のステップＳ２９２４における遊技状態設定処理の詳細フローチャート
【図３１】演出制御基板１５３０において実行される演出制御処理の一例を示すフローチャート
【図３２】演出制御基板１５３０において実行される演出制御処理の一例を示すフローチャート
【図３３】回転表示装置１４０の概略の構造を示す図である。
【図３４】回転表示装置１４０で表示される残像による映像の例を示す。
【図３５】副液晶表示装置１５０の概略の構成を示す図である。
【図３６】上部可動役物１６０の概略の構成を示す図である。
【図３７】上部可動役物１６０の作動状態を示す図である。
【図３８】回転表示装置１４０、副液晶表示装置１５０及び上部可動役物１６０を連動させて演出を行った場合の図である。
【図３９】回転表示装置１４０、主液晶表示装置１０５、副液晶表示装置１５０及び上部可動役物１６０を連動させて演出を行った場合の図である。
【図４０】回転表示装置１４０と主液晶表示装置１０５を連動させて演出を行った場合の図である。
【図４１】副液晶表示装置１５０の支持装置３５０４の構造を示す図である。
【図４２】副液晶表示装置１５０の支持装置３５０４の構造を示す図である。
【図４３】表示部３５０１及び下部回転支持部３５０３の高さに応じた傾斜状態を説明する図である。
【図４４】下部回転支持部３５０３とローラーユニット４２１３が上下方向に移動した時の状態を示す側面図である。
【図４５】軸４２１１を中心に回転する下部回転支持部３５０３状態を示す側面図である。
【図４６】下部回転支持部３５０３の内部を説明する斜視図である。
【図４７】下部回転支持部３５０３の内部を示す側面図である。
【図４８】回転制御用ギヤ４６０５の形状を説明する図である。
【図４９】回転制御用ギヤ４６０５による副表示部３５０１の回転範囲制御について説明する図である。
【図５０】回転制御用ギヤ４６０５による副表示部３５０１の回転方向に関する位置決めについて説明する図である。
【図５１】モーターユニット４６０６の構成を説明する図である。
【図５２】モーターユニット４６０６の分解斜視図である。
【図５３】図５１（Ｃ）のＡ−Ａ断面図である。
【図５４】副液晶表示装置１５０を正面から見たときのモーターユニット４６０６の概略配置を示す図である。
【図５５】回転役物３６０１の磁石配置を説明する図である。
【図５６】回転役物３６０１の磁石配置を説明する図である。
【図５７】回転役物として側面形状が四角形及び六角形のものの磁石５５０２の配置の例を示す図である。
【図５８】磁石５５０２を配置する方法とその数について説明する図である。
【図５９】磁石が取り付けられる役物の変形例を説明する図である。
【図６０】磁石が取り付けられる役物の変形例を説明する図である。
【図６１】第１位置及び第２位置の変形例を説明する図である。
【発明を実施するための形態】
【００１０】
以下、適宜図面を参照しつつ、本発明の遊技機の一実施形態に係るパチンコ遊技機１について説明する。なお本発明は、下記実施形態に何ら限定されることはなく、本発明の技術的範囲に属する限り種々の形態をとり得ることはいうまでもない。
【００１１】
［パチンコ遊技機１の概略構成例］
まず、図１を参照しつつ、パチンコ遊技機１の概略構成について説明する。ここで、図１は、パチンコ遊技機１の概略正面図である。パチンコ遊技機１は、１種２種混合タイプと呼ばれるパチンコ遊技機である。図１に示されるように、パチンコ遊技機１は、入賞や判定に関する役物等が設けられた遊技盤１０２と、遊技盤１０２を囲む枠部材１０３とを備えている。枠部材１０３は、遊技盤１０２と所定の間隔を隔てて平行配置された透明なガラス板を支持している。遊技盤１０２の表側におけるこのガラス板により覆われる領域が、遊技球が流下可能な遊技領域１１０となる。
【００１２】
遊技者がハンドル１２０を握ってレバー１２１を時計方向に回転させると、皿１２８に溜められた遊技球が発射装置（不図示）へと案内され、ハンドル１２０の回転角度に応じた打球力で遊技領域１１０へと発射される。この遊技領域１１０には、不図示の遊技クギや風車等が設けられており、発射された遊技球は、遊技領域１１０における上部位置へと案内され、遊技クギや風車等に接触することでその移動方向を変化させながら遊技盤１０２に沿って落下する。なお、遊技球の発射は、遊技者が停止ボタン１２２を操作することによって一時的に停止される。
【００１３】
また、皿１２８と近接配置された取り出しボタン１２３を遊技者が操作すると、皿１２８の下面の一部が開口されて、皿１２８に溜まった遊技球が皿１２８の下方に配置された不図示の箱に落下する。なお、皿１２８は、発射装置へ供給される遊技球及び賞球を溜める上皿と、賞球を溜める下皿との２つの皿によって構成されてもよい。
【００１４】
遊技者がハンドル１２０を小さい回転角で回転させた状態を維持するいわゆる「左打ち」を行うと、遊技球が相対的に弱い打球力で打ち出される。この場合、遊技球は、矢印１３１に例示されるように遊技領域１１０における左側領域を流下する。一方、遊技者がハンドル１２０を大きい回転角で回転させた状態を維持するいわゆる「右打ち」を行うと、遊技球が相対的に強い打球力で打ち出される。この場合、遊技球は、矢印１３２に例示されるように遊技領域１１０における右側領域を流下する。
【００１５】
左打ちされた遊技球の通過経路には、入賞や判定に関する役物として、第１始動装置１１１、第２始動装置１１２、２つの普通入賞装置１１４、及び電動チューリップ１１７が設けられている。また、右打ちされた遊技球の通過経路には、入賞や判定に関する役物として、上記第２始動装置１１２、大入賞装置１１３、２つの普通入賞装置１１４、ゲート１１６、上記電動チューリップ１１７、特定入賞装置１１９、及び羽根部材１９０が設けられている。
【００１６】
遊技領域１１０に打ち出された遊技球は、遊技盤１０２に沿って流下する過程で、第１始動装置１１１、第２始動装置１１２、大入賞装置１１３、及び普通入賞装置１１４のいずれかに入球して入賞する。これにより、入賞した箇所に応じた所定数の賞球が皿１２８に払い出される。なお、入賞しなかった遊技球は、排出口１１８を介して遊技領域１１０から排出される。
【００１７】
第１始動領域としての第１始動装置１１１は、常時開放されている始動装置であり、第２始動領域としての第２始動装置１１２は、普通電動役物としての電動チューリップ１１７が作動しているときだけ開放される始動装置である。パチンコ遊技機１では、遊技球が第１始動装置１１１を通過して入賞した場合、又は遊技球が第２始動装置１１２を通過して入賞した場合、遊技者にとって有利な大当たり遊技（特別遊技）を実行するか否かが判定され、その判定結果が後述する表示器１０４に表示される。
【００１８】
なお、以下の説明では、第１始動装置１１１への遊技球の入賞を条件として実行される判定を「第１特別図柄判定」と呼び、第２始動装置１１２への遊技球の入賞を条件として実行される判定を「第２特別図柄判定」と呼び、これらの判定を総称して「特別図柄判定」と呼ぶものとする。
【００１９】
大入賞装置１１３は、特別図柄判定の結果に応じて開放される特別入賞領域である。この大入賞装置１１３の開口部には、大入賞装置１１３を開閉するプレートが設けられている。大入賞装置１１３は、通常はこのプレートによって閉塞されている。これに対して、特別図柄判定の判定結果が「大当たり」であることを示す所定の大当たり図柄が表示器１０４に停止表示された場合、すなわち１種大当たりが発生した場合、上記プレートを作動させて大入賞装置１１３を開放する大当たり遊技が実行される。このため、遊技者は、大当たり遊技中に右打ちを行うことで、大当たり遊技が行われていないときに比べてより多くの賞球を得ることができる。なお、第２特別図柄判定の結果が小当たりであることを示す所定の小当たり図柄が表示器１０４に停止表示されると、後述する羽根部材１９０を作動させて特別入賞領域としての特定入賞装置１１９を開放する小当たり遊技が実行される。この小当たり遊技中には、Ｖ入賞装置３０２（所定の領域の一例：図３参照）が一時的に開放され、この間にＶ入賞装置３０２に遊技球が入賞することで２種大当たりが発生する。大入賞装置１１３は、このように２種大当たりが発生した場合にも開放される。
【００２０】
電動チューリップ１１７は、第２始動装置１１２に近接配置されており、一対の羽根部材を有している。この電動チューリップ１１７は、一対の羽根部材が第２始動装置１１２を閉塞する閉姿勢（図１参照）と、第２始動装置１１２を開放する開姿勢（不図示）とに姿勢変化可能に構成されている。
【００２１】
第２始動装置１１２は、図１に示されるように、通常は電動チューリップ１１７によって閉塞されている。これに対して、遊技球がゲート１１６を通過すると、賞球の払い出しは行われないものの、第２始動装置１１２を開放するか否かが判定される。ここで、第２始動装置１１２を開放すると判定された場合、電動チューリップ１１７の一対の羽根部材が規定時間開姿勢を維持した後に閉姿勢に戻る動作が規定回数行われる。このように、第２始動装置１１２は、電動チューリップ１１７が作動していないときには遊技球が通過し難い状態であるのに対して、電動チューリップ１１７が作動することによって遊技球が通過し易い状態となる。なお、以下の説明では、ゲート１１６への遊技球の入賞を条件として実行される判定を「普通図柄判定」と呼ぶものとする。
【００２２】
普通入賞装置１１４は、第１始動装置１１１と同様に常時開放されており、遊技球の入賞によって所定個数の賞球が払い出される入賞装置である。なお、第１始動装置１１１等とは異なり、普通入賞装置１１４に遊技球が入賞しても判定が行われることはない。
【００２３】
後述する主液晶表示装置１０５の前面側には、特別図柄判定の結果に応じて一時的に開放される特定領域１０９が設けられている。この特定領域１０９については、図３に基づいて後に詳述する。
【００２４】
［表示器１０４の構成例］
図２は、図１における表示器１０４の拡大図である。表示器１０４は、主に特別図柄判定や普通図柄判定に関する情報を表示するものであり、図２に示されるように、第１特別図柄表示器２０１、第２特別図柄表示器２０２、第１特別図柄保留表示器２０３、普通図柄表示器２０４、普通図柄保留表示器２０５、及び遊技状態表示器２０６を有して構成されている。
【００２５】
第１特別図柄表示器２０１は、第１特別図柄判定が行われると、図柄を変動表示してから第１特別図柄判定の判定結果を示す判定図柄を停止表示することによって第１特別図柄判定の判定結果を報知する。この第１特別図柄表示器２０１には、第１特別図柄判定の結果が「大当たり」（１種大当たり）であることを示す大当たり図柄、又は第１特別図柄判定の結果がハズレであることを示すハズレ図柄が停止表示される。
【００２６】
第２特別図柄表示器２０２は、第２特別図柄判定が行われると、図柄を変動表示してから第２特別図柄判定の判定結果を示す判定図柄を停止表示することによって第２特別図柄判定の判定結果を報知する。この第２特別図柄表示器２０２には、第２特別図柄判定の判定結果が「大当たり」（１種大当たり）であることを示す大当たり図柄、第２特別図柄判定の結果が「小当たり」であることを示す小当たり図柄、又は第２特別図柄判定の結果がハズレであることを示すハズレ図柄が停止表示される。
【００２７】
ところで、特別図柄判定に係る図柄の変動表示中や大当たり遊技中、後述する小当たり遊技中に第１始動装置１１１に新たに遊技球が入賞した場合、この入賞を契機とする第１特別図柄判定及び図柄の変動表示を即座に実行することができない。そこで、本実施形態におけるパチンコ遊技機１は、第１始動装置１１１に遊技球が入賞しても即座に第１特別図柄判定を実行できない場合に、第１特別図柄判定の権利が保留されるように構成されている。第１特別図柄保留表示器２０３は、このようにして保留された第１特別図柄判定の保留数を表示する。
【００２８】
なお、パチンコ遊技機１では、第２始動装置１１２に遊技球が入賞しても第２特別図柄判定及び図柄の変動表示を即座に実行できない場合、すなわち特別図柄判定に係る図柄の変動表示中や大当たり遊技中、小当たり遊技中に第２始動装置１１２に新たに遊技球が入賞した場合には、第２特別図柄判定は実行されず、また、第２特別図柄判定の権利が保留されることもない。このため、表示器１０４には、第２特別図柄判定の保留数を表示する表示器は設けられていない。
【００２９】
普通図柄表示器２０４は、普通図柄判定が行われると、図柄を変動表示してから普通図柄判定の判定結果を示す判定図柄を停止表示することによって普通図柄判定の判定結果を報知する。なお、例えば普通図柄表示器２０４における図柄の変動表示中など、遊技球がゲート１１６を通過しても普通図柄判定及び普通図柄判定に係る図柄の変動表示を即座に実行できない場合には、普通図柄判定の権利が保留される。普通図柄保留表示器２０５は、このようして保留された普通図柄判定の保留数を表示する。遊技状態表示器２０６は、パチンコ遊技機１の電源投入時点における遊技状態を表示する。パチンコ遊技機１の遊技状態については、図５に基づいて後に詳述する。
【００３０】
なお、以下の説明では、第１特別図柄表示器２０１又は第２特別図柄表示器２０２に表示される図柄を「特別図柄」と呼び、普通図柄表示器２０４に表示される図柄を「普通図柄」と呼ぶものとする。
【００３１】
［特定領域１０９の構成例］
図３は、特定領域１０９の内部構造を示す模式図である。図３における鉛直方向１３４及び幅方向１３５は、図１における鉛直方向１３４及び幅方向１３５と対応している。特定領域１０９は、小当たりが発生することによって遊技球が進入可能に開放される領域であり、その入り口である特定入賞装置１１９には、特定入賞装置１１９を開閉する羽根部材１９０が設けられている。
【００３２】
本実施形態におけるパチンコ遊技機１では、第１特別図柄表示器２０１又は第２特別図柄表示器２０２に特別図柄判定の結果が「大当たり」であることを示す大当たり図柄が判定図柄として停止表示されると、１種大当たりとなって大当たり遊技が実行される。この大当たり遊技は、所定条件（例えば大入賞装置１１３への９個の遊技球の入賞、又は大入賞装置１１３が開放されてから２９秒が経過）を満たすまで大入賞装置１１３を開放した状態を維持した後に大入賞装置１１３を閉塞する長開放ラウンド遊技を規定回数実行するものである。なお、大当たり遊技として、遊技球が入球困難に大入賞装置１１３を短開放する短開放ラウンド遊技が規定回数実行される場合もある。
【００３３】
一方、第２特別図柄判定が行われて「小当たり遊技」を実行すると判定されると、第２特別図柄表示器２０２に第２特別図柄判定の結果が「小当たり」であることを示す小当たり図柄が判定図柄として停止表示される。この場合羽根部材１９０を作動させて特定領域１０９を開放する小当たり遊技が実行される。この小当たり遊技では、特定領域１０９を開放してから所定時間（例えば３．２秒）が経過するまで特定領域１０９を開放した状態を維持した後に特定領域１０９を閉塞する羽根部材１９０の動作が規定回数（例えば１回）実行される。このように、小当たりが発生することで、特定領域１０９への遊技球の進入が可能になる。
【００３４】
図３に例示されるように、特定領域１０９には、案内部材３０１、Ｖ入賞装置３０２、ハズレ入賞装置３０３、及びスライド部材３０４が設けられている。案内部材３０１は、特定入賞装置１１９から特定領域１０９に進入した遊技球をＶ入賞装置３０２又はハズレ入賞装置３０３へと案内するものである。Ｖ入賞装置３０２又はハズレ入賞装置３０３に遊技球が入賞した場合、所定数の賞球が払い出される。ハズレ入賞装置３０３が常時開放されているのに対して、Ｖ入賞装置３０２は、通常はスライド部材３０４によって閉塞されており、特定入賞装置１１９が開放された後の所定期間だけ開放される。具体的には、本実施形態では、特定入賞装置１１９が開放されてから例えば０．５秒後にスライド部材３０４がスライドしてＶ入賞装置３０２が開放され、Ｖ入賞装置３０２の開放から０．２秒が経過するとスライド部材３０４が図３に示される元の位置に戻ってＶ入賞装置３０２が閉塞される。そして、このＶ入賞装置３０２の開放期間にＶ入賞装置３０２に遊技球が入賞（Ｖ入賞）することで２種大当たりが発生し、小当たり遊技に続いて大当たり遊技が実行される。なお、Ｖ入賞装置３０２の開放期間中に遊技球がＶ入賞装置３０２に入賞しなかった場合、小当たり遊技に続く大当たり遊技は行われない。
【００３５】
なお、本実施形態では、Ｖ入賞装置３０２がスライド部材３０４によって開閉される場合について説明するが、パチンコ遊技機１の奥行方向を軸方向として回動する羽根部材によってＶ入賞装置３０２を開閉するようにしてもよい。また、１回の小当たり遊技中の羽根部材１９０の動作パターン（特定入賞装置１１９を開放する時間及び回数）等も適宜変更可能である。
【００３６】
［特別図柄判定の判定結果と遊技状態の変化の説明］
次に、図４を参照しつつ、パチンコ遊技機１の遊技状態について説明する。図４は、大当たりと遊技状態について説明するための説明図である。図４に示されるように、本実施形態におけるパチンコ遊技機１は、「通常遊技状態」又は「時短遊技状態」にて遊技が制御される。
【００３７】
「通常遊技状態」は、いわゆる電チューサポート機能が付与されない通常の遊技状態である。「通常遊技状態」は、具体的には、第２始動装置１１２を開放すると普通図柄判定において判定される割合が相対的に低い割合（例えば１／１２）に設定され、普通図柄の変動時間が相対的に長い時間（例えば２５秒）に設定され、且つ第２始動装置１１２を開放すると判定された場合の第２始動装置１１２の開放時間が相対的に短い時間（例えば０．１秒×１回）に設定される遊技状態である。
【００３８】
「時短遊技状態」は、電チューサポート機能が付与される遊技状態である。「時短遊技状態」は、具体的には、第２始動装置１１２を開放すると普通図柄判定において判定される割合が相対的に高い割合（例えば１２／１２）に設定され、普通図柄の変動時間が相対的に短い時間（例えば２秒）に設定され、且つ第２始動装置１１２を開放すると判定された場合の第２始動装置１１２の開放時間が相対的に長い時間（例えば０．３秒×５回）に設定される遊技状態である。すなわち、「時短遊技状態」は、通常遊技状態に比べて、第２始動装置１１２が開放状態に制御され易い遊技状態である。
【００３９】
遊技盤１０２の盤面構成上、遊技領域１１０の左側領域に打ち出された遊技球は第１始動装置１１１に入賞可能であるのに対して、遊技領域１１０の右側領域に打ち出された遊技球が第１始動装置１１１に入賞することはない。また、「通常遊技状態」のときには第２始動装置１１２は開放状態になり難い。このため、「通常遊技状態」のときに右打ちを行うメリットはない。このように、「通常遊技状態」は、遊技球を遊技領域１１０の左側領域に打ち出した方が右側領域に打ち出すよりも「大当たり」を引き当て易い左側有利状態であるため、遊技者は、主液晶表示装置１０５あるいは回転表示装置１４０に表示されるメッセージやスピーカ１２４から出力される音声ガイダンスに従って左打ちを行うことになる。
【００４０】
「通常遊技状態」のときに遊技者が左打ちを行って遊技領域１１０の左側領域に打ち出された遊技球が第１始動装置１１１に入賞すると、第１特別図柄判定が行われ、第１特別図柄表示器２０１に特別図柄が変動表示された後にその第１特別図柄判定の結果を示す判定図柄が停止表示される。
【００４１】
本実施形態では、第１特別図柄判定において１種大当たりと判定された場合、そのうちの５０％が「時短付き１種大当たり」となり、残りの５０％が「時短無し１種大当たり」となる。時短無し１種大当たりとなった場合、大当たり遊技が行われた後に、通常遊技状態で遊技が制御されることになる。一方、時短付き１種大当たりとなった場合、大当たり遊技が行われた後に、時短遊技状態で遊技が制御されることになる。
【００４２】
遊技状態が「時短遊技状態」に移行すると、「通常遊技状態」のときに比べて第２始動装置１１２が開放状態になり易くなる。第２始動装置１１２に遊技球が入賞すると、第２特別図柄判定が行われて、第２特別図柄表示器２０２に特別図柄が変動表示された後にその第２特別図柄判定の結果を示す判定図柄が停止表示されるが、上述したように、第２特別図柄判定の判定結果の大半は小当たりである。このように、時短遊技状態のときには第２始動装置１１２への遊技球の入賞が容易である上に、第２始動装置１１２に遊技球が入賞することを条件として実行される第２特別図柄判定の判定結果の大半が小当たりとなるために２種大当たりが発生し易い。すなわち、「時短遊技状態」は、遊技球を遊技領域１１０の右側領域に打ち出した方が左側領域に打ち出すよりも「大当たり」を引き当て易い右側有利状態である。このため、遊技者は、主液晶表示装置１０５あるいは回転表示装置１４０に表示されるメッセージやスピーカ１２４から出力される音声ガイダンスに従って右打ちを行うことになる。
【００４３】
「時短遊技状態」のときに遊技者が右打ちを行って遊技領域１１０の右側領域に打ち出された遊技球がゲート１１６を通過すると、普通図柄判定が行われる。「時短遊技状態」のときに普通図柄判定が行われると、１２／１２という高い割合で第２始動装置１１２を開放すると判定される。また、第２始動装置１１２を開放すると判定された場合、第２始動装置１１２の開放時間が「通常遊技状態」のときに比べて長いので、遊技領域１１０の右側領域に打ち出された遊技球は、第２始動装置１１２に容易に入賞する。
【００４４】
「時短遊技状態」において、特別図柄が変動表示されておらず、且つ大当たり遊技中や小当たり遊技中ではないときに第２始動装置１１２に遊技球が入賞すると、第２特別図柄判定が行われ、第２特別図柄表示器２０２に特別図柄が変動表示された後にその第２特別図柄判定の結果を示す判定図柄が停止表示される。ここで、第２特別図柄判定によって小当たりと判定された場合には第２特別図柄表示器２０２にその旨を示す小当たり図柄が停止表示され、特定領域１０９及びＶ入賞装置３０２を一時的に開放する小当たり遊技が実行され、この小当たり遊技中に遊技球がＶ入賞装置３０２に入賞することで２種大当たりとなって、当該小当たり遊技に続いて大当たり遊技が実行される。
【００４５】
本実施形態では、小当たり遊技中に遊技球がＶ入賞装置３０２に入賞した場合、そのうちの７０％が「時短付き２種大当たり」となり、残りの３０％が「時短無し２種大当たり」となる。時短付き２種大当たりとなった場合、小当たり遊技に続く大当たり遊技が行われた後に、再び時短遊技状態で遊技が制御されることになる。一方、時短無し２種大当たりとなった場合、小当たり遊技に続く大当たり遊技が行われた後に、通常遊技状態で遊技が制御されることになる。
【００４６】
なお、第２特別図柄判定の判定結果が「大当たり」である場合には、小当たり遊技が行われることなく大当たり遊技が行われる。そして、この大当たり遊技が終了すると、小当たり遊技に続いて大当たり遊技が行われる場合と同様に、７０％の割合で時短遊技状態に移行する一方で、残り３０％の割合で通常遊技状態に戻される。
【００４７】
このように、小当たり遊技中にＶ入賞装置３０２に遊技球が入賞して大当たり遊技が行われた場合、この小当たり遊技のときに第２特別図柄表示器２０２に停止表示されていた小当たり図柄の種類に応じて、大当たり遊技終了時に遊技状態が時短遊技状態又は通常遊技状態に設定される。また、第２特別図柄判定においていわゆる直撃当たりが発生した場合には、第２特別図柄表示器２０２に停止表示されていた大当たり図柄の種類に応じて、大当たり遊技終了時に遊技状態が時短遊技状態又は通常遊技状態に設定される。
【００４８】
なお、図４に例示されるように、時短遊技状態に移行してから１００回の特別図柄判定が実行されても大当たりが発生しなかった場合も、遊技状態が通常遊技状態に戻されることになる。
【００４９】
［パチンコ遊技機１の演出手段の構成例］
図１に示されるように、遊技盤１０２又は枠部材１０３には、各種の演出を行うものとして、主液晶表示装置１０５、回転表示装置１４０、副液晶表示装置１５０、上部可動役物１６０スピーカ１２４、及び枠ランプ１２５が設けられている。
【００５０】
主液晶表示装置１０５は、演出画像を表示する画像表示装置であり、遊技者によって視認され易い位置に設けられている。主液晶表示装置１０５には、例えば、特別図柄判定の結果を報知する装飾図柄、予告演出などを行うキャラクタやアイテム、第１特別図柄判定が保留されていることを示す保留表示画像等の各種表示オブジェクトを含む演出画像が表示される。なお、本実施形態では、画像表示装置が主液晶表示装置１０５によって構成されている場合について説明するが、例えばＥＬ表示装置等の他の画像表示装置によって構成されてもよい。
【００５１】
回転表示装置１４０は、主液晶表示装置１０５の表示領域の両端前面に各１個（計２個）配置されており、複数のＬＥＤを直線上に配列し、ＬＥＤの配列方向と同じ方向の回転軸を遊技盤１０２の盤面と略平行状態を保ちながら、回転軸を回転中心として回転させることにより移動させつつ、ＬＥＤを発光させて残像を発生させて、映像を提示するものである。回転表示装置１４０の詳細については、後述する。
【００５２】
副液晶表示装置１５０は、遊技盤１０２の下部に配置された、主液晶表示装置１０５よりも小型の表示装置であり、遊技盤１０２の下部から遊技盤１０２の中央近傍までの範囲を上下移動するとともに、表裏面が視認できるように回転するようになっている。副液晶装置３５００の詳細については後述する。
【００５３】
上部可動役物１６０は、遊技盤１０２の上部に配置された、３つの三角柱形状の役物を水平方向に並べ、３個の役物を全体としても三角柱形状を構成するようにし、それぞれの役物側面に装飾を施して、それぞれの役物を回転させて種々の演出表示をする。また、全体を遊技盤１０２の上部から遊技盤１０２の中央近傍まで上下移動させることにより、副液晶表示装置１５０と遊技盤１０２の中央近傍で合体させるなどして、演出効果を高めることができるようになっている。上部可動役物１６０の詳細については後述する。
【００５４】
スピーカ１２４は、主液晶表示装置１０５で行われる表示演出と同期するように楽曲や音声、効果音等を出力して音による演出を行う。枠ランプ１２５は、発光色や発光パターン、光の放射方向を変化させることによって光による演出を行う。
【００５５】
［パチンコ遊技機１の操作手段の構成例］
枠部材１０３には、遊技者が操作する操作手段として、演出ボタン１２６及び演出キー１２７が設けられている。演出ボタン１２６は、遊技者が押下することによって操作情報を入力するための押ボタンである。演出キー１２７は、上下左右のいずれかの方向を指示するためのいわゆる十字キーである。パチンコ遊技機１では、演出ボタン１２６又は演出キー１２７から入力された操作情報に応じた演出が行われる場合がある。
【００５６】
［大当たりの内訳及び大当たり遊技の種類］
次に、図５及び図６を参照しつつ、大当たりの内訳及び大当たり遊技の種類について説明する。ここで、図５は、通常遊技状態における大当たりの内訳と時短遊技状態における大当たりの内訳とについて説明するための説明図である。図６は、大当たり遊技中の大入賞装置１１３又は特定入賞装置１１９の開放パターンの一例を示すタイムチャートである。なお、図５において、網掛け部分の大当たりは時短付きの大当たりであることを示しており、それ以外の大当たりは時短無し大当たりである。
【００５７】
上述したように、通常遊技状態で遊技が制御されているときには、第２始動装置１１２が開放され難く、左側有利状態である。このため、通常遊技状態で遊技が制御されているときには、遊技者は、左打ちを行って第１始動装置１１１に遊技球を入賞させる遊技を行う。よって、通常遊技状態で遊技が制御されているときには、基本的には第２特別図柄判定が行われることはなく、第１始動装置１１１に遊技球が入賞する毎に第１特別図柄判定が行われる。ただし、通常遊技状態にあっても右打ちを行うことでゲート１１６を遊技球が通過すると、第２始動装置１１２が開放される場合がある。このとき、第２始動装置１１２に遊技球が入賞すると、通常遊技状態であっても、第２特別図柄判定が行われる。
【００５８】
通常遊技状態のときに第１特別図柄判定が行われて大当たりであると判定された場合、図５の左上図に例示されるように、大当たりの種類として、１０％の割合で「突然時短当たり」が選択され、４０％の割合で「時短付き４Ｒ長当たり」が選択され、残り５０％の割合で「時短無し８Ｒ長当たり」が選択される。
【００５９】
「突然時短当たり」が選択されると、大入賞装置１１３を短開放する短開放ラウンド遊技を所定回数（本実施形態では１６回）繰り返す短当たり遊技が行われ（図６（Ａ）参照）、この短当たり遊技が終了すると、遊技状態が通常遊技状態から時短遊技状態に移行する。
【００６０】
「時短付き４Ｒ長当たり」が選択されると、大入賞装置１１３を開放してから所定条件を満たすまで大入賞装置１１３を開放した状態を維持する４回の長開放ラウンド遊技と１２回の短開放ラウンド遊技とを含む実質４Ｒの長当たり遊技が行われ（図６（Ｂ）参照）、この長当たり遊技が終了すると、遊技状態が時短遊技状態に移行する。
【００６１】
「時短無し８Ｒ長当たり」が選択されると、４回の長開放ラウンド遊技と、８回の短開放ラウンド遊技と、４回の長開放ラウンド遊技とを含む実質８Ｒの長当たり遊技が行われ（図６（Ｃ）参照）、この長当たり遊技が終了した後は、通常遊技状態で遊技が制御される。
【００６２】
このように、通常遊技状態で遊技が制御されているときには、「突然時短当たり」又は「時短付き４Ｒ長当たり」となった場合に、遊技者が容易に大当たり（２種大当たり）を引き当てることが可能な時短遊技状態へと移行する。その一方で、「時短無し８Ｒ長当たり」となった場合には、引き続き通常遊技状態で遊技が制御されるため、遊技者は、大当たり遊技終了後に再び左打ちを行って、「突然時短当たり」又は「時短付き４Ｒ長当たり」を目指すことになる。
【００６３】
通常遊技状態のときに第２特別図柄判定が行われて大当たりであると判定された場合、図５の右上図に例示されるように、大当たりの種類として、３０％の割合で「時短無し８Ｒ長当たり」が選択され、２０％の割合で「時短無し４Ｒ長当たり」が選択され、残り５０％の割合で「時短無し１５Ｒ長当たり」が選択される。
【００６４】
「時短無し８Ｒ長当たり」が選択されると、４回の長開放ラウンド遊技と、８回の短開放ラウンド遊技と、４回の長開放ラウンド遊技とを含む実質８Ｒの長当たり遊技が行われ（図６（Ｃ）参照）、この長当たり遊技が終了した後は、通常遊技状態で遊技が制御される。
【００６５】
「時短無し４Ｒ長当たり」が選択されると、図６（Ｂ）に基づいて上述した４Ｒの長当たり遊技が行われ、この長当たり遊技が終了した後は、通常遊技状態で遊技が制御される。
【００６６】
「時短無し１５Ｒ長あたり」が選択されると、大入賞装置１１３を開放してから所定条件を満たすまで大入賞装置１１３を開放した状態を維持する１５回の長開放ラウンド遊技を含む長当たり遊技が行われ（図６（Ｄ）参照）、この長当たり遊技が終了した後は、通常遊技状態で遊技が制御される。なお、「時短無し１５Ｒ長当たり」が選択された場合に、５ラウンド目のラウンド遊技において、大入賞装置１１３が長開放されるのに先立って大入賞装置１１３の短開放動作が複数回繰り返される開放パターンが選択されることがある（図６（Ｅ）参照）。
【００６７】
このように、通常遊技状態のときに第２特別図柄判定が行われて大当たりであると判定された場合、その後は、引き続き通常遊技状態で遊技が制御される。
遊技状態が時短遊技状態に移行すると、上述したように、第２始動装置１１２が開放され易くなる。このため、遊技者が右打ちを行って第２始動装置１１２に遊技球を入賞させることにより、第２特別図柄判定が行われる。
【００６８】
第２特別図柄判定において大当たりであると判定された場合、又は小当たりと判定されて実行された小当たり遊技中に遊技球がＶ入賞した場合、図５の右下図に例示されるように、大当たりの種類として、３０％の割合で「時短無し８Ｒ長当たり」が選択され、２０％の割合で「時短付き４Ｒ長当たり」が選択され、残り５０％の割合で「時短付き１５Ｒ長当たり」が選択される。
【００６９】
「時短無し８Ｒ長当たり」が選択されると、図６（Ｃ）に基づいて上述した８Ｒの長当たり遊技が行われ、この長当たり遊技が終了した後は、通常遊技状態で遊技が制御される。
【００７０】
「時短付き４Ｒ長当たり」が選択されると、図６（Ｂ）に基づいて上述した４Ｒの長当たり遊技が行われ、この長当たり遊技が終了すると、時短遊技状態に移行する。
「時短付き１５Ｒ長当たり」が選択されると、図６（Ｄ）に基づいて上述した１５Ｒの長当たり遊技が行われ、この長当たり遊技が終了すると、時短遊技状態に移行する。なお、図６（Ｅ）に基づいて上述した開放パターンが選択されることがある。
【００７１】
なお、これらの長当たり遊技が、小当たり遊技中に遊技球がＶ入賞したことに応じて行われる場合、すなわち２種大当たりを契機とする長当たり遊技である場合、特定入賞装置１１９及びＶ入賞装置３０２を開放する小当たり遊技中に遊技球がＶ入賞してからこの小当たり遊技が終了した後に、１ラウンド目の長開放ラウンド遊技が開始されることになる（図６（Ｂ）〜（Ｅ）参照）。
【００７２】
このように、本実施形態では、時短遊技状態で遊技を制御しているときに第２始動装置１１２に遊技球が入賞して大当たりであると判定されたことを契機として、「１５Ｒ長当たり」が選択された場合、１５Ｒ長当たり遊技が実行された後に、通常遊技状態よりも高い割合で時短遊技状態で遊技が制御される。本実施形態では、１５Ｒ長当たりが選択された場合には、長当たり遊技の終了後に通常遊技状態で遊技が制御されることはなく、１００％の割合で、長当たり遊技の終了後に時短遊技状態で遊技が制御されることになる。
【００７３】
また、時短遊技状態で遊技を制御しているときに第２始動装置１１２に遊技球が入賞して大当たりであると判定されたことを契機として、「８Ｒ長当たり」が選択された場合、８Ｒ長当たり遊技が実行された後に、時短遊技状態よりも高い割合で通常遊技状態で遊技が制御される。本実施形態では、８Ｒ長当たりが選択された場合には、長当たり遊技の終了後に時短遊技状態で遊技が制御されることはなく、１００％の割合で、長当たり遊技の終了後に通常遊技状態で遊技が制御されることになる。
【００７４】
このように、本実施形態におけるパチンコ遊技機１では、時短遊技状態が継続しない場合にも、通常遊技状態のときと同様に、８Ｒ長当たり遊技が行われるため、例えば４Ｒ長当たり遊技が終了した後に通常遊技状態に戻される場合に比べて、時短遊技状態が継続しなかったことによる遊技者の喪失感を軽減することができ、且つ遊技者の遊技意欲の低下を抑制することができる。
【００７５】
また、時短遊技状態が継続する場合に、８Ｒ長当たり遊技よりも遊技者の利益が大きい１５Ｒ長当たり遊技が行われるため、遊技者は、時短連チャン中に、時短遊技状態に移行したことによる恩恵を十分に得ることができる。
【００７６】
ところで、例えば時短遊技状態に移行した直後に第１特別図柄判定の権利が保留されており、且つ第２始動装置１１２に遊技球が入賞していない状況では、時短遊技状態であるにも拘わらず、第１特別図柄判定が行われることがある。そして、このような状況下で第１特別図柄判定が行われた場合、本実施形態におけるパチンコ遊技機１では、以下のように大当たりの種類が選択されることになる。
【００７７】
すなわち、時短遊技状態で遊技が制御されているときに第１特別図柄判定が行われて大当たりであると判定された場合、図５の左下図に例示されるように、１０％の割合で「突然時短当たり」が選択され、２０％の割合で「時短無し４Ｒ長当たり」が選択され、同じく２０％の割合で「時短付き４Ｒ長当たり」が選択され、４０％の割合で「時短付き８Ｒ長当たり」が選択され、残り１０％の割合で「時短無し８Ｒ長当たり」が選択される。
【００７８】
「突然時短当たり」が選択されると、図６（Ａ）に基づいて上述した短当たり遊技が行われ、この短当たり遊技が終了すると、時短遊技状態に移行する。すなわち、突然時短当たり前の遊技状態も時短遊技状態であるため、時短遊技状態が継続することになる。
【００７９】
なお、本実施形態では、通常遊技状態で遊技が制御されているときに行われた第１特別図柄判定の判定結果が大当たりとなって「突然時短当たり」が選択される割合と、時短遊技状態で遊技が制御されているときに行われた第１特別図柄判定の判定結果が大当たりとなって「突然時短当たり」が選択される割合とが、いずれも１０％に設定されている。
【００８０】
「時短無し４Ｒ長当たり」が選択されると、図６（Ｂ）に基づいて上述した４Ｒの長当たり遊技が行われ、この長当たり遊技が終了した後は、通常遊技状態で遊技が制御される。すなわち、遊技状態が時短遊技状態から通常遊技状態に戻されることになる。
【００８１】
「時短付き４Ｒ長当たり」が選択されると、図６（Ｂ）に基づいて上述した４Ｒの長当たり遊技が行われ、この長当たり遊技が終了した後は、時短遊技状態に移行する。すなわち、時短遊技状態が継続する。
【００８２】
「時短付き８Ｒ長当たり」が選択されると、図６（Ｃ）に基づいて上述した８Ｒの長当たり遊技が行われ、この長当たり遊技が終了した後は、時短遊技状態に移行する。すなわち、時短遊技状態が継続する。
【００８３】
「時短無し８Ｒ長当たり」が選択されると、図６（Ｃ）に基づいて上述した８Ｒの長当たり遊技が行われ、この長当たり遊技が終了した後は、通常遊技状態で遊技が制御される。すなわち、遊技状態が時短遊技状態から通常遊技状態に戻される。
【００８４】
［乱数による判定方法の説明］
次に、後述する遊技制御基板１５００（図１５参照）によって実行される乱数による判定方法について説明する。
【００８５】
図７は、特別図柄判定に使用される各種テーブルについて説明するための説明図であり、図７（Ａ）は第１特別図柄判定に使用される大当たり判定テーブルの一例を示し、図７（Ｂ）は第２特別図柄判定に使用される大当たり判定テーブルの一例を示している。また、図７（Ｃ）は第１特別図柄判定の判定結果が「大当たり」である場合に１種大当たりの種類を決定するための図柄判定テーブルの一例を示し、図７（Ｄ）は第２特別図柄判定の判定結果が「大当たり」である場合に１種大当たりの種類を決定するための図柄判定テーブルの一例を示している。また、図７（Ｅ）は第２特別図柄判定の判定結果が「小当たり」であって、且つ小当たり遊技中に遊技球がＶ入賞する場合に２種大当たりの種類を決定するための図柄判定テーブルの一例を示している。
【００８６】
図７（Ａ）に示される大当たり乱数は、遊技球が第１始動装置１１１に入賞したことを契機として実行される第１特別図柄判定に使用される乱数である。本実施形態では、大当たりの当選値として１個の当選値「０」が予め記憶されており、遊技球が第１始動装置１１１に入賞したタイミングで取得された大当たり乱数がこの当選値と一致した場合に、大当たりである（大当たり遊技を実行する）と判定される。一方、遊技球が第１始動装置１１１に入賞したタイミングで取得された大当たり乱数が「０」ではなく「１」〜「２３９」のいずれかである場合、ハズレである（大当たり遊技を実行しない）と判定される。なお、本実施形態では、大当たり乱数の取り得る範囲が「０」〜「２３９」であるのに対して大当たりの当選値が「０」のみであるため、第１始動装置入賞時の大当たり当選確率は１／２４０である。
【００８７】
図７（Ｂ）に示される大当たり乱数は、遊技球が第２始動装置１１２に入賞したことを契機として実行される第２特別図柄判定に使用される乱数である。本実施形態では、大当たりの当選値として１個の当選値「０」が予め記憶されており、遊技球が第２始動装置１１２に入賞したタイミングで取得された大当たり乱数がこの当選値と一致した場合に、大当たりである（大当たり遊技を実行する）と判定される。また、本実施形態では、小当たりの当選値として「１」〜「２３８」の２３８個の当選値が予め記憶されており、遊技球が第２始動装置１１２に入賞したタイミングで取得された大当たり乱数がこれらの当選値のいずれかと一致した場合に、小当たりである（小当たり遊技を実行する）と判定される。また、遊技球が第２始動装置１１２に入賞したタイミングで取得された大当たり乱数が「２３９」である場合、ハズレである（大当たり遊技と小当たり遊技とのいずれも実行しない）と判定される。
【００８８】
本実施形態では、大当たり乱数の取り得る範囲が「０」〜「２３９」であるのに対して、第２特別図柄判定に係る大当たり用の当選値、小当たり用の当選値、及びハズレ用の乱数値が上記のように設定されているので、第２始動装置入賞時の大当たり当選確率は１／２４０であり、第２始動装置入賞時の小当たり当選確率は２３８／２４０であり、第２始動装置入賞時のハズレ確率は１／２４０である。このため、第２特別図柄判定の判定結果の大半が小当たりとなる。
【００８９】
このようにして第１始動装置１１１又は第２始動装置１１２に遊技球が入賞したタイミングで取得された大当たり乱数に基づいて大当たりであると判定された場合、この大当たり乱数と一緒に始動装置入賞時に取得された大当たり用図柄乱数に基づいて、大当たりの種類が決定される。
【００９０】
パチンコ遊技機１には、図７（Ｃ）に例示されるように、通常遊技状態で遊技が制御されているときに第１特別図柄判定が行われて大当たりであると判定された場合にその大当たりの種類を決定するための図柄判定テーブルと、時短遊技状態で遊技が制御されているときに第１特別図柄判定が行われて大当たりであると判定された場合にその大当たりの種類を決定するための図柄判定テーブルとが予め記憶されている。これは、通常遊技状態における第１特別図柄判定に係る大当たりの内訳と、時短遊技状態における第１特別図柄判定に係る大当たりの内訳とが相異なるためである（図５の左上図及び左下図を参照）。
【００９１】
図７（Ｃ）に例示されるように、通常遊技状態のときに遊技球が第１始動装置１１１に入賞して行われた第１特別図柄判定の判定結果が大当たり（１種大当たり）となる場合については、大当たりの種類として、「突然時短当たり」（時短付き短当たり）と、「時短付き４Ｒ長当たり」と、「時短無し８Ｒ長当たり」との３種類が用意されている。
【００９２】
本実施形態では、図７（Ｃ）に例示されるように、通常遊技状態における「突然時短当たり」に関して「０」〜「９」の１０個の当選値が予め記憶されており、通常遊技状態における「時短付き４Ｒ長当たり」に関して「１０」〜「４９」の４０個の当選値が予め記憶されており、通常遊技状態における「時短無し８Ｒ長当たり」に関して「５０」〜「９９」の５０個の当選値が予め記憶されている。
【００９３】
これに対して、通常遊技状態で遊技が制御されているときに遊技球が第１始動装置１１１に入賞して大当たりと判定された場合に、この第１始動装置入賞時に大当たり乱数と一緒に取得された大当たり用図柄乱数がどの当選値と一致するかに基づいて、大当たりの種類が決定される。
【００９４】
図７（Ｃ）に例示されるように、大当たり用図柄乱数の取り得る範囲は、本実施形態では、遊技状態に関わらず「０」〜「９９」である。これに対して、上述したように大当たり用図柄乱数の当選値が割り当てられているので、通常遊技状態のときに行われた第１特別図柄判定の判定結果が大当たりとなった場合に、１０／１００（＝１０％）の割合で「突然時短当たり」となり、４０／１００（＝４０％）の割合で「時短付き４Ｒ長当たり」となり、５０／１００（＝５０％）の割合で「時短無し８Ｒ長当たり」となる（図７（Ｃ）及び図５の左上図を参照）。
【００９５】
また、図７（Ｃ）に例示されるように、時短遊技状態のときに第１特別図柄判定が行われて大当たり（１種大当たり）と判定された場合の大当たりの種類として、「突然時短当たり」と、「時短無し４Ｒ長当たり」と、「時短付き４Ｒ長当たり」と、「時短付き８Ｒ長当たり」と、「時短無し８Ｒ長当たり」との５種類が用意されている。
【００９６】
本実施形態では、図７（Ｃ）に例示されるように、時短遊技状態における「突然時短当たり」に関して「０」〜「９」の１０個の当選値が予め記憶されており、時短遊技状態における「時短無し４Ｒ長当たり」に関して「１０」〜「２９」の２０個の当選値が予め記憶されており、時短遊技状態における「時短付き４Ｒ長当たり」に関して「３０」〜「４９」の２０個の当選値が予め記憶されており、時短遊技状態における「時短付き８Ｒ長当たり」に関して「５０」〜「８９」の４０個の当選値が予め記憶されており、時短遊技状態における「時短無し８Ｒ長当たり」に関して「９０」〜「９９」の１０個の当選値が予め記憶されている。
【００９７】
これに対して、時短遊技状態で遊技が制御されているときに遊技球が第１始動装置１１１に入賞して大当たりと判定された場合、又は通常遊技状態で遊技が制御されているときに遊技球が第１始動装置１１１に入賞して保留された第１特別図柄判定が時短遊技状態に移行してから消化されてその判定結果が大当たりとなった場合、この第１始動装置入賞時に大当たり乱数と一緒に取得された大当たり用図柄乱数がどの当選値と一致するかに基づいて、大当たりの種類が決定される。
【００９８】
本実施形態では、大当たり用図柄乱数が「０」〜「９９」の値を取り得るのに対して、上記５種類の１種大当たりのそれぞれに対して上述したように大当たり用図柄乱数の当選値が割り当てられているので、時短遊技状態のときに行われた第１特別図柄判定の判定結果が大当たりとなった場合に、１０／１００（＝１０％）の割合で「突然時短当たり」となり、２０／１００（＝２０％）の割合で「時短無し４Ｒ長当たり」となり、同じく２０／１００（＝２０％）の割合で「時短付き４Ｒ長当たり」となり、４０／１００（＝４０％）の割合で「時短付き８Ｒ長当たり」となり、１０／１００（＝１０％）の割合で「時短無し８Ｒ長当たり」となる（図７（Ｃ）及び図５の左下図を参照）。
【００９９】
通常遊技状態のときに第２始動装置１１２に遊技球が入賞して第２特別図柄判定が行われ、その判定結果が大当たり（１種大当たり）となる場合については、図７（Ｄ）に例示されるように、大当たりの種類として、「時短無し８Ｒ長当たり」と、「時短無し４Ｒ長当たり」と、「時短無し１５Ｒ長当たり」との３種類が用意されている。
【０１００】
本実施形態では、図７（Ｄ）に例示されるように、通常遊技状態における「時短無し８Ｒ長当たり」に関して「０」〜「２９」の３０個の当選値が予め記憶されており、通常遊技状態における「時短無し４Ｒ長当たり」に関して「３０」〜「４９」の２０個の当選値が予め記憶されており、通常遊技状態における「時短無し１５Ｒ長当たり」に関して「５０」〜「９９」の５０個の当選値が予め記憶されている。
【０１０１】
これに対して、通常遊技状態で遊技が制御されているときに遊技球が第２始動装置１１２に入賞して大当たりと判定された場合に、この第２始動装置入賞時に大当たり乱数と一緒に取得された大当たり用図柄乱数がどの当選値と一致するかに基づいて、大当たりの種類が決定される。
【０１０２】
上述したように、大当たり用図柄乱数の取り得る範囲は、遊技状態に関わらず「０」〜「９９」である。これに対して、上述したように大当たり用図柄乱数の当選値が割り当てられているので、通常遊技状態のときに行われた第２特別図柄判定の判定結果が大当たりとなった場合に、３０／１００（＝３０％）の割合で「時短無し８Ｒ長当たり」となり、２０／１００（＝２０％）の割合で「時短無し４Ｒ長当たり」となり、５０／１００（＝５０％）の割合で「時短無し１５Ｒ長当たり」となる（図７（Ｄ）及び図５の右上図を参照）。
【０１０３】
一方、時短遊技状態のときに第２始動装置１１２に遊技球が入賞して第２特別図柄判定が行われ、その判定結果が大当たり（１種大当たり）となる場合については、図７（Ｄ）に例示されるように、大当たりの種類として、「時短無し８Ｒ長当たり」と、「時短付き４Ｒ長当たり」と、「時短付き１５Ｒ長当たり」との３種類が用意されている。
【０１０４】
本実施形態では、図７（Ｄ）に例示されるように、時短遊技状態における「時短無し８Ｒ長当たり」に関して「０」〜「２９」の３０個の当選値が予め記憶されており、時短遊技状態における「時短付き４Ｒ長当たり」に関して「３０」〜「４９」の２０個の当選値が予め記憶されており、時短遊技状態における「時短付き１５Ｒ長当たり」に関して「５０」〜「９９」の５０個の当選値が予め記憶されている。
【０１０５】
これに対して、時短遊技状態で遊技が制御されているときに遊技球が第２始動装置１１２に入賞して大当たりと判定された場合に、この第２始動装置入賞時に大当たり乱数と一緒に取得された大当たり用図柄乱数がどの当選値と一致するかに基づいて、大当たりの種類が決定される。
【０１０６】
上述したように、大当たり用図柄乱数の取り得る範囲は、遊技状態に関わらず「０」〜「９９」である。これに対して、上述したように大当たり用図柄乱数の当選値が割り当てられているので、時短遊技状態のときに行われた第２特別図柄判定の判定結果が大当たりとなった場合に、３０／１００（＝３０％）の割合で「時短無し８Ｒ長当たり」となり、２０／１００（＝２０％）の割合で「時短付き４Ｒ長当たり」となり、５０／１００（＝５０％）の割合で「時短付き１５Ｒ長当たり」となる（図７（Ｄ）及び図５の右下図を参照）。
【０１０７】
通常遊技状態で遊技が制御されているときに遊技球が第２始動装置１１２に入賞したタイミングで取得された大当たり乱数に基づいて小当たりであると判定された場合、この大当たり乱数及び大当たり用図柄乱数と一緒に取得された小当たり用図柄乱数に基づいて、小当たり遊技中にＶ入賞装置３０２に遊技球がＶ入賞することで発生する２種大当たりの種類が決定される。
【０１０８】
小当たり遊技中にＶ入賞装置３０２に遊技球がＶ入賞して２種大当たりが発生する場合の２種大当たりの種類として、図７（Ｅ）に例示されるように、「時短無し８Ｒ長当たり」と、「時短無し４Ｒ長当たり」と、「時短無し１５Ｒ長当たり」との３種類が用意されている。
【０１０９】
図７（Ｅ）に例示されるように、「時短無し８Ｒ長当たり」に関して「０」〜「２９」の３０個の当選値が予め記憶されており、「時短無し４Ｒ長当たり」に関して「３０」〜「４９」の２０個の当選値が予め記憶されており、「時短無し１５Ｒ長当たり」に関して「５０」〜「９９」の５０個の当選値が予め記憶されている。
【０１１０】
これに対して、通常遊技状態で遊技が制御されているときに遊技球が第２始動装置１１２に入賞して小当たりと判定された場合に、この第２始動装置入賞時に大当たり乱数、及び大当たり用図柄乱数と一緒に取得された小当たり用図柄乱数がどの当選値と一致するかに基づいて、小当たり遊技中のＶ入賞により発生する２種大当たりの種類が決定される。
【０１１１】
図７（Ｅ）に例示されるように、小当たり用図柄乱数の取り得る範囲は、本実施形態では「０」〜「９９」である。これに対して、上述したように小当たり用図柄乱数の当選値が割り当てられているので、小当たり遊技中のＶ入賞により２種大当たりが発生した場合、３０／１００（＝３０％）の割合で「時短無し８Ｒ長当たり」となり、２０／１００（＝２０％）の割合で「時短無し４Ｒ長当たり」となり、５０／１００（＝５０％）の割合で「時短無し１５Ｒ長当たり」となる（図７（Ｅ）及び図５の右上図を参照）。
【０１１２】
一方、時短遊技状態で遊技が制御されているときに遊技球が第２始動装置１１２に入賞したタイミングで取得された大当たり乱数に基づいて小当たりであると判定された場合、この大当たり乱数及び大当たり用図柄乱数と一緒に取得された小当たり用図柄乱数に基づいて、小当たり遊技中にＶ入賞装置３０２に遊技球がＶ入賞することで発生する２種大当たりの種類が決定される。
【０１１３】
小当たり遊技中にＶ入賞装置３０２に遊技球がＶ入賞して２種大当たりが発生する場合の２種大当たりの種類として、図７（Ｅ）に例示されるように、「時短無し８Ｒ長当たり」と、「時短付き４Ｒ長当たり」と、「時短付き１５Ｒ長当たり」との３種類が用意されている。
【０１１４】
図７（Ｅ）に例示されるように、「時短無し８Ｒ長当たり」に関して「０」〜「２９」の３０個の当選値が予め記憶されており、「時短付き４Ｒ長当たり」に関して「３０」〜「４９」の２０個の当選値が予め記憶されており、「時短付き１５Ｒ長当たり」に関して「５０」〜「９９」の５０個の当選値が予め記憶されている。
【０１１５】
これに対して、時短遊技状態で遊技が制御されているときに遊技球が第２始動装置１１２に入賞して小当たりと判定された場合に、この第２始動装置入賞時に大当たり乱数、及び大当たり用図柄乱数と一緒に取得された小当たり用図柄乱数がどの当選値と一致するかに基づいて、小当たり遊技中のＶ入賞により発生する２種大当たりの種類が決定される。
【０１１６】
図７（Ｅ）に例示されるように、小当たり用図柄乱数の取り得る範囲は、本実施形態では「０」〜「９９」である。これに対して、上述したように小当たり用図柄乱数の当選値が割り当てられているので、小当たり遊技中のＶ入賞により２種大当たりが発生した場合、３０／１００（＝３０％）の割合で「時短無し８Ｒ長当たり」となり、２０／１００（＝２０％）の割合で「時短付き４Ｒ長当たり」となり、５０／１００（＝５０％）の割合で「時短付き１５Ｒ長当たり」となる（図７（Ｅ）及び図５の右下図を参照）。
【０１１７】
以上の説明から明らかなように、本実施形態では、図７に例示した各種テーブルを用いた判定処理を行うことによって、図５に基づいて上述した大当たりの内訳を実現している。
【０１１８】
［特別図柄の変動パターンの説明］
次に、図８を参照しつつ、特別図柄の変動パターンについて説明する。ここで、図８は、特別図柄の変動パターンを決定する処理に使用される変動パターンテーブルについて説明するための説明図である。
【０１１９】
第１始動装置１１１又は第２始動装置１１２に遊技球が入賞すると、大当たり乱数や図柄乱数と共に、特別図柄の変動パターンを選択する変動パターン選択処理に使用される変動パターン乱数が取得される。大当たり乱数に基づいて特別図柄判定が行われると、この大当たり乱数と一緒に始動装置入賞時に取得された変動パターン乱数に基づいて、第１特別図柄表示器２０１（又は第２特別図柄表示器２０２）において変動表示される特別図柄の変動パターンが選択される。その際、通常遊技状態のときに行われた特別図柄判定の判定結果が大当たりである場合には、図８（Ａ）に例示される通常遊技状態における大当たり用の変動パターンテーブルを参照して、特別図柄の変動パターンが選択される。なお、通常遊技状態においては、基本的に第２始動装置１１２に遊技球が入賞することがないため、第２特別図柄表示器２０２において第２特別図柄が変動表示されることはない。このため、図８（Ａ）に例示される変動パターンテーブルは、通常遊技状態における第１特別図柄の変動パターンを決定するために使用される。
【０１２０】
図８（Ａ）に例示されるように、通常遊技状態における大当たり用の変動パターンテーブルでは、変動パターン乱数と特別図柄（第１特別図柄）の変動パターンとが対応付けられている。変動パターン乱数の取り得る範囲は、本実施形態では「０」〜「９９」である。通常遊技状態のときに大当たりと判定されることになる大当たり乱数と一緒に第１始動装置入賞時に取得された変動パターン乱数が「０」〜「９」のいずれかである場合には変動時間が６０秒である第１変動パターンが選択され、「１０」〜「２９」のいずれかである場合には変動時間が８０秒である第２変動パターンが選択され、「３０」〜「５９」のいずれかである場合には変動時間が１２０秒である第３変動パターンが選択され、「６０」〜「９９」のいずれかである場合には変動時間が１６０秒である第４変動パターンが選択される。
【０１２１】
一方、時短遊技状態のときには、基本的には第２特別図柄判定が行われるが、通常遊技状態のときに保留された第１特別図柄判定が時短遊技状態に移行してから消化される場合がある。これら２つの場合で特別図柄判定の判定結果が大当たり（１種大当たり）となった場合、いずれの場合についても、図８（Ｂ）に例示される時短遊技状態における大当たり用の変動パターンテーブルを参照して、特別図柄の変動パターンが決定される。
【０１２２】
この時短遊技状態における大当たり用の変動パターンテーブルでは、図８（Ｂ）に例示されるように、変動パターン乱数の取り得る範囲と、第５変動パターンに対して割り当てられている乱数値とが一致している。このため、時短遊技状態のときに大当たりと判定されることになる大当たり乱数と一緒に第１始動装置入賞時或いは第２始動装置入賞時に取得された変動パターン乱数が「０」〜「９９」のいずれであったとしても、変動時間が１３秒である第５変動パターンが選択されることになる。
【０１２３】
一方、始動装置入賞時に取得された大当たり乱数に基づいて大当たりではないと判定された場合、すなわちハズレの場合、この大当たり乱数と一緒に始動装置入賞時に取得されたリーチ乱数に基づいて、遊技者に対して大当たりを期待させるリーチ演出を行うか否かが判定される。ここで、リーチ演出を行うと判定された場合には、リーチ用変動パターンテーブル（図８（Ｃ）参照）を参照して特別図柄の変動パターンが選択される。
【０１２４】
本実施形態では、リーチ用変動パターンテーブルとして、通常遊技状態で遊技が制御されているときに使用されるリーチ用変動パターンテーブルと、時短遊技状態で遊技が制御されているときに使用されるリーチ用変動パターンテーブルとが設けられている。
【０１２５】
通常遊技状態で遊技が制御されているときにリーチ演出を行うと判定された場合、図８（Ｃ）に例示されるように、この判定に使用されたリーチ乱数と始動装置入賞時（通常遊技状態であるため第１始動装置入賞時）に取得された変動パターン乱数が「０」〜「３９」のいずれかである場合には変動時間が６０秒である第６変動パターンが選択され、「４０」〜「６９」のいずれかである場合には変動時間が８０秒である第７変動パターンが選択され、「７０」〜「８９」のいずれかである場合には変動時間が１２０秒である第８変動パターンが選択され、「９０」〜「９９」のいずれかである場合には変動時間が１６０秒である第９変動パターンが選択される。
【０１２６】
また、時短遊技状態で遊技が制御されているときにリーチ演出を行うと判定された場合、図８（Ｃ）に例示されるように、この判定に使用されたリーチ乱数と始動装置入賞時（時短遊技状態であるため第２始動装置入賞時又は第１始動装置入賞時）に取得された変動パターン乱数が「０」〜「９９」のいずれであったとしても、変動時間が１３秒である第１０変動パターンが選択される。
【０１２７】
この第１０変動パターンは、第２特別図柄判定の判定結果が「ハズレ」である場合、又は通常遊技状態のときに保留された第１特別図柄判定が時短遊技状態に移行してから消化された際にハズレと判定された場合の一部について選択される。
【０１２８】
なお、図７（Ａ）及び（Ｂ）に基づいて上述したように、第１特別図柄判定の判定結果がハズレとなる割合が２３９／２４０と相対的に高いのに対して、第２特別図柄判定の判定結果がハズレとなる割合は、１／２４０と相対的に低い。このため、本実施形態では、時短遊技状態のときに第２特別図柄判定が行われてその判定結果がハズレとなる場合には、必ず第１０変動パターンが選択されてリーチ演出が行われるように、遊技球が第２始動装置１１２に入賞した際に取得されるリーチ乱数の当選値が予め設定されている。
【０１２９】
図８（Ｄ）は、通常遊技状態におけるハズレ用の変動パターンを選択するために使用される変動パターンテーブルを示している。この変動パターンテーブルは、通常遊技状態のときに第１始動装置１１１に遊技球が入賞して第１特別図柄判定が実行され、その判定結果がハズレであって、且つリーチ演出が行われない場合に、第１特別図柄の変動パターンを選択するために使用される。
【０１３０】
通常遊技状態におけるハズレ用変動パターンテーブルでは、図８（Ｄ）に例示されるように、第１特別図柄判定の保留数と、変動時間が相異なる変動パターンとが対応付けられている。通常遊技状態のときに第１特別図柄判定が消化されて、その判定結果がハズレであってリーチ演出も行われない場合、その第１特別図柄判定が消化される直前の第１特別図柄判定の保留数に基づいて、いずれかの変動パターンが選択される。
【０１３１】
具体的には、通常遊技状態のときに第１特別図柄判定が消化される直前の第１特別図柄判定の保留数が最大の「４」である場合には、変動時間が３秒である第１３変動パターンが選択され、第１特別図柄判定の保留数が「３」である場合には、変動時間が８秒である第１２変動パターンが選択され、第１特別図柄判定の保留数が「０」〜「２」のいずれかである場合には、変動時間が１３秒である第１１変動パターンが選択される。
【０１３２】
ところで、時短遊技状態で遊技が制御されているときには、第２特別図柄判定の判定結果が小当たりとなったことを条件として実行される小当たり遊技中に遊技球をＶ入賞させて２種大当たりを発生させるといった遊技が主に行われる。このため、通常遊技状態のときに保留された第１特別図柄判定が時短遊技状態に移行してから消化され、当該第１特別図柄判定の消化に必要以上に時間を要するのは好ましくない。
【０１３３】
そこで、本実施形態では、時短遊技状態のときに第１特別図柄判定が行われてその判定結果がハズレとなり、且つリーチ演出が行われない場合には、図８（Ｅ）に例示される時短遊技状態における第１始動装置入賞によるハズレ用変動パターンテーブルを参照して、第１特別図柄の変動パターンが決定される。
【０１３４】
図８（Ｅ）に例示されように、時短遊技状態における第１始動装置入賞によるハズレ用変動パターンテーブルでは、変動時間が２秒である第１４変動パターンに対して、変動パターン乱数の当選値として、「０」〜「９９」が割り当てられている。このため、時短遊技状態のときに第１特別図柄判定の判定結果がハズレとなり、且つリーチ演出が行われない場合には、図８（Ｅ）に例示される変動パターンテーブルが参照されて、必ず第１４変動パターンが選択されることになる。
【０１３５】
時短遊技状態のときに第１特別図柄判定に関してこのような変動パターンテーブルを参照して変動パターンを選択することにより、時短遊技状態のときに第１特別図柄判定の消化に必要以上に時間を要してしまうのを抑制することができる。
【０１３６】
図８（Ｆ）は、第２特別図柄判定の判定結果が小当たりとなった場合に、第２特別図柄の変動パターンを決定する際に参照される変動パターンテーブルである。
この小当たり用の変動パターンテーブルでは、図８（Ｆ）に例示されるように、変動時間が３秒である第１５変動パターンに対して、変動パターン乱数の当選値として、「０」〜「９９」が割り当てられている。時短遊技状態のときに第２特別図柄判定が行われたその判定結果が小当たりとなった場合、図８（Ｆ）に例示される変動パターンテーブルが参照されて、必ず第１５変動パターンが選択されることになる。
【０１３７】
ここで、時短遊技状態のときに１種大当たりが発生した場合の遊技の流れについて説明する。上述したように、時短遊技状態のときに第２特別図柄判定が行われてその判定結果が大当たり（いわゆる直撃当たり）となった場合、又は時短遊技状態のときに第１特別図柄判定が行われてその判定結果が大当たりとなった場合には、いずれも変動時間が１３秒の第５変動パターンが選択される。その一方で、時短遊技状態における第２特別図柄判定の判定結果が小当たりとなった場合には変動時間が３秒である第１５変動パターンが選択され、また、時短遊技状態における第２特別図柄判定の判定結果がハズレとなった場合、及び時短遊技状態における第１特別図柄判定の判定結果がハズレとなった場合の一部については、変動時間が１３秒である第１０変動パターンが選択される。
【０１３８】
このため、時短遊技状態で遊技が制御されているときには、遊技者は、特別図柄の変動時間が１３秒であるか否か、言い換えれば、主液晶表示装置１０５に表示されている装飾図柄の変動時間が１３秒であるか否かに基づいて、図柄変動終了後に、第２特別図柄判定に係る直撃当たり（１種当たり）、又は第１特別図柄判定に係る大当たり（１種当たり）が確定する可能性の有無を容易に把握することができる。
【０１３９】
第２特別図柄表示器２０２において第２特別図柄が１３秒間変動表示されてから大当たり図柄が停止表示された場合、上記直撃当たりが確定して、大当たり遊技として、４Ｒの長当たり遊技、８Ｒの長当たり遊技、又は１５Ｒの長当たり遊技が行われることになる（図５の右下図を参照）。これに対して、８Ｒの長当たり遊技が行われる場合には、この長当たり遊技が終了した後に遊技状態が必ず通常遊技状態に戻されることになる（図５の右下図、及び図７（Ｄ）を参照）。このため、遊技者は、第２特別図柄が１３秒間変動表示されたことに続いて８Ｒの長当たり遊技が行われることを認識した時点で、時短遊技状態が継続しないことを認識できてしまうことになる。このため、例えば大当たり遊技のオープニング演出において８Ｒの長当たり遊技が行われることが予告された時点で、遊技者が遊技意欲を大幅に低下させてしまうおそれがある。
【０１４０】
一方、時短遊技状態のときに第１特別図柄表示器２０１において第１特別図柄が１３秒間変動表示されてから大当たり図柄が停止表示された場合、１種大当たりが確定して、大当たり遊技として、短当たり遊技、４Ｒの長当たり遊技、又は８Ｒの長当たり遊技が行われることになる（図５の左下図を参照）。これに対して、８Ｒの長当たり遊技が行われる場合には、通常遊技状態のときの８Ｒ長当たりとは異なり、長当たり遊技終了後の遊技状態が再び時短遊技状態に設定される場合がある（図５の左下図、及び図７（Ｃ）を参照）。本実施形態では、時短遊技状態における第１特別図柄判定の判定結果が大当たりであった場合、全体の４０％の割合で時短付き８Ｒ長当たりが選択され、全体の１０％の割合で時短無し８Ｒ長当たりが選択される。このため、時短遊技状態における第１特別図柄判定に関して、８Ｒの長当たり遊技が終了した後に再び時短遊技状態に突入する確率は、８０％（＝４０／（４０＋１０）×１００）である。
【０１４１】
このように、時短遊技状態で遊技が制御されているときに第１特別図柄判定に係る１種大当たりが発生した場合には、８Ｒ長当たり遊技が行われたとしても時短が継続する場合がある。このため、主液晶表示装置１０５に装飾図柄が１３秒間変動表示された後に１種大当たりが発生して、その１種大当たりに応じて８Ｒの長当たり遊技が行われることとなった場合でも、少なくとも遊技状態が明確に報知されるまでは、遊技者が時短継続に対する期待感や遊技意欲を低下させることなく遊技を楽しむことができる。
【０１４２】
［大当たり遊技中の特別入賞領域の開放パターンと演出との説明］
次に、図９〜図１２を参照しつつ、大当たり遊技中の特別入賞領域の開放パターンと演出とについて説明する。
【０１４３】
図９は、短当たり遊技中の大入賞装置１１３の開放パターンと演出との一例について説明するための説明図である。
大当たりの種類として突然時短当たりが選択された場合、大当たり遊技として、図９に例示されるように、例えば、大入賞装置１１３を０．１秒間短開放する短開放ラウンド遊技を１６回繰り返す短当たり遊技が行われる。なお、図９における「ＯＰ」は、短当たり遊技におけるオープニングを意味し、「ＥＤ」は、短当たり遊技におけるエンディングを意味している。
【０１４４】
これに対して、通常遊技状態のときに突然時短当たりとなった場合には、短当たり遊技中に、時短遊技状態に移行することを示唆するＲＵＳＨ突入予告演出が行われる。このＲＵＳＨ突入予告演出は、具体的には、例えば主液晶表示装置１０５、回転表示装置１４０、副液晶表示装置１５０のうち少なくとも１つ（以下、「主液晶表示装置１０５など」と呼ぶ）に時短遊技状態への移行を示唆する演出表示を行った後に「ＲＵＳＨ突入」といったメッセージを表示する演出である。
【０１４５】
また、時短遊技状態のときに突然時短当たりとなった場合には、短当たり遊技中に、時短遊技状態が継続することを示唆するＲＵＳＨ継続予告演出が行われる。このＲＵＳＨ継続演出は、具体的には、例えば主液晶表示装置１０５などに時短遊技状態への移行を示唆する演出表示を行った後に「ＲＵＳＨ継続」といったメッセージを表示する演出である。
【０１４６】
本実施形態では、通常遊技状態における突然時短当たり、及び時短遊技状態における突然時短当たりのいずれの突然時短当たりとなった場合にも遊技状態が必ず時短遊技状態に移行するので、短当たり遊技のオープニング開始からエンディング終了に亘って、一連のＲＵＳＨ突入（或いは継続）予告演出が行われる。
【０１４７】
図１０は、４Ｒ長当たり遊技中の大入賞装置１１３又は特定入賞装置１１９の開放パターンと演出との一例について説明するための説明図である。
大当たりの種類として４Ｒ長当たりが選択された場合、大当たり遊技として、図１０に例示されるように、例えば、大入賞装置１１３を開放してから所定条件を満たすまで大入賞装置１１３を開放した状態を維持する４回の長開放ラウンド遊技を行った後に、大入賞装置１１３を０．１秒間短開放する短開放ラウンド遊技を１２回繰り返す実質４Ｒの長当たり遊技が行われる。
【０１４８】
これに対して、通常遊技状態のときに時短付き４Ｒ長当たりに当選した場合、すなわち通常遊技状態のときに４Ｒ長当たりとなって４Ｒの長当たり遊技の終了後に時短遊技状態に移行する場合、例えば、４Ｒの長当たり遊技のオープニング（ＯＰ）中には、所定のオープニング演出が行われ、４回の長開放ラウンド遊技が行われている間は、現在のラウンド数や払出賞球数等を主液晶表示装置１０５などに表示する所定のラウンド中演出が行われる。次に、大入賞装置１１３の短開放ラウンド遊技が繰り返されている間は、時短遊技状態に移行することを分かり易く報知するために、例えば、敵キャラクタとのバトルを行って最終的に勝利する様子を表すチャレンジゲームの映像が主液晶表示装置１０５などを用いて表示される。そして、エンディング（ＥＤ）では、ＲＵＳＨ突入演出として、「ＲＵＳＨ突入」といったメッセージが主液晶表示装置１０５などに表示される。
【０１４９】
また、時短遊技状態のときに時短付き４Ｒ長当たりに当選した場合、すなわち時短遊技状態のときに４Ｒ長当たりとなって４Ｒの長当たり遊技の終了後に再び時短遊技状態で遊技が制御される場合、４回の長開放ラウンド遊技中とそれに続く短開放ラウンド遊技中には、上述した所定のラウンド中演出とチャレンジゲーム（成功）とが行われ、エンディング（ＥＤ）では、ＲＵＳＨ継続演出として、「ＲＵＳＨ継続」といったメッセージが主液晶表示装置１０５などに表示される。
【０１５０】
また、時短遊技状態のときに時短無し４Ｒ長当たりに当選した場合、すなわち時短遊技状態のときに４Ｒ長当たりとなって４Ｒの長当たり遊技の終了後に通常遊技状態で遊技が制御されることになる場合、短開放ラウンド遊技が繰り返されている間は、時短遊技状態が継続しないことを分かり易く報知するために、例えば、敵キャラクタとのバトルを行って最終的に敗北する様子を表すチャレンジゲームの映像が主液晶表示装置１０５に表示される。そして、エンディング（ＥＤ）では、ＲＵＳＨ非突入演出として、「チャレンジ失敗」といったメッセージが主液晶表示装置１０５などに表示される。
【０１５１】
この図１０に基づく説明から明らかなように、本実施形態におけるパチンコ遊技機１では、通常遊技状態のときに第１特別図柄判定の判定結果が大当たりとなって４Ｒ長当たりが選択され、４Ｒ長当たり遊技の終了後に時短遊技状態で遊技が制御される場合（図１０における上段のケース）、４Ｒ長当たり遊技が実行されているときに、時短遊技状態のときに第１特別図柄判定の判定結果が大当たりとなって４Ｒ長当たりが選択され、且つ４Ｒ長当たり遊技終了後に通常遊技状態で遊技が制御される場合の４Ｒ長当たり遊技中の遊技演出（図１０の下段の演出）とは異なる遊技演出が行われる。
【０１５２】
このため、大当たり遊技の種類が同じ４Ｒ長当たりであったとしても４Ｒ長当たり遊技中に相異なる遊技演出が行われるので、遊技者は、４Ｒ長当たり遊技終了後の遊技状態を、４Ｒ長当たり遊技が終了する前に容易に認識することができる。
【０１５３】
図１１は、８Ｒ長当たり遊技中の大入賞装置１１３又は特定入賞装置１１９の開放パターンと演出とについて説明するための説明図である。
大当たりの種類として８Ｒ長当たりが選択された場合、大当たり遊技として、図１１に例示されるように、例えば、大入賞装置１１３を開放してから所定条件を満たすまで大入賞装置１１３を開放した状態を維持する４回の長開放ラウンド遊技を行い、大入賞装置１１３を０．１秒間短開放する短開放ラウンド遊技を８回繰り返し、その後、再び４回の長開放ラウンド遊技を行う実質８Ｒの長当たり遊技が行われる。
【０１５４】
これに対して、通常遊技状態のときに時短無し８Ｒ長当たりに当選した場合、すなわち通常遊技状態のときに８Ｒ長当たりとなって８Ｒの長当たり遊技の終了後に通常遊技状態で遊技が制御される場合、最初の４回の長開放ラウンド遊技が行われているときには所定のラウンド中演出が行われ、大入賞装置１１３の８回の短開放ラウンド遊技が繰り返されている間は、時短遊技状態に移行しないことを分かり易く報知するために、例えば、敵キャラクタとのバトルを行って最終的に敗北する様子を表すチャレンジゲームの映像が主液晶表示装置１０５などを用いて表示される。そして、後半の４回の長開放ラウンド遊技中には所定のラウンド中演出が行われ、エンディング（ＥＤ）では、ＲＵＳＨ非突入演出として、「チャレンジ失敗」といったメッセージが主液晶表示装置１０５などに表示される。
【０１５５】
また、時短遊技状態のときに時短無し８Ｒ長当たりに当選した場合、すなわち時短遊技状態のときに８Ｒ長当たりとなって８Ｒの長当たり遊技の終了後に通常遊技状態で遊技が制御される場合、４回の長開放ラウンド遊技中、８回の短開放ラウンド遊技中、及び後半の４回の長開放ラウンド遊技中は、上述したのと同様に所定のラウンド中演出、チャレンジゲーム（失敗）、及び所定のラウンド中演出が行われる。そして、エンディング（ＥＤ）では、ＲＵＳＨ終了演出として、「チャレンジ失敗」といったメッセージが主液晶表示装置１０５などに表示される。
【０１５６】
また、時短遊技状態のときに時短付き８Ｒ長当たりに当選した場合、すなわち時短遊技状態のときに８Ｒ長当たりとなって８Ｒの長当たり遊技の終了後に再び時短遊技状態で遊技が制御されることになる場合、上述した例と同様に、時短遊技状態が継続することを分かり易く報知するために、大入賞装置１１３の８回の短開放ラウンド遊技中は、敵キャラクタとのバトルを行って最終的に敗北する様子を表すチャレンジゲームの映像が主液晶表示装置１０５に表示される。そして、エンディング（ＥＤ）では、ＲＵＳＨ継続演出として、「ＲＵＳＨ継続」といったメッセージが主液晶表示装置１０５などに表示される。
【０１５７】
なお、他の実施形態としては、８回の短開放ラウンド遊技中に、敵キャラクタとのバトルを行って最終的に勝利する様子を表すチャレンジゲームの映像を表示することによって、時短付き４Ｒ長当たり遊技（図１０の中段の演出を参照）が行われているように見せ掛けた後に、後半の４回の長開放ラウンド遊技中は、ボーナスラウンドを獲得したように見せ掛ける演出を行うようにしてもよい。
【０１５８】
この図１１に基づく説明から明らかなように、本実施形態におけるパチンコ遊技機１では、通常遊技状態のときに第１特別図柄判定の判定結果が大当たりとなって８Ｒ長当たりが選択され、８Ｒ長当たり遊技の終了後に通常遊技状態で遊技が制御される場合（図１１における上段のケース）、８Ｒ長当たり遊技が実行されているときに、時短遊技状態のときに第１特別図柄判定の判定結果が大当たりとなって８Ｒ長当たりが選択され、且つ８Ｒ長当たり遊技終了後に時短遊技状態で遊技が制御される場合の８Ｒ長当たり遊技中の遊技演出（図１１の下段の演出）とは異なる遊技演出が行われる。
【０１５９】
このため、大当たり遊技の種類が同じ８Ｒ長当たりであったとしても８Ｒ長当たり遊技中に相異なる遊技演出が行われるので、遊技者は、８Ｒ長当たり遊技終了後の遊技状態を、８Ｒ長当たり遊技が終了する前に容易に認識することができる。
【０１６０】
図１２は、１５Ｒ長当たり遊技中の大入賞装置１１３又は特定入賞領域１９の開放パターンと演出との一例について説明するための説明図である。
本実施形態では、１５Ｒ長当たりは、時短遊技状態のときに行われた第２特別図柄判定で直撃大当たりとなった場合、又は時短遊技状態の小当たり遊技中に遊技球がＶ入賞装置３０２にＶ入賞した場合に選択される。
【０１６１】
本実施形態では、１５Ｒ長当たり遊技用の大入賞装置１１３の開放パターンが２種類用意されている。１つ目は、１５Ｒ未満の長当たり遊技であると見せ掛けておいて１５Ｒの長当たり遊技に昇格したように見せるいわゆる昇格演出を行うための開放パターンである（図１２（Ｂ）参照）。２つ目は、この昇格演出を行わない場合の開放パターンである（図１２（Ａ）参照）。
【０１６２】
大当たりの種類として１５Ｒ長当たりが選択され、且つ昇格演出を行わない場合、図１２（Ａ）に例示されるように、例えば、大入賞装置１１３を開放してから所定条件を満たすまで大入賞装置１１３を開放した状態を維持する１５回の長開放ラウンド遊技が行われる。
【０１６３】
これに対して、時短遊技状態のときに１５Ｒ長当たりに当選した場合、例えば、１５Ｒの長当たり遊技のオープニング（ＯＰ）中には、１５Ｒの大当たりであることを報知する所定のオープニング演出が行われ、１５回の長開放ラウンド遊技が行われている間は、現在のラウンド数や払出賞球数等を主液晶表示装置１０５などに表示する所定のラウンド中演出が行われる。そして、１５Ｒ長当たり遊技が行われた場合には必ず時短遊技状態に移行するため、エンディング（ＥＤ）では、ＲＵＳＨ継続演出として、「ＲＵＳＨ継続」といったメッセージが主液晶表示装置１０５などに表示される。
【０１６４】
一方、１５Ｒの長当たり遊技中に昇格演出を行う場合、図１２（Ｂ）に例示されるように、オープニング（ＯＰ）に続いて、４回の長開放ラウンド遊技が行われ、次に、大入賞装置１１３の複数の短開放動作と１回の長開放動作とから構成される５ラウンド目のラウンド遊技が行われる。そして、５ラウンド目のラウンド遊技に続いて、長開放ラウンド遊技が１０回繰り返される。
【０１６５】
これに対して、まず、オープニング（ＯＰ）において、１５ラウンドの長当たり遊技であるとは認識できない態様で、所定のオープニング演出が行われる。そして、５ラウンド目のラウンド遊技が開始されると、まず、４ラウンドで終了すると思われていた長開放ラウンド遊技が１５ラウンド目まで継続することを報知する昇格演出が行われ、これに続いて、５ラウンド目のラウンド遊技における長開放ラウンド遊技中には、所定のラウンド中演出が行われる。
【０１６６】
なお、オープニング演出と５ラウンド目のラウンド遊技中に行われる昇格演出以外の演出は、図１２（Ａ）に基づいて上述したものと同じである。
［時短遊技状態における第２特別図柄変動時の演出の説明］
本実施形態では、第２特別図柄の変動中に、大当たり遊技に近い状態にあることを示す演出を行うようにした。具体的には、図１３（Ａ）に例示されるように、味方キャラクタが「Ｖ」の文字が書かれた風船をキャッチしようとして追いかけるような演出が主液晶表示装置１０５などを用いて表示される。
【０１６７】
時短遊技状態のときに行われた第２特別図柄判定で直撃大当たりとなった場合の１種大当たりでは、上述した例では、図１３（Ｂ）に示すように、味方キャラクタが「Ｖ」の文字が書かれた風船をキャッチする演出が主液晶表示装置１０５などを用いて表示される。
【０１６８】
同様に、第２特別図柄の停止後、小当たり遊技中にＶ入賞装置３０２に遊技球がＶ入賞した場合には、同様に、味方キャラクタが「Ｖ」の文字が書かれた風船をキャッチする演出が主液晶表示装置１０５などを用いて表示される（図１３（Ｂ）参照）。
【０１６９】
一方、第２特別図柄判定で「ハズレ」となった場合、又は、第２特別図柄の停止後、小当たり遊技中にＶ入賞装置３０２に遊技球がＶ入賞しなかった場合には、味方キャラクタが「Ｖ」の文字が書かれた風船を取り逃がす演出が主液晶表示装置１０５などを用いて表示される。
【０１７０】
これにより、大当たりに近づいている様子が遊技者にとって目の当たりにできることになり、遊技の興趣を向上させることができる。
ところで、上述したように、時短遊技状態で遊技が制御されているときに遊技球が第２始動装置１１２に入賞して大当たりと判定された場合に、この第２始動装置入賞時に大当たり乱数と一緒に取得された大当たり用図柄乱数がどの当選値と一致するかに基づいて、大当たりの種類が決定される。
【０１７１】
一方、時短遊技状態で遊技が制御されているときに遊技球が第２始動装置１１２に入賞したタイミングで取得された大当たり乱数に基づいて小当たりであると判定された場合、この大当たり乱数及び大当たり用図柄乱数と一緒に取得された小当たり用図柄乱数に基づいて、小当たり遊技中にＶ入賞装置３０２に遊技球がＶ入賞することで発生する２種大当たりの種類が決定される。
【０１７２】
図１４は、第２始動装置入賞からの大当たり遊技の内訳を示す。これは、１種大当たり及び２種大当たりを含むものである。
（１）時短付き１５Ｒ大当たりは、小当たり遊技中にＶ入賞装置３０２に遊技球がＶ入賞することで発生する２種大当たりである。図１２（Ａ）に例示されるように、大入賞装置１１３を開放してから所定条件を満たすまで大入賞装置１１３を開放した状態を維持する１５回の長開放ラウンド遊技が行われる。
【０１７３】
（２）時短付き１５Ｒ大当たり（昇格演出あり）は、小当たり遊技中にＶ入賞装置３０２に遊技球がＶ入賞することで発生する２種大当たりである。図１２（Ｂ）に例示されるように、オープニング（ＯＰ）に続いて、４回の長開放ラウンド遊技が行われ、次に、大入賞装置１１３の複数の短開放動作と１回の長開放動作とから構成される５ラウンド目のラウンド遊技が行われる。そして、５ラウンド目のラウンド遊技に続いて、長開放ラウンド遊技が１０回繰り返される。なお、大入賞装置１１３の複数の短開放動作中における昇格演出は、チャレンジゲームの映像としてもよく、この意味では、チャレンジゲーム有りの大当たり遊技である。
【０１７４】
（３）時短付き４Ｒ長当たりは、小当たり遊技中にＶ入賞装置３０２に遊技球がＶ入賞することで発生する２種大当たりである。図１０の中段に例示されるように、オープニング（ＯＰ）に続いて、４回の長開放ラウンド遊技が行われ、その後、１２回の短開放ラウンド遊技が繰り返される。短開放ラウンド遊技では、チャレンジゲームの映像が主液晶表示装置１０５などを用いて表示される。
【０１７５】
（４）時短付き１５Ｒ長当たり（直撃）は、遊技球が第２始動装置１１２に入賞して大当たりと判定される１種大当たりである。図１２（Ａ）に例示されるように、大入賞装置１１３を開放してから所定条件を満たすまで大入賞装置１１３を開放した状態を維持する１５回の長開放ラウンド遊技が行われる。
【０１７６】
（５）時短付き４Ｒ長当たり（直撃）は、遊技球が第２始動装置１１２に入賞して大当たりと判定される１種大当たりである。図１０の中段に例示されるように、オープニング（ＯＰ）に続いて、４回の長開放ラウンド遊技が行われ、その後、１２回の短開放ラウンド遊技が繰り返される。短開放ラウンド遊技では、チャレンジゲームの映像が主液晶表示装置１０５などを用いて表示される。
【０１７７】
なお、（１）〜（５）に示した大当たり遊技では、その後、必ず時短遊技状態に移行する。
（６）時短無し８Ｒ長当たりは、小当たり遊技中にＶ入賞装置３０２に遊技球がＶ入賞することで発生する２種大当たりである。図１１の中段に例示されるように、オープニング（ＯＰ）に続いて、４回の長開放ラウンド遊技が行われ、次に８回の短開放ラウンド遊技が繰り返された後、４回の長開放ラウンド遊技が行われる。短開放ラウンド遊技では、チャレンジゲームの映像が主液晶表示装置１０５などを用いて表示される。
【０１７８】
（７）時短無し８Ｒ長当たり（直撃）は、遊技球が第２始動装置１１２に入賞して大当たりと判定される１種大当たりである。図１１の中段に例示されるように、オープニング（ＯＰ）に続いて、４回の長開放ラウンド遊技が行われ、次に８回の短開放ラウンド遊技が繰り返された後、４回の長開放ラウンド遊技が行われる。短開放ラウンド遊技では、チャレンジゲームの映像が主液晶表示装置１０５などを用いて表示される。
【０１７９】
なお、（６）、（７）に示した大当たり遊技では、その後、必ず通常遊技状態に戻る。
これら（１）〜（７）の大当たり遊技の振り分けは、上述したように、大当たり用図柄乱数及び小当たり用図柄乱数に基づいて行われる。大当たり用図柄乱数及び小当たり用図柄乱数は、第２始動装置入賞時に取得される。したがって、時短遊技状態のときに行われた第２特別図柄判定で直撃大当たりとなった場合の１種大当たりはもちろん、小当たり遊技中にＶ入賞装置３０２に遊技球がＶ入賞することで発生する２種大当たりの種類も、第２特別図柄の変動停止の前に、すなわち小当たり遊技中にＶ入賞装置３０２に遊技球がＶ入賞するか否かにかかわらず取得可能である。
【０１８０】
そこで、本実施形態では、第２特別図柄判定で直撃大当たり（図１４中の（４）、（５））となった場合の１種大当たりに際し、第２特別図柄の変動時に、大当たり遊技の終了後に時短遊技状態で遊技が制御されることを示唆する演出を行うことを可能にした。つまり、第２特別図柄判定で直撃大当たりとなった場合の１種大当たりでは、大当たり遊技終了後の遊技状態を示唆する演出が可能となっているのである。「可能」とあるのは、所定の割合（確率）で行うことを意味する。もちろん、必ず示唆演出を行うようにしてもよい。
【０１８１】
具体的には、図１３（Ｃ）に例示されるように、「Ｖ」の文字に代えて、「ＲＵＳＨ継続」のメッセージが書かれた風船を追いかける演出が主液晶表示装置１０５などを用いて表示される。もちろん、「Ｖ」の文字に加えて「ＲＵＳＨ継続」のメッセージが書かれた風船であってもよい。あるいは、特別のキャラクタや特別のマークが書かれた風船であってもよい。
【０１８２】
これにより、大当たりとなったことが報知される前の段階で、すなわち第２特別図柄の停止前に、遊技者は、図１３（Ｃ）に例示される風船を捕まえることで大当たり遊技が行われた場合には、大当たり遊技終了後に時短遊技状態に移行することを容易に認識することができ、遊技の興趣を向上させることができる。つまり、本実施形態によれば、大当たり遊技に関連する示唆演出を、大当たり遊技の開始に先立って行うことができ、遊技の興趣を向上させることができる。
【０１８３】
また、本実施形態では、第２特別図柄判定で「ハズレ」となった場合にも、第２特別図柄の変動時に、大当たり遊技の終了後に時短遊技状態で遊技が制御されることを示唆する演出を行うことを可能にした。この場合、味方キャラクタが「ＲＵＳＨ継続」の文字が書かれた風船を取り逃がす演出が主液晶表示装置１０５などを用いて表示される。遊技者は、図１３（Ｃ）に例示される風船を取り逃がすまでは、時短遊技状態への移行を期待することになり、遊技の興趣を向上させることができる。
【０１８４】
なお、ここでは時短付き１５Ｒ長当たり（直撃）、時短付き４Ｒ長当たり（直撃）について、大当たり遊技の終了後に時短遊技状態で遊技が制御されることを示唆する演出を行うこととしたが、例えば８Ｒ長当たり（直撃）について、大当たり遊技の終了後に通常遊技状態で遊技が制御されることを示唆する演出を行うようにしてもよい。また、時短付き、時短無しにかかわらず、大当たり遊技の終了後に時短遊技状態で遊技が制御されることを示唆する演出を行ったり、大当たり遊技の終了後に通常遊技状態で遊技が制御されることを示唆する演出を行ったりしてもよい。ただし、時短無しの８Ｒ長当たり（直撃）であるにもかかわらず「ＲＵＳＨ継続」のメッセージの書かれた風船を登場させると時短遊技状態へ移行しないことで遊技の興趣を低下させる虞がある。したがって、「ＲＵＳＨ継続？」というように未確定であることを示す「？」をメッセージに含めてもよい。
【０１８５】
本実施形態では、第２特別図柄判定で直撃大当たりとなった場合の１種大当たり、又は、第２特別図柄判定で「ハズレ」となった場合に際し、大当たり終了後の遊技状態を示唆する演出を行うようにした。言い換えれば、小当たり遊技中にＶ入賞装置３０２に遊技球がＶ入賞することで発生する２種大当たりに際しては、大当たり終了後の遊技状態を示唆する演出を行わない。これにより、例えば大当たり遊技の終了後に時短遊技状態で遊技が制御されることを示唆する演出を待って、小当たり時の止め打ちを誘発することがなく、適正に遊技が制御される。
【０１８６】
以下、上述したような大当たりの内訳や大当たり遊技中の遊技演出等を実現するためのパチンコ遊技機１の内部構成やパチンコ遊技機１で行われる処理について、詳細に説明する。
【０１８７】
［パチンコ遊技機１の制御装置の構成］
遊技盤１０２の裏面側には、賞球として払い出される遊技球を溜めておく球タンクの他に、パチンコ遊技機１の動作を制御する制御装置が設けられている。図１５に例示されるように、パチンコ遊技機１の制御装置は、判定の実行や演出制御基板１５３０へのコマンド送信処理等を制御する遊技制御基板１５００、遊技制御基板１５００から受信したコマンドに基づいて演出を統括的に制御する演出制御基板１５３０、画像や音による演出を制御する画像音響制御基板１５４０、各種のランプや回転表示装置１４０による演出を制御するランプ制御基板１５５０等から構成されている。本実施形態では、遊技制御基板１５００が遊技の進行を制御する遊技制御部として機能し、演出制御基板１５３０、画像音響制御基板１５４０、及びランプ制御基板１５５０が演出を制御する演出制御部として機能する。
【０１８８】
［遊技制御基板１５００の構成例］
遊技制御基板１５００は、メインＣＰＵ１５０１、メインＲＯＭ１５０２、及びメインＲＡＭ１５０３を備えている。メインＣＰＵ１５０１は、メインＲＯＭ１５０２に記憶されたプログラム等に基づいて、判定や払い出し賞球数に関連する各種の演算処理を行う。メインＲＡＭ１５０３は、メインＣＰＵ１５０１が上記プログラムを実行する際に用いる各種データを一時的に記憶する記憶領域又はデータ処理などの作業領域として使用される。
【０１８９】
遊技制御基板１５００には、第１始動装置スイッチ１５１１、第２始動装置スイッチ１５１２、電動チューリップ開閉部１５１３、ゲートスイッチ１５１４、大入賞装置スイッチ１５１５、大入賞装置制御部１５１６、普通入賞装置スイッチ１５１７、特定入賞装置スイッチ１５１８、特定領域開閉部１５１９、Ｖ入賞装置スイッチ１５２０、ハズレ入賞装置スイッチ１５２１、Ｖ入賞装置開閉部１５２２、及び表示器１０４を構成する各表示器２０１〜２０６が接続されている。
【０１９０】
第１始動装置スイッチ１５１１は、第１始動装置１１１に遊技球が入賞したことを検知して、その検知信号を遊技制御基板１５００に出力する。第２始動装置スイッチ１５１２は、第２始動装置１１２に遊技球が入賞したことを検知して、その検知信号を遊技制御基板１５００に出力する。電動チューリップ開閉部１５１３は、遊技制御基板１５００からの制御信号に応じて、電動チューリップ１１７の一対の羽根部材に駆動伝達可能に連結された電動ソレノイドを作動させることによって、第２始動装置１１２を開閉する。ゲートスイッチ１５１４は、遊技球がゲート１１６を通過したことを検知して、その検知信号を遊技制御基板１５００に出力する。大入賞装置スイッチ１５１５は、大入賞装置１１３に遊技球が入賞したことを検知して、その検知信号を遊技制御基板１５００に出力する。大入賞装置制御部１５１６は、遊技制御基板１５００からの制御信号に応じて、大入賞装置１１３を閉塞するプレートに駆動伝達可能に連結された電動ソレノイドを作動させることによって、大入賞装置１１３を開閉する。普通入賞装置スイッチ１５１７は、遊技球が普通入賞装置１１４に入賞したことを検知して、その検知信号を遊技制御基板１５００に出力する。
【０１９１】
特定入賞装置スイッチ１５１８は、遊技球が特定入賞装置１１９に入賞したことを検知して、その検知信号を遊技制御基板１５００に出力する。特定領域開閉部１５１９は、遊技制御基板１５００からの制御信号に応じて、羽根部材１９０に駆動伝達可能に連結された電動ソレノイドを作動させることによって、特定入賞装置１１９を開閉する。Ｖ入賞装置スイッチ１５２０は、遊技球がＶ入賞装置３０２に入賞したことを検知して、その検知信号を遊技制御基板１５００に出力する。ハズレ入賞装置スイッチ１５２１は、遊技球がハズレ入賞装置３０３に入賞したことを検知して、その検知信号を遊技制御基板１５００に出力する。Ｖ入賞装置開閉部１５２２は、スライド部材３０４に駆動伝達可能に連結された電動ソレノイドを作動させることによって、Ｖ入賞装置３０２を開閉する。
【０１９２】
遊技制御基板１５００のメインＣＰＵ１５０１は、第１始動装置スイッチ１５１１、第２始動装置スイッチ１５１２、大入賞装置スイッチ１５１５、普通入賞装置スイッチ１５１７、Ｖ入賞装置スイッチ１５２０、又はハズレ入賞装置スイッチ１５２１からの検知信号が入力されると、遊技球が入賞した場所に応じた所定数の賞球の払い出しを払出制御基板（不図示）に指示し、払出制御基板からの情報に基づいて、払い出す賞球の個数を管理する。
【０１９３】
この払出制御基板は、遊技盤１０２の裏面側に設けられている球タンクから皿１２８へ賞球を送り出す駆動モータ等を有して構成されている。
メインＣＰＵ１５０１は、第１始動装置スイッチ１５１１からの検知信号が入力されたタイミングで取得情報としての各種乱数を取得し、取得した乱数を用いて第１特別図柄判定を実行する。また、メインＣＰＵ１５０１は、第２始動装置スイッチ１５１２からの検知信号が入力されたタイミングで取得情報としての各種乱数を取得し、取得した乱数を用いて第２特別図柄判定を実行する。そして、「大当たり」であると判定した場合には、大入賞装置制御部１５１６を介して大入賞装置１１３を開閉する。
【０１９４】
また、メインＣＰＵ１５０１は、第２特別図柄判定の結果が小当たりであると判定した場合には、特定領域開閉部１５１９を介して羽根部材１９０を作動させることで特定入賞装置１１９を開閉すると共に、Ｖ入賞装置開閉部１５２２を介してスライド部材３０４を作動させることでＶ入賞装置３０２を開閉する。そして、スライド部材３０４の作動中にＶ入賞装置３０２に遊技球が入賞した場合、「大当たり」であると判定した場合と同様に、大入賞装置制御部１５１６を介して大入賞装置１１３を開閉する。
【０１９５】
また、メインＣＰＵ１５０１は、ゲートスイッチ１５１４からの検知信号が入力されたタイミングで乱数を取得し、取得した乱数を用いて普通図柄判定を実行する。そして、第２始動装置１１２を開放すると判定した場合、電動チューリップ開閉部１５１３を介して電動チューリップ１１７を作動させることによって、第２始動装置１１２を一時的に開放する。
【０１９６】
また、メインＣＰＵ１５０１は、表示器１０４を構成する各表示器２０１〜２０６に対して、図２に基づいて上述した処理を実行させる。
［演出制御基板１５３０の構成例］
演出制御基板１５３０は、サブＣＰＵ１５３１、サブＲＯＭ１５３２、サブＲＡＭ１５３３、及びＲＴＣ（リアルタイムクロック）１５３４を備えている。サブＣＰＵ１５３１は、サブＲＯＭ１５３２に記憶されたプログラムに基づいて、演出を制御する際の演算処理を行う。サブＲＡＭ１５３３は、サブＣＰＵ１５３１が上記プログラムを実行する際に用いる各種データを一時的に記憶する記憶領域又はデータ処理などの作業領域として使用される。ＲＴＣ１５３４は、現時点の日時（日付及び時刻）を計測する。
【０１９７】
サブＣＰＵ１５３１は、遊技制御基板１５００から送信される特別図柄判定や普通図柄判定、特別遊技等に関する遊技情報に基づいて、通常演出の演出内容を設定する。その際、演出ボタン１２６又は演出キー１２７からの操作情報の入力を受け付けて、その操作情報に応じた演出内容を設定する場合もある。また、サブＣＰＵ１５３１は、設定した演出内容の演出の実行を指示するコマンドを画像音響制御基板１５４０及びランプ制御基板１５５０に送信する。
【０１９８】
［画像音響制御基板１５４０の構成例］
画像音響制御基板１５４０は、図には示されていないが、統括ＣＰＵ、制御用ＲＯＭ、及び制御用ＲＡＭを備えている。統括ＣＰＵは、制御用ＲＯＭに記憶されたプログラムに基づいて、演出制御基板１５３０において演出内容が設定された演出を表現する画像を制御する際の演算処理を行う。図には示されていないが、画像音響制御基板１５４０は、主液晶表示装置１０５及び副液晶表示装置１５０に表示される演出画像を生成するＶＤＰ（Video Display Processor）、及びスピーカ１２４から出力される音響データを生成する音響ＤＳＰ（Digital Signal Processor）を備えている。統括ＣＰＵは、演出制御基板１５３０からのコマンド及び制御用ＲＯＭに記憶されているプログラムに基づいて制御信号を生成してＶＤＰ及び音響ＤＳＰに出力することによって、ＶＤＰ及び音響ＤＳＰの動作を制御する。
【０１９９】
音響ＤＳＰには、楽曲や音声、効果音等に関する各種音響データを記憶する音響用ＲＯＭと、音響ＤＳＰによるデータ処理等の作業領域として使用されるＳＤＲＡＭが接続されている。音響ＤＳＰは、統括ＣＰＵからの制御信号に対応する音響データを音響用ＲＯＭからＳＤＲＡＭに読み出してデータ処理を実行し、データ処理後の音響データをスピーカ１２４へ出力する。
【０２００】
ＶＤＰは、演出画像の生成に必要な素材データを記憶する画像用ＲＯＭ、演出画像の描画処理を実行する描画エンジン、及び描画エンジンによって描画された演出画像を主液晶表示装置１０５及び副液晶表示装置１５０に出力する出力回路を有している。描画エンジンは、統括ＣＰＵからの制御信号に基づいて、画像用ＲＯＭに記憶されている素材データを用いて、フレームバッファに演出画像を描画する。出力回路は、このフレームバッファに描画された演出画像を所定のタイミングで主液晶表示装置１０５及び副液晶表示装置１５０に出力する。
【０２０１】
［ランプ制御基板１５５０の構成例］
ランプ制御基板１５５０は、図には示されていないが、ＣＰＵ、ＲＯＭ、及びＲＡＭを備えている。ランプ制御基板１５５０のＣＰＵは、ＲＯＭに記憶されたプログラムに基づいて、枠ランプ１２５や回転表示装置１４０、上部可動役物１６０の動作を制御する際の演算処理を行う。ランプ制御基板１５５０のＲＡＭは、ＣＰＵが上記プログラムを実行する際に用いる各種データを一時的に記憶する記憶領域又はデータ処理などの作業領域として使用される。
【０２０２】
ランプ制御基板１５５０のＲＯＭには、発光パターンデータ及び動作パターンデータが記憶されている。ここで、発光パターンデータは、枠ランプ１２５や回転表示装置１４０、上部可動役物１６０が備える発光素子のそれぞれの発光パターンを示すデータである。動作パターンデータは、回転表示装置１４０及び上部可動役物１６０の動作パターンを示すデータである。
【０２０３】
ランプ制御基板１５５０のＣＰＵは、ＲＯＭに記憶された発光パターンデータの中から、演出制御基板１５３０から受信したコマンドに対応する発光パターンデータをＲＡＭに読み出して、枠ランプ１２５や回転表示装置１４０、上部可動役物１６０の発光素子の発光を制御する。また、ランプ制御基板１５５０のＣＰＵは、ＲＯＭに記憶された動作パターンデータの中から、演出制御基板１５３０から受信したコマンドに対応する動作パターンデータをＲＡＭに読み出して、回転表示装置１４０及び上部可動役物１６０を動作させるモータの駆動を制御する。
【０２０４】
［遊技制御基板１５００によるタイマ割込み処理］
次に、図１６を参照しつつ、遊技制御基板１５００において実行されるタイマ割込み処理について説明する。ここで、図１６は、遊技制御基板１５００において実行されるタイマ割込み処理の一例を示すフローチャートである。遊技制御基板１５００は、電源投入時や電源断時等の特殊な場合を除く通常の動作時において、図１６に例示されている一連の処理を一定時間（例えば４ミリ秒）毎に繰り返し実行する。なお、図１６以降のフローチャートに基づいて説明する遊技制御基板１５００の処理は、メインＲＯＭ１５０２に記憶されているプログラムに基づいてメインＣＰＵ１５０１が発行する命令に従って行われる。
【０２０５】
まず、メインＣＰＵ１５０１は、大当たり乱数、大当たり用図柄乱数、小当たり用図柄乱数、リーチ乱数、変動パターン乱数、及び普通図柄乱数の各種乱数を更新する乱数更新処理を実行する（ステップ１６０１）。
【０２０６】
ここで、大当たり乱数は、大当たり、小当たり、又はハズレを決定するための乱数である。大当たり用図柄乱数は、大当たりであると判定された場合に、大当たりの種類を決定するための乱数である。小当たり用図柄乱数は、小当たり遊技中にＶ入賞装置３０２に遊技球が入賞した場合に発生する２種大当たりの種類を決定するための乱数である。リーチ乱数は、ハズレであると判定された場合に、リーチ有りの演出を行うか或いはリーチ無しの演出を行うかを決定するための乱数である。変動パターン乱数は、特別図柄が変動表示される際の変動パターンを決定するための乱数である。普通図柄乱数は、第２始動装置１１２を開放するか否かを決定するための乱数である。大当たり乱数、大当たり用図柄乱数、小当たり用図柄乱数、リーチ乱数、変動パターン乱数、及び普通図柄乱数は、このステップＳ１６０１の処理が行われる毎に「１」ずつ加算される。なお、このステップＳ１６０１の処理を行うカウンタとしてはループカウンタが使用されており、各乱数は、予め設定された最大値に達した後は「０」に戻る。
【０２０７】
ステップＳ１６０１の処理に続いて、メインＣＰＵ１５０１は、各スイッチからの検知信号が入力された場合に、スイッチ処理を実行する（ステップＳ１６０２）。このスイッチ処理については、図１７〜図２０に基づいて後に詳述する。
【０２０８】
ステップＳ１６０２の処理に続いて、メインＣＰＵ１５０１は、特別図柄判定を実行し、第１特別図柄表示器２０１又は第２特別図柄表示器２０２に特別図柄を変動表示させてから特別図柄判定の結果を示す判定図柄を停止表示させる処理等を含む特別図柄処理を実行する（ステップＳ１６０３）。この特別図柄処理については、図２１に基づいて後に詳述する。
【０２０９】
ステップＳ１６０３の処理に続いて、メインＣＰＵ１５０１は、普通図柄判定を実行し、普通図柄表示器２０４に普通図柄を変動表示させてから普通図柄判定の結果を示す普通図柄を停止表示させる処理等を含む普通図柄処理を実行する（ステップＳ１６０４）。この普通図柄処理については、図２５に基づいて後に詳述する。
【０２１０】
ステップＳ１６０４の処理に続いて、メインＣＰＵ１５０１は、普通図柄判定を行った結果、第２始動装置１１２を開放すると判定した場合に、電動チューリップ開閉部１５１３を介して電動チューリップ１１７を作動させる電動チューリップ処理を実行する（ステップＳ１６０５）。この電動チューリップ処理については、図２６に基づいて後に詳述する。
【０２１１】
ステップＳ１６０５の処理に続いて、メインＣＰＵ１５０１は、ステップＳ１６０３の特別図柄処理において小当たりであると判定した場合に、特定領域開閉部１５１９を介して羽根部材１９０を作動させると共に、Ｖ入賞装置開閉部１５２２を介してスライド部材３０４を作動させる特定領域開放制御処理を実行する（ステップＳ１６０６）。この特定領域開放制御処理については、図２７及び図２８に基づいて後に詳述する。
【０２１２】
ステップＳ１６０６の処理に続いて、メインＣＰＵ１５０１は、ステップＳ１６０３において大当たりであると判定した場合、又は小当たり遊技中にＶ入賞装置３０２に遊技球が入賞した場合に、大入賞装置制御部１５１６を制御して大入賞装置１１３を開放する大入賞装置開放制御処理を実行する（ステップＳ１６０７）。この大入賞装置開放制御処理については、図２９に基づいて後に詳述する。
【０２１３】
ステップＳ１６０７の処理に続いて、メインＣＰＵ１５０１は、遊技球の入賞に応じた賞球の払い出しを制御する賞球処理を実行する（ステップＳ１６０８）。
ステップＳ１６０８の処理に続いて、メインＣＰＵ１５０１は、ステップＳ１６０８以前の処理ステップにおいてメインＲＡＭ１５０３にセット（格納）された各種コマンドや演出内容を決定するために必要な情報を演出制御基板１５３０に送信する送信処理を実行する（ステップＳ１６０９）。
【０２１４】
［遊技制御基板１５００によるスイッチ処理］
図１７は、図１６のステップＳ１６０２におけるスイッチ処理の詳細フローチャートである。ステップＳ１６０１の処理に続いて、メインＣＰＵ１５０１は、図１７に例示されるように、第１始動装置スイッチ１５１１からの検知信号の入力の有無を監視して、ステップＳ１６０１の処理によって適宜更新される各種乱数（大当たり乱数、大当たり用図柄乱数、リーチ乱数、及び変動パターン乱数）について、第１始動装置スイッチ１５１１からの検知信号が入力された時点の値を取得する第１始動装置スイッチ処理を実行する（ステップＳ１７０１）。この第１始動装置スイッチ処理については、図１８に基づいて後に詳述する。
【０２１５】
次に、メインＣＰＵ１５０１は、第２始動装置スイッチ１５１２からの検知信号の入力の有無を監視して、ステップＳ１６０１の処理によって適宜更新される各種乱数（大当たり乱数、大当たり用図柄乱数、小当たり用図柄乱数、リーチ乱数、及び変動パターン乱数）について、第２始動装置スイッチ１５１２からの検知信号が入力された時点の値を取得する第２始動装置スイッチ処理を実行する（ステップＳ１７０２）。この第２始動装置スイッチ処理については、図１９に基づいて後に詳述する。
【０２１６】
そして、メインＣＰＵ１５０１は、ゲートスイッチ１５１４からの検知信号の入力の有無を監視して、ステップＳ１６０１の処理によって適宜更新される普通図柄乱数について、ゲートスイッチ１５１４からの検知信号が入力された時点の値を取得するゲートスイッチ処理を実行する（ステップＳ１７０３）。このゲートスイッチ処理については、図２０に基づいて後に詳述する。
【０２１７】
［遊技制御基板１５００による第１始動装置スイッチ処理］
図１８は、図１７のステップＳ１７０１における第１始動装置スイッチ処理の詳細フローチャートである。図１８に例示されるように、メインＣＰＵ１５０１は、ステップＳ１６０１の乱数更新処理に続いて、第１始動装置スイッチ１５１１からの検知信号（第１始動装置スイッチ１５１１が「ＯＮ」になったことを示すＯＮ信号）が入力されたか否かに基づいて、第１始動装置スイッチ１５１１が「ＯＮ」になったか否かを判定する（ステップＳ１８０１）。ここで、第１始動装置スイッチ１５１１が「ＯＮ」になったと判定した場合（ステップＳ１８０１：ＹＥＳ）、メインＲＡＭ１５０３に記憶されている第１特別図柄判定の保留数Ｕ１が、予めメインＲＯＭ１５０２に記憶されている第１特別図柄判定の最大保留数Ｕｍａｘ１（本実施形態では「４」）未満であるか否かを判定する（ステップＳ１８０２）。
【０２１８】
メインＣＰＵ１５０１は、保留数Ｕ１が最大保留数Ｕｍａｘ１未満であると判定した場合（ステップＳ１８０２：ＹＥＳ）、保留数Ｕ１の値を「１」加算した値に更新する（ステップＳ１８０３）。そして、第１特別図柄判定に使用する取得情報として、大当たり乱数、大当たり用図柄乱数、リーチ乱数、及び変動パターン乱数を取得し、これらの乱数を対応付けてメインＲＡＭ１５０３に格納する（ステップＳ１８０４〜Ｓ１８０７）。そして、第１特別図柄判定が保留されたことを通知する保留コマンドをメインＲＡＭ１５０３にセットする（ステップＳ１８０８）。この保留コマンドは、ステップＳ１６０９の送信処理によって演出制御基板１５３０に送信される。
【０２１９】
なお、本実施形態におけるパチンコ遊技機１は、第１特別図柄判定の結果が大当たり又はハズレのいずれかとなり、第１特別図柄判定においては、小当たり遊技を発生させる小当たりと判定されないように構成されている。このため、第１始動装置スイッチ処理には、２種大当たりの種類を決定するための小当たり用図柄乱数を取得するステップが含まれていない。
【０２２０】
［遊技制御基板１５００による第２始動装置スイッチ処理］
図１９は、図１７のステップＳ１７０２における第２始動装置スイッチ処理の詳細フローチャートである。図１９に例示されるように、メインＣＰＵ１５０１は、ステップＳ１７０１の第１始動装置スイッチ処理に続いて、第２始動装置スイッチ１５１２からの検知信号（第２始動装置スイッチ１５１２が「ＯＮ」になったことを示すＯＮ信号）が入力されたか否かに基づいて、第２始動装置スイッチ１５１２が「ＯＮ」になったか否かを判定する（ステップＳ１９０１）。
【０２２１】
メインＣＰＵ１５０１は、第２始動装置スイッチ１５１２が「ＯＮ」になったと判定した場合（ステップＳ１９０１：ＹＥＳ）、例えば、メインＲＡＭ１５０３に記憶されている大当たり遊技フラグが「ＯＮ」に設定されているか否かに基づいて、大入賞装置１１３を開放する大当たり遊技中であるか否かを判定する（ステップＳ１９０２）。この大当たり遊技フラグは、大当たり遊技の実行中であるか否かを示すフラグであり、大当たり遊技の開始時に「ＯＮ」に設定され、大当たり遊技の終了時に「ＯＦＦ」に設定される。
【０２２２】
メインＣＰＵ１５０１は、大当たり遊技中ではないと判定した場合（ステップＳ１９０２：ＮＯ）、例えば、メインＲＡＭ１５０３に記憶されている小当たり遊技フラグが「ＯＮ」に設定されているか否かに基づいて、特定入賞装置１１９を開放する小当たり遊技中であるか否かを判定する（ステップＳ１９０３）。この小当たり遊技フラグは、特定入賞装置１１９を開放する小当たり遊技の実行中であるか否かを示すフラグであり、小当たり遊技の開始時に「ＯＮ」に設定され、小当たり遊技の終了時に「ＯＦＦ」に設定される。
【０２２３】
メインＣＰＵ１５０１は、小当たり遊技中ではないと判定した場合（ステップＳ１９０３：ＮＯ）、第１特別図柄表示器２０１又は第２特別図柄表示器２０２における特別図柄の変動表示中であるか否かを判定する（ステップＳ１９０４）。ここで、特別図柄の変動表示中ではないと判定した場合（ステップＳ１９０４：ＮＯ）、第２特別図柄判定に使用する取得情報として、大当たり乱数、大当たり用図柄乱数、小当たり用図柄乱数、リーチ乱数、及び変動パターン乱数を取得し、これらの乱数を対応付けてメインＲＡＭ１５０３に格納する（ステップＳ１９０５〜Ｓ１９０９）。
【０２２４】
このように、特別遊技中ではなく特別図柄の変動表示中でもないときに第２始動装置１１２に遊技球が入賞した場合には、メインＣＰＵ１５０１は、第２特別図柄判定に使用する各種乱数を、メインＲＡＭ１５０３の判定用記憶領域に直接格納する。この判定用記憶領域は、特別図柄判定が実際に実行されるときにその特別図柄判定に使用される各種乱数が記憶される記憶領域である。なお、第１始動装置１１１に遊技球が入賞した場合には、メインＣＰＵ１５０１は、第１特別図柄判定に使用する各種乱数をメインＲＡＭ１５０３の保留記憶領域に格納し、実際に第１特別図柄判定を行って特別図柄の変動表示を開始させるときに、保留記憶領域に記憶されている各種乱数を判定用記憶領域にシフトさせる。
【０２２５】
以上説明したように、本実施形態では、特別図柄の変動表示中や特別遊技中に第２始動装置１１２に遊技球が入賞したためにその入賞に対応する第２特別図柄判定に係る特別図柄の変動表示を直ちに開始できない場合には、第２始動装置１１２への遊技球の入賞に基づく第２特別図柄判定は行われない。一方、第１始動装置１１１に遊技球が入賞したときにその入賞に対応する第１特別図柄判定に係る特別図柄の変動表示を直ちに開始できない場合であっても、第１特別図柄判定の権利は、４つを上限として保留される。
【０２２６】
［遊技制御基板１５００によるゲートスイッチ処理］
図２０は、図１７のステップＳ１７０３におけるゲートスイッチ処理の詳細フローチャートである。図２０に例示されるように、メインＣＰＵ１５０１は、ステップＳ１７０２の第２始動装置スイッチ処理に続いて、ゲートスイッチ１５１４からの検知信号（ゲートスイッチ１５１４が「ＯＮ」になったことを示すＯＮ信号）が入力されたか否かに基づいて、ゲートスイッチ１５１４が「ＯＮ」になったか否かを判定する（ステップＳ２００１）。
【０２２７】
メインＣＰＵ１５０１は、ゲートスイッチ１５１４が「ＯＮ」になったと判定した場合（ステップＳ２００１：ＹＥＳ）、メインＲＡＭ１５０３に記憶されている普通図柄判定の保留数Ｔが、メインＲＯＭ１５０２に予め記憶されている普通図柄判定の最大保留数Ｔｍａｘ（例えば「４」）未満であるか否かを判定する（ステップＳ２００２）。
【０２２８】
メインＣＰＵ１５０１は、保留数Ｔが最大保留数Ｔｍａｘ未満であると判定した場合（ステップＳ２００２：ＹＥＳ）、保留数Ｔを「１」加算した値に更新し（ステップＳ２００３）、この処理によって保留された普通図柄判定に使用される普通図柄乱数を取得して、メインＲＡＭ１５０３に格納する（ステップＳ２００４）。
【０２２９】
［遊技制御基板１５００による特別図柄処理］
次に、図２１を参照しつつ、遊技制御基板１５００によって実行される特別図柄処理の詳細について説明する。ここで、図２１は、図１６のステップＳ１６０３における特別図柄処理の詳細フローチャートである。図２１に例示されるように、遊技制御基板１５００のメインＣＰＵ１５０１は、メインＲＡＭ１５０３に記憶されている大当たり遊技フラグ又は小当たり遊技フラグが「ＯＮ」に設定されているか否かに基づいて、大当たり遊技中又は小当たり遊技中であるか否かを判定する（ステップＳ２１０１）。ここで、大当たり遊技中又は小当たり遊技中であると判定された場合（ステップＳ２１０１：ＹＥＳ）、ステップＳ１６０４の普通図柄処理に処理が進められる。
【０２３０】
メインＣＰＵ１５０１は、特別遊技中ではないと判定した場合（ステップＳ２１０１：ＮＯ）、特別図柄の変動表示中であるか否かを判定する（ステップＳ２１０２）。ここで、特別図柄の変動表示中ではないと判定した場合（ステップＳ２１０２：ＮＯ）、第２始動装置入賞に係る各種乱数がメインＲＡＭ１５０３の判定用記憶領域に記憶されているか否かを判定する（ステップＳ２１０３）。具体的には、遊技球が第２始動装置１１２に入賞したことに応じて取得された各種乱数が判定用記憶領域に直接記憶されると共に、第２始動装置入賞に係る各種乱数が記憶されたことを示すフラグが判定用記憶領域に記憶されるので、判定用記憶領域に各種乱数が記憶された際にこのフラグが記憶されているか否かに基づいて、判定用記憶領域に記憶された各種乱数が第２始動装置入賞に係るものであるか或いは第１始動装置入賞に係るものであるかを判定する。ここで、第２始動装置入賞に係る乱数が記憶されていると判定された場合（ステップＳ２１０３：ＹＥＳ）、後述するステップＳ２１０７に処理が進められる。
【０２３１】
メインＣＰＵ１５０１は、第２始動装置入賞に係る乱数が判定用記憶領域に記憶されていないと判定した場合（ステップＳ２１０３：ＮＯ）、メインＲＡＭ１５０３に記憶されている第１特別図柄判定の保留数Ｕ１が「１」以上であるか否かを判定する（ステップＳ２１０４）。ここで、保留数Ｕ１が「１」以上であると判定した場合（ステップＳ２１０４：ＹＥＳ）、保留数Ｕ１を「１」減算した値に更新する（ステップＳ２１０５）。そして、メインＲＡＭ１５０３の記憶領域に対するシフト処理を実行する（ステップＳ２１０６）。具体的には、メインＲＡＭ１５０３の保留記憶領域に記憶されている第１特別図柄判定に係る大当たり乱数、大当たり用図柄乱数、リーチ乱数、及び変動パターン乱数について、保留記憶領域に最初に格納されたもの（最も古いもの）を判定用記憶領域にシフトさせ、残りのものを判定用記憶領域側にシフトさせる。
【０２３２】
メインＣＰＵ１５０１は、ステップＳ２１０６の処理を実行した場合、又は第２始動装置入賞に係る乱数が判定用記憶領域に記憶されていると判定した場合（ステップＳ２１０３：ＹＥＳ）、判定用記憶領域に記憶されている乱数に基づいて、大当たり判定処理を実行する（ステップＳ２１０７）。この大当たり判定処理が実行されることによって、大当たり、小当たり、及びハズレのいずれであるかが判定され、その判定結果を示す判定図柄の設定情報がメインＲＡＭ１５０３にセットされる。そして、大当たり（１種大当たり）であると判定された場合には大当たりの種類が決定され、小当たりであると判定された場合には小当たり遊技中にＶ入賞装置３０２に遊技球が入賞したことを契機として発生する２種大当たりの種類が決定される。この大当たり判定処理については、図２２に基づいて後に詳述する。
【０２３３】
ステップＳ２１０７の処理に続いて、メインＣＰＵ１５０１は、変動パターン選択処理を実行する（ステップＳ２１０８）。具体的には、メインＲＯＭ１５０２に予め記憶されている変動パターンテーブルを参照して、ステップＳ２１０７における大当たり判定の判定結果、メインＲＡＭ１５０３にセットされた判定図柄の種類、現在の遊技状態、第１特別図柄判定の保留数Ｕ１、上記ステップＳ２１０７の処理で使用した大当たり乱数と一緒に判定用記憶領域に記憶されているリーチ乱数及び変動パターン乱数に基づいて、特別図柄の変動パターンを選択する。このステップＳ２１０８の処理が行われることによって、リーチ有り演出を行うか、或いはリーチ無し演出を行うかも併せて決定される。この変動パターン選択処理については、図２３に基づいて後に詳述する。
【０２３４】
ステップＳ２１０８の処理に続いて、メインＣＰＵ１５０１は、ステップＳ２１０７の処理で設定した図柄の設定情報、この図柄の設定情報が第１特別図柄判定に係るものであるか或いは第２特別図柄判定に係るものであるかを示す情報、ステップＳ２１０８の処理で設定した変動パターンの設定情報、リーチ有り演出とリーチ無し演出のどちらの演出を行うかを示す情報、パチンコ遊技機１の遊技状態に関する情報等を含む変動開始コマンドをメインＲＡＭ１５０３にセットする（ステップＳ２１０９）。この変動開始コマンドは、特別図柄の変動表示に伴う変動演出の開始を指示するコマンドであって、ステップＳ１６０９の送信処理によって演出制御基板１５３０に送信される。
【０２３５】
これに対して、演出制御基板１５３０は、遊技制御基板１５００から受信した変動開始コマンドを解析することによって、特別図柄判定の結果を特定し、リーチ有り演出とリーチ無し演出のどちらを行う必要があるのかを判定し、特別図柄が変動表示される変動時間を取得し、パチンコ遊技機１の遊技状態を特定する。そして、第１特別図柄表示器２０１又は第２特別図柄表示器２０２における特別図柄の変動表示に伴って、主液晶表示装置１０５及び副液晶表示装置１５０にどのようなパターンで装飾図画を変動表示させるか、スピーカ１２４からどのような音を出力するか、枠ランプ１２５をどのような発光パターンで発光させるか、回転表示装置１４０及び上部可動役物１６０を作動させるか否か等を決定し、決定した内容の演出を画像音響制御基板１５４０及びランプ制御基板１５５０に実行させる。
【０２３６】
ステップＳ２１０９の処理に続いて、メインＣＰＵ１５０１は、ステップＳ２１０９の処理でセットした変動開始コマンドに含まれている設定情報に基づいて、特別図柄の変動表示を開始する（ステップＳ２１１０）。なお、この特別図柄の変動表示は、判定用記憶領域に第１特別図柄判定に係る乱数が記憶されている状態でステップＳ２１０７〜ステップＳ２１０９の処理が行われた場合には第１特別図柄表示器２０１を用いて行われ、第２特別図柄判定に係る乱数が記憶されている状態でステップＳ２１０７〜ステップＳ２１０９の処理が行われた場合には第２特別図柄表示器２０２を用いて行われる。
【０２３７】
ステップＳ２１１０に続いて、メインＣＰＵ１５０１は、ステップＳ２１１０における変動表示を開始してからの経過時間である変動時間の計測を開始する（ステップＳ２１１１）。
【０２３８】
メインＣＰＵ１５０１は、ステップＳ２１１１の処理を実行した場合、又は特別図柄の変動表示中であると判定した場合（ステップＳ２１０２：ＹＥＳ）、ステップＳ２１１１における変動時間の計測開始から、ステップＳ２１０８の処理によって選択された変動パターンに対応する変動時間が経過したか否かを判定する（ステップＳ２１１２）。ここで、変動時間が経過していないと判定された場合（ステップＳ２１１２：ＮＯ）、一連の特別図柄処理が終了してステップＳ１６０４の普通図柄処理に処理が進められる。
【０２３９】
メインＣＰＵ１５０１は、変動時間が経過したと判定した場合（ステップＳ２１１２：ＹＥＳ）、第１特別図柄表示器２０１又は第２特別図柄表示器２０２に特別図柄判定の判定結果を示す判定図柄が停止表示されることを通知する図柄確定コマンドをメインＲＡＭ１５０３にセットする（ステップＳ２１１３）。この図柄確定コマンドは、ステップＳ１６０９における送信処理によって演出制御基板１５３０に送信される。これにより、主液晶表示装置１０５に変動表示されていた装飾図柄を特別図柄判定の判定結果を示す態様で停止表示させる処理等が行われることになる。
【０２４０】
ステップＳ２１１３の処理に続いて、メインＣＰＵ１５０１は、ステップＳ２１１０の処理で開始した特別図柄の変動表示を終了する（ステップＳ２１１４）。その際、ステップＳ２１０７の処理で設定した判定図柄（大当たり図柄、小当たり図柄、又はハズレ図柄）を、特別図柄を変動表示していた特別図柄表示器に停止表示させる。具体的には、第１特別図柄表示器２０１において特別図柄が変動表示されていた場合には第１特別図柄表示器２０１に大当たり図柄又はハズレ図柄を停止表示させ、第２特別図柄表示器２０２において特別図柄が変動表示されていた場合には第２特別図柄表示器２０２に大当たり図柄、小当たり図柄、又はハズレ図柄を停止表示させる。
【０２４１】
ステップＳ２１１４の処理に続いて、メインＣＰＵ１５０１は、上記ステップＳ２１１１の処理で計測を開始した変動時間をリセットし（ステップＳ２１１５）、大当たりである場合に大当たり遊技を開始させ、小当たりである場合に小当たり遊技を開始させる処理等を含む停止中処理を実行する（ステップＳ２１１６）。この停止中処理については、図２４に基づいて後に詳述する。
【０２４２】
［遊技制御基板１５００による大当たり判定処理］
図２２は、図２１のステップＳ２１０７における大当たり判定処理の詳細フローチャートである。メインＣＰＵ１５０１は、判定用記憶領域に第２特別図柄判定に係る乱数がフラグと共に記憶されていると判定した場合（ステップＳ２１０３：ＹＥＳ）、又はステップＳ２１０６の処理を実行した場合、図２２に例示されるように、大当たり判定を実行する（ステップＳ２２０１）。ここで、第２始動装置入賞に係る大当たり判定を実行する場合にはメインＲＯＭ１５０２に予め記憶されている第２始動装置入賞用大当たり判定テーブル（図７（Ｂ）参照）を参照し、第１始動装置入賞に係る大当たり判定を実行する場合にはメインＲＯＭ１５０２に予め記憶されている第１始動装置入賞用大当たり判定テーブル（図７（Ａ）参照）を参照する。
【０２４３】
第２始動装置入賞用大当たり判定テーブルには、判定結果と乱数値とが対応付けられて記憶されている。具体的には、大当たりに対する乱数値と、小当たりに対する乱数値と、ハズレに対する乱数値とが記憶されている。メインＣＰＵ１５０１は、第２始動装置入賞に係る大当たり判定を実行する場合、判定用記憶領域に記憶されている大当たり乱数が、第２始動装置入賞用大当たり判定テーブルに規定されているどの乱数値と一致するかに基づいて、大当たり（１種大当たり）であるか、小当たりであるか、又はハズレであるかを判定する。
【０２４４】
第１始動装置入賞用大当たり判定テーブルには、判定結果と乱数値とが対応付けられて記憶されている。具体的には、大当たりに対する乱数値とハズレに対する乱数値とが記憶されている。メインＣＰＵ１５０１は、第１始動装置入賞に係る大当たり判定を実行する場合、判定用記憶領域に記憶されている大当たり乱数が、第１始動装置入賞用大当たり判定テーブルに規定されているどの乱数値と一致するかに基づいて、大当たり（１種大当たり）であるか、又はハズレであるかを判定する。
【０２４５】
このように、メインＣＰＵ１５０１は、第１特別図柄判定又は第２特別図柄判定に係る各種乱数が判定用記憶領域に記憶されるといった始動条件が成立すると、判定用記憶領域に記憶されている各種乱数に基づいて、大当たり遊技を行うか否かを判定する。
【０２４６】
メインＣＰＵ１５０１は、ステップＳ２２０１の判定結果に基づいて、１種大当たりであるか否かを判定する（ステップＳ２２０２）。ここで、１種大当たりであると判定した場合（ステップＳ２２０２：ＹＥＳ）、現在の遊技状態が通常遊技状態であるか否かを判定する（ステップＳ２２０３）。具体的には、パチンコ遊技機１の遊技状態が時短遊技状態であるか否かを示す時短遊技フラグがメインＲＡＭ１５０３に記憶されており、この時短遊技フラグが「ＯＦＦ」に設定されているか否かに基づいて、現在の遊技状態が通常遊技状態であるか否かを判定する。
【０２４７】
メインＣＰＵ１５０１は、現在の遊技状態が通常遊技状態であると判定した場合（ステップＳ２２０３：ＹＥＳ）、通常遊技状態用の図柄判定テーブルをメインＲＯＭ１５０２から読み出してメインＲＡＭ１５０３にセットする（ステップＳ２２０４）。このステップＳ２２０４の処理でセットされる図柄判定テーブルは、図７（Ｃ）に例示されている図柄判定テーブルのうちの、通常遊技状態に対応するテーブルである。この図柄判定テーブルを参照して大当たりの種類を決定することにより、図５の左上図に基づいて上述したような大当たりの内訳を実現することが可能である。
【０２４８】
メインＣＰＵ１５０１は、現在の遊技状態が通常遊技状態ではないと判定した場合（ステップＳ２２０３：ＮＯ）、すなわち時短遊技状態である場合、時短遊技状態用の図柄判定テーブルをメインＲＯＭ１５０２から読み出してメインＲＡＭ１５０３にセットする（ステップＳ２２０５）。本実施形態では、時短遊技状態において第１特別図柄判定が行われる場合と第２特別図柄判定が行われる場合とがあり、これら２つの場合において、大当たりの内訳を異ならせることとしている（図５の左下図及び右下図を参照）。このため、今回の大当たり判定が第１始動装置入賞に係るものである場合には図７（Ｃ）に例示された図柄判定テーブルのうちの時短遊技状態に対応するテーブルがメインＲＡＭ１５０３にセットされ、今回の大当たり判定が第２始動装置入賞に係るものである場合には図７（Ｄ）に例示された図柄判定テーブルがメインＲＡＭ１５０３にセットされる。これらの図柄判定テーブルを参照して大当たりの種類を決定することにより、図５の左下図及び右下図に基づいて上述したような大当たりの内訳を実現することが可能である。
【０２４９】
メインＣＰＵ１５０１は、ステップＳ２２０４の処理を実行した場合、又はステップＳ２２０５の処理を実行した場合、メインＲＡＭ１５０３にセットされている図柄判定テーブルを参照して、大当たりの種類を決定する（ステップＳ２２０６）。なお、この大当たりの種類を決定する処理は、図７（Ｃ）及び（Ｄ）に基づいて上述した通りであるため、ここでの詳細な説明は省略する。
【０２５０】
メインＣＰＵ１５０１は、ステップＳ２２０６の処理で決定した大当たりの種類に応じた大当たり図柄を設定情報としてメインＲＡＭ１５０３にセットする（ステップＳ２２０７）。これにより、上記ステップＳ２１１４の処理の際にここでセットされた大当たり図柄が第１特別図柄表示器２０１又は第２特別図柄表示器２０２に判定図柄として停止表示されて、大当たり遊技が実行されることになる。
【０２５１】
一方、メインＣＰＵ１５０１は、大当たり判定の結果が１種大当たりではないと判定した場合（ステップＳ２２０２：ＮＯ）、判定用記憶領域に第２特別図柄判定に係るフラグが記憶されているか否かに基づいて、この大当たり判定が第１始動装置入賞に係る第１特別図柄判定であるか否かを判断する（ステップＳ２２０８）。ここで、第１特別図柄判定であると判断した場合（ステップＳ２２０８：ＹＥＳ）、第１特別図柄判定の判定結果が大当たりでない場合にはハズレであるので、ハズレ図柄を設定情報としてメインＲＡＭ１５０３にセットする（ステップＳ２２０９）。これにより、上記ステップＳ２１１４の処理の際にここでセットされたハズレ図柄が第１特別図柄表示器２０１に判定図柄として停止表示されることになる。
【０２５２】
第２始動装置入賞に係る大当たり判定の判定結果が大当たりではない場合、その判定結果は、小当たり又はハズレとなる。これに対して、メインＣＰＵ１５０１は、第１特別図柄判定ではないと判断した場合（ステップＳ２２０８：ＮＯ）、すなわち今回の大当たり判定が第２特別図柄判定である場合、ステップＳ２２０１における大当たり判定の判定結果が小当たりであるか否かを判定する（ステップＳ２２１０）。具体的には、判定用記憶領域に記憶されている大当たり乱数が、第２始動装置入賞用大当たり判定テーブル（図７（Ｂ）参照）に規定されている小当たりに対応する乱数値と一致するか否かに基づいて、第２特別図柄判定の判定結果が小当たりであるかハズレであるかを判定する。
【０２５３】
メインＣＰＵ１５０１は、第２特別図柄判定の判定結果が小当たりではないと判定した場合（ステップＳ２２１０：ＮＯ）、上記ステップＳ２２０９の処理を実行する。この場合、上記ステップＳ２１１４の処理の際にここでセットされたハズレ図柄が第２特別図柄表示器２０２に判定図柄として停止表示されることになる。
【０２５４】
一方、メインＣＰＵ１５０１は、第２特別図柄判定の結果が小当たりであると判定した場合（ステップＳ２２１０：ＹＥＳ）、小当たり時の図柄判定テーブル（図７（Ｅ）参照）をメインＲＯＭ１５０２から読み出してメインＲＡＭ１５０３にセットする（ステップＳ２２１１）。そして、セットした小当たり時の図柄決定テーブルを参照して、小当たりの種類を決定する（ステップＳ２２１２）。この小当たりの種類を決定する処理は、図７（Ｅ）に基づいて上述した通りである。そして、決定した小当たり図柄を設定情報としてメインＲＡＭ１５０３にセットする（ステップＳ２２１３）。これにより、上記ステップＳ２１１４の処理の際にここでセットされた小当たり図柄が第２特別図柄表示器２０２に判定図柄として停止表示されることになる。
【０２５５】
このようにして小当たり図柄が第２特別図柄表示器２０２に停止表示されると、上述した小当たり遊技が開始される。そして、小当たり遊技中にＶ入賞装置３０２に遊技球が入賞すると２種大当たりとなり、小当たり遊技に続いて大当たり遊技が行われることになる。なお、２種大当たりの種類は、第２特別図柄表示器２０２に停止表示された小当たり図柄に基づいて決定される。このため、小当たりの種類を決定する処理は、２種大当たりの種類を決定する処理と捉えることができる。
【０２５６】
［遊技制御基板１５００による変動パターン選択処理］
図２３は、図２１のステップＳ２１０８における変動パターン選択処理の詳細フローチャートである。メインＣＰＵ１５０１は、図２１のステップＳ２１０７における大当たり判定処理を実行した後、ステップＳ２２０１の判定結果に基づいて、上記ステップＳ２２０２の処理と同様に、大当たり判定の判定結果が１種大当たりであるか否かを判定する（ステップＳ２３０１）。ここで、１種大当たりであると判定した場合（ステップＳ２３０１：ＹＥＳ）、メインＲＡＭ１５０３に記憶されている時短遊技フラグが「ＯＦＦ」に設定されているか否かに基づいて、現在の遊技状態が通常遊技状態であるか否かを判定する（ステップＳ２３０２）。ここで、現在の遊技状態が通常遊技状態であると判定した場合（ステップＳ２３０２：ＹＥＳ）、通常遊技状態における大当たり用の変動パターンテーブル（図８（Ａ）参照）をメインＲＯＭ１５０２から読み出してメインＲＡＭ１５０３にセットする（ステップＳ２３０３）。逆に、現在の遊技状態が通常遊技状態ではないと判定した場合（ステップＳ２３０２：ＮＯ）、すなわち現在の遊技状態が時短遊技状態である場合、時短遊技状態における大当たり用の変動パターンテーブル（図８（Ｂ）参照）をメインＲＯＭ１５０２から読み出してメインＲＡＭ１５０３にセットする（ステップＳ２３０４）。このようにしてステップＳ２３０３の処理、又はステップＳ２３０４の処理が行われた場合、後述するステップＳ２３１３に処理が進められる。
【０２５７】
メインＣＰＵ１５０１は、１種大当たりではないと判定した場合（ステップＳ２３０１：ＮＯ）、上記ステップＳ２２１０の処理と同様に、小当たりであるか否かを判定する（ステップＳ２３０５）。ここで、小当たりであると判定した場合（ステップＳ２３０５：ＹＥＳ）、小当たり用の変動パターンテーブル（図８（Ｆ）参照）をメインＲＯＭ１５０２から読み出してメインＲＡＭ１５０３にセットする（ステップＳ２３０６）。
【０２５８】
メインＣＰＵ１５０１は、小当たりではないと判定した場合（ステップＳ２３０５：ＮＯ）、すなわちハズレである場合、遊技者に対して大当たりを期待させるためのリーチ演出を行うか否かを判定する（ステップＳ２３０７）。具体的には、判定用記憶領域に記憶されているリーチ乱数が、メインＲＯＭ１５０２に記憶されているリーチ乱数と一致するか否かに基づいて、リーチ演出を行うか否かを判定する。なお、メインＲＯＭ１５０２には、リーチ演出を行うか否かの判定を通常遊技状態のときに行う場合と、時短遊技状態のときに行う場合とのそれぞれについて、個別にリーチ乱数が記憶されている。具体的には、通常遊技状態のときには例えば１０％程度の割合でリーチ演出が行われるように、通常遊技状態における第１特別図柄判定に係るリーチ乱数がメインＲＯＭ１５０２に記憶されている。また、時短遊技状態のときに第２特別図柄判定の判定結果がハズレとなる確率が小当たりとなる確率に比べて相対的に低いので、第２特別図柄判定の判定結果がハズレの場合には必ず（１００％の割合で）リーチ演出が行われるように、時短遊技状態における第２特別図柄判定に係るリーチ乱数がメインＲＯＭ１５０２に記憶されている。また、第１特別図柄判定に関して、時短遊技状態のときには例えば３％程度の割合でリーチ演出が行われるように、時短遊技状態における第１特別図柄判定に係るリーチ乱数がメインＲＯＭ１５０２に記憶されている。
【０２５９】
メインＣＰＵ１５０１は、リーチ演出を行うと判定した場合（ステップＳ２３０７：ＹＥＳ）、上記ステップＳ２２０３の処理と同様に、現在の遊技状態が通常遊技状態であるか否かを判定する（ステップＳ２３０８）。ここで、現在の遊技状態が通常遊技状態であると判定した場合（ステップＳ２３０８：ＹＥＳ）、通常遊技状態におけるリーチ用の変動パターンテーブル（図８（Ｃ）の上段を参照）をメインＲＯＭ１５０２から読み出してメインＲＡＭ１５０３にセットする（ステップＳ２３０９）。逆に、通常遊技状態ではないと判定した場合（ステップＳ２３０８：ＮＯ）、時短遊技状態におけるリーチ用の変動パターンテーブル（図８（Ｃ）の下段を参照）をメインＲＯＭ１５０２から読み出してメインＲＡＭ１５０３にセットする（ステップＳ２３１０）。このようにしてステップＳ２３０９の処理、又はステップＳ２３１０の処理が行われた場合、後述するステップＳ２３１３に処理が進められる。
【０２６０】
メインＣＰＵ１５０１は、リーチ演出を行わないと判定した場合（ステップＳ２３０７：ＮＯ）、上記ステップＳ２２０３の処理と同様に、現在の遊技状態が通常遊技状態であるか否かを判定する（ステップＳ２３１１）。ここで、現在の遊技状態が通常遊技状態ではないと判定した場合（ステップＳ２３１１：ＮＯ）、時短遊技状態における第１始動装置入賞によるハズレ用の変動パターンテーブル（図８（Ｅ）参照）をメインＲＯＭ１５０２から読み出してメインＲＡＭ１５０３にセットする（ステップＳ２３１２）。
【０２６１】
次に、メインＣＰＵ１５０１は、ステップＳ２３０３、ステップＳ２３０４、ステップＳ２３０６、ステップＳ２３０９、ステップＳ２３１０、又はステップＳ２３１２の処理でセットされた変動パターンテーブルを用いて変動パターン乱数の判定を行う（ステップＳ２３１３）。具体的には、メインＲＡＭ１５０３にセットされた変動パターンテーブルを参照して、判定用記憶領域に記憶されている変動パターン乱数に対応する変動パターンを選択する。このステップＳ２３１３の処理が行われることにより、特別図柄の変動パターン（変動時間）が決定されることとなる。
【０２６２】
一方、メインＣＰＵ１５０１は、現在の遊技状態が通常遊技状態であると判定した場合（ステップＳ２３１１：ＹＥＳ）、通常遊技状態におけるハズレ用の変動パターンテーブル（図８（Ｄ）参照）をメインＲＯＭ１５０２から読み出してメインＲＡＭ１５０３にセットする（ステップＳ２３１４）。そして、現在の第１特別図柄判定の保留数に対応する変動パターンを通常遊技状態におけるハズレ用の変動パターンテーブルから読み出すことによって、変動パターンを選択する（ステップＳ２３１５）。
【０２６３】
メインＣＰＵ１５０１は、ステップＳ２３１３の処理又はステップＳ２３１５の処理によって変動パターンを選択すると、選択した変動パターンを設定情報としてメインＲＡＭ１５０３にセットする（ステップＳ２３１６）。この変動パターンの設定情報は、大当たり判定処理によって設定された図柄と共に、上記ステップＳ２１０９の処理でセットされる変動開始コマンドに含まれ、ステップＳ１６０９の送信処理によって演出制御基板１５３０に送信される。
【０２６４】
［遊技制御基板１５００による停止中処理］
図２４は、図２１のステップＳ２１１６における停止中処理の詳細フローチャートである。メインＣＰＵ１５０１は、上記ステップＳ２１１５の処理によって変動時間をリセットした後、図２４に例示されるように、上記ステップＳ２２０１の判定結果に基づいて、上記ステップＳ２２０２の処理と同様に、１種大当たりであるか否かを判定する（ステップＳ２４０１）。ここで、１種大当たりであると判定した場合（ステップＳ２４０１：ＹＥＳ）、大当たり遊技フラグを「ＯＮ」に設定する（ステップＳ２４０２）。
【０２６５】
次に、メインＣＰＵ１５０１は、メインＲＡＭ１５０３に記憶されている時短遊技フラグが「ＯＮ」に設定されているか否かを判定する（ステップＳ２４０３）。この時短遊技フラグは、パチンコ遊技機１の遊技状態が時短遊技状態であるか否かを示すフラグであり、通常遊技状態から時短遊技状態に移行する際に「ＯＮ」に設定され、時短遊技状態から通常遊技状態に戻される際に「ＯＦＦ」に設定される。ここで、時短遊技フラグが「ＯＮ」に設定されていると判定した場合（ステップＳ２４０３：ＹＥＳ）、時短遊技フラグを「ＯＦＦ」に設定する（ステップＳ２４０４）。
【０２６６】
一方、メインＣＰＵ１５０１は、１種大当たりではないと判定した場合（ステップＳ２４０１：ＮＯ）、時短遊技フラグが「ＯＮ」に設定されているか否かを判定する（ステップＳ２４０５）。ここで、時短遊技フラグが「ＯＮ」に設定されていると判定した場合（ステップＳ２４０５：ＹＥＳ）、メインＲＡＭ１５０３に記憶されている時短遊技残余回数Ｗを「１」減算した値に更新する（ステップＳ２４０６）。この時短遊技残余回数Ｗは、時短遊技状態で第２特別図柄判定（又は第１特別図柄判定）が実行される残り回数を示すものであり、時短遊技残余回数Ｗが「０」になると、遊技状態が時短遊技状態から通常遊技状態に戻されることになる。
【０２６７】
ステップＳ２４０６の処理に続いて、メインＣＰＵ１５０１は、時短遊技残余回数Ｗが「０」であるか否かを判定する（ステップＳ２４０７）。ここで、時短遊技残余回数Ｗが「０」であると判定した場合（ステップＳ２４０７：ＹＥＳ）、時短遊技フラグを「ＯＦＦ」に設定する（ステップＳ２４０８）。これにより、遊技状態が時短遊技状態から通常遊技状態に戻されることになる。
【０２６８】
メインＣＰＵ１５０１は、ステップＳ２４０８の処理を実行した場合、時短遊技フラグが「ＯＮ」ではないと判定した場合（ステップＳ２４０５：ＮＯ）、又は時短遊技残余回数Ｗが「０」ではないと判定した場合（ステップＳ２４０７：ＮＯ）、上記ステップＳ２２０７の処理と同様に、小当たりであるか否かを判定する（ステップＳ２４０９）。そして、小当たりであると判定した場合（ステップＳ２４０９：ＹＥＳ）、小当たり遊技フラグを「ＯＮ」に設定する（ステップＳ２４１０）。
【０２６９】
メインＣＰＵ１５０１は、ステップＳ２４０４の処理を実行した場合、時短遊技フラグが「ＯＮ」に設定されていないと判定した場合（ステップＳ２４０３：ＮＯ）、又はステップＳ２４１０の処理を実行した場合、メインＲＡＭ１５０３にオープニングコマンドをセットする（ステップＳ２４１１）。ここで、オープニングとは、大当たり遊技が開始されてから最初に大入賞装置１１３が開放され始めるまでの期間、又は小当たり遊技が開始されてから最初に特定入賞装置１１９が開放され始めるまでの期間のことをいう。これに対して、オープニングコマンドは、これらのオープニングが開始されることを通知するためのコマンドであり、ステップＳ１６０９の送信処理によって演出制御基板１５３０に送信される。ステップＳ２４１１の処理がステップＳ２４１０に続いて実行される場合には小当たり遊技に係るオープニングコマンドがセットされ、その他の場合には大当たり遊技に係るオープニングコマンドがセットされる。なお、大当たり遊技が開始される場合には、大当たりの種類を示す情報を含むオープニングコマンドが送信される。
【０２７０】
［遊技制御基板１５００による普通図柄処理］
図２５は、図１６のステップＳ１６０４における普通図柄処理の詳細フローチャートである。図２５に例示されるように、メインＣＰＵ１５０１は、ステップＳ１６０３の特別図柄処理に続いて、メインＲＡＭ１５０３に記憶されている補助遊技フラグが「ＯＮ」に設定されているか否かを判定する（ステップＳ２５０１）。この補助遊技フラグは、電動チューリップ１１７が規定時間だけ開姿勢を維持した後に閉姿勢に戻る動作を規定回数行う補助遊技中であるか否かを示すフラグであり、補助遊技中は「ＯＮ」に設定され、補助遊技中でないときは「ＯＦＦ」に設定される。
【０２７１】
ステップＳ２５０１において、補助遊技フラグが「ＯＮ」に設定されていると判定された場合（ステップＳ２５０１：ＹＥＳ）、ステップＳ１６０５の電動チューリップ処理に処理が進められる。
【０２７２】
メインＣＰＵ１５０１は、補助遊技フラグが「ＯＮ」に設定されていないと判定した場合（ステップＳ２５０１：ＮＯ）、普通図柄表示器２０４における普通図柄の変動表示中であるか否かを判定し（ステップＳ２５０２）、普通図柄の変動表示中ではないと判定した場合（ステップＳ２５０２：ＮＯ）、普通図柄判定の保留数Ｔが「１」以上であるか否かを判定する（ステップＳ２５０３）。ここで、保留数Ｔが「１」以上ではないと判定された場合（ステップＳ２５０３：ＮＯ）、ステップＳ１６０５の電動チューリップ処理に処理が進められる。
【０２７３】
メインＣＰＵ１５０１は、保留数Ｔが「１」以上であると判定した場合（ステップＳ２５０３：ＹＥＳ）、保留数Ｔを「１」減算した値に更新し（ステップＳ２５０４）、当たり乱数判定処理を実行する（ステップＳ２５０５）。具体的には、上記ステップＳ２００４（図２０参照）に処理によってメインＲＡＭ１５０３に記憶された普通図柄乱数の中で最も古い普通図柄乱数が、予めメインＲＯＭ１５０２に記憶されている普通図柄判定に係る当選値のいずれかと一致するか否かに基づいて、普通図柄判定の判定結果が当たりであるか否かを判定する。
【０２７４】
ステップＳ２５０５の処理に続いて、メインＣＰＵ１５０１は、ステップＳ２５０５の判定結果に基づいて、普通図柄判定の判定結果が当たりであるか否かを判断し（ステップＳ２５０６）、当たりであると判断した場合（ステップＳ２５０６：ＹＥＳ）、普通図柄表示器２０４に判定図柄として停止表示させる当たり図柄をメインＲＡＭ１５０３にセットする（ステップＳ２５０７）。逆に、普通図柄判定の判定結果が当たりではないと判断した場合（ステップＳ２５０６：ＮＯ）、ハズレ図柄をメインＲＡＭ１５０３にセットする（ステップＳ２５０８）。
【０２７５】
ステップＳ２５０７又はステップＳ２５０８の処理に続いて、メインＣＰＵ１５０１は、時短遊技フラグが「ＯＮ」に設定されているか否かに基づいて、パチンコ遊技機１の現在の遊技状態が通常遊技状態であるか否かを判定する（ステップＳ２４０９）。そして、現在の遊技状態が通常遊技状態であると判定した場合（ステップＳ２４０９：ＹＥＳ）、普通図柄表示器２０４に普通図柄を変動表示させる普通図柄変動時間を例えば２５秒にセットする（ステップＳ２５１０）。一方、現在の遊技状態が通常遊技状態ではないと判定した場合（ステップＳ２４０９：ＮＯ）、普通図柄変動時間を例えば２秒にセットする（ステップＳ２５１１）。このようにしてステップＳ２５１０又はステップＳ２５１１の処理によってセットされた普通図柄変動時間は、メインＲＡＭ１５０３に一時的に記憶される。
【０２７６】
ステップＳ２５１０又はステップＳ２５１１の処理に続いて、メインＣＰＵ１５０１は、普通図柄表示器２０４による普通図柄の変動表示を開始させ（ステップＳ２５１２）、その変動表示開始からの経過時間の計測を開始する（ステップＳ２５１３）。
【０２７７】
一方、メインＣＰＵ１５０１は、普通図柄表示器２０４による普通図柄の変動表示中であると判定した場合（ステップＳ２５０２：ＹＥＳ）、普通図柄の変動表示を終了させるか否かを判定する（ステップＳ２５１４）。具体的には、ステップＳ２５１３の処理によって計測を開始した経過時間が、ステップＳ２５１０又はステップＳ２５１１でセットした普通図柄変動時間に達したか否かに基づいて、普通図柄の変動表示を終了させるか否かを判定する。ここで、普通図柄の変動表示を終了させないと判定された場合（ステップＳ２５１４：ＮＯ）、ステップＳ１６０５の電動チューリップ処理に処理が進められる。
【０２７８】
メインＣＰＵ１５０１は、普通図柄の変動表示を終了させると判定した場合（ステップＳ２５１４：ＹＥＳ）、普通図柄表示器２０４における普通図柄の変動表示を終了させて、ステップＳ２５０７の処理でメインＲＡＭ１５０３にセットされた当たり図柄又はステップＳ２５０８の処理でメインＲＡＭ１５０３にセットされたハズレ図柄を停止表示させる（ステップＳ２５１５）。そして、ステップＳ２５１３の処理で計測を開始した経過時間をリセットする（ステップＳ２５１６）。そして、上記ステップＳ２５０６の処理と同様に、普通図柄判定の判定結果が当たりであるか否かを判定する（ステップＳ２５１７）。ここで、普通図柄判定の判定結果が当たりであると判定した場合（ステップＳ２５１７：ＹＥＳ）、補助遊技フラグを「ＯＮ」に設定する（ステップＳ２５１８）。このようにして補助遊技フラグが「ＯＮ」に設定されることにより、電動チューリップ１１７を作動させる補助遊技が開始されることになる。
【０２７９】
［遊技制御基板１５００による電動チューリップ処理］
図２６は、図１６のステップＳ１６０５における電動チューリップ処理の詳細フローチャートである。ステップＳ４の普通図柄処理に続いて、メインＣＰＵ１５０１は、図２６に例示されるように、補助遊技フラグが「ＯＮ」に設定されているか否かを判定する（ステップＳ２６０１）。ここで、補助遊技フラグが「ＯＮ」に設定されていないと判定された場合（ステップＳ２６０１：ＮＯ）、ステップＳ１６０６の特定領域開放制御処理に処理が進められる。
【０２８０】
メインＣＰＵ１５０１は、補助遊技フラグが「ＯＮ」に設定されていると判定した場合（ステップＳ２６０１：ＹＥＳ）、電動チューリップ１１７が動作中であるか否かを判定する（ステップＳ２６０２）。そして電動チューリップ１１７が動作中ではないと判定した場合（ステップＳ２６０２：ＮＯ）、ステップＳ２５０６の処理と同様に、現在の遊技状態が通常遊技状態であるか否かを判定する（ステップＳ２６０３）。ここで、現在の遊技状態が通常遊技状態であると判定した場合（ステップＳ２６０３：ＹＥＳ）、電動チューリップ１１７の動作パターンとして、第２始動装置１１２を０．１秒間開放する動作を１回行う動作パターンをメインＲＡＭ１５０３にセットする（ステップＳ２６０４）。逆に、現在の遊技状態が通常遊技状態ではないと判定した場合（ステップＳ２６０３：ＮＯ）、すなわち時短遊技状態である場合、電動チューリップ１１７の動作パターンとして、第２始動装置１１２を０．３秒間開放する動作を５回行う動作パターンをメインＲＡＭ１５０３にセットする（ステップＳ２６０５）。
【０２８１】
メインＣＰＵ１５０１は、ステップＳ２６０４又はステップＳ２６０５で動作パターンをセットした後、セットした動作パターンでの電動チューリップ１１７の動作を電動チューリップ開閉部１５１３に開始させる（ステップＳ２６０６）。
【０２８２】
メインＣＰＵ１５０１は、ステップＳ２６０６の処理を実行した場合、又は電動チューリップ１１７の動作中であると判定した場合（ステップＳ２６０２：ＹＥＳ）、ステップＳ２６０６の処理で開始された電動チューリップ１１７の動作が完了したか否かを判定する（ステップＳ２６０７）。ここで、電動チューリップ１１７の動作が完了したと判定した場合（ステップＳ２６０７：ＹＥＳ）、補助遊技フラグを「ＯＦＦ」に設定する（ステップＳ２６０８）。これにより、補助遊技が終了される。
【０２８３】
［遊技制御基板１５００による特定領域開閉制御処理］
第２特別図柄判定の結果が小当たりである場合、ステップＳ１６０６の特定領域開放制御処理によって小当たり遊技が実行される。以下、図２７及び図２８を参照しつつ、遊技制御基板１５００において実行される特定領域開放制御処理について説明する。ここで、図２７及び図２８は、図１６のステップＳ１６０６における特定領域開放制御処理の詳細フローチャートである。
【０２８４】
ステップＳ５の電動チューリップ処理に続いて、メインＣＰＵ１５０１は、図２７に例示されるように、小当たり遊技フラグが「ＯＮ」に設定されているか否かを判定する（ステップＳ２７０１）。ここで、小当たり遊技フラグが「ＯＮ」に設定されていないと判定された場合（ステップＳ２７０１：ＮＯ）、ステップＳ１６０７の大入賞装置開放制御処理に処理が進められる。
【０２８５】
メインＣＰＵ１５０１は、小当たり遊技フラグが「ＯＮ」に設定されていると判定した場合（ステップＳ２７０１：ＹＥＳ）、例えば上記ステップＳ２４１１の処理において小当たり遊技に係るオープニングコマンドをセットしてからの経過時間が予め設定されたオープニング時間に達したか否かに基づいて、小当たり遊技のオープニング中であるか否かを判定する（ステップＳ２７０２）。ここで、オープニング中であると判定した場合（ステップＳ２７０２：ＹＥＳ）、上記オープニング時間が経過したか否かを判定する（ステップＳ２７０３）。ここで、オープニング時間が経過していないと判定された場合（ステップＳ２７０３：ＮＯ）、ステップＳ１６０７の大入賞装置開放制御処理に処理が進められる。
【０２８６】
メインＣＰＵ１５０１は、オープニング時間が経過したと判定した場合（ステップＳ２７０３：ＹＥＳ）、メインＲＡＭ１５０３に記憶されている特定入賞装置１１９への遊技球の入賞数Ｘをリセットし（ステップＳ２７０４）、特定領域開閉部１５１９による特定入賞装置１１９の開放制御を開始し（ステップＳ２７０５）、この開放制御が開始されてからの経過時間の計測を開始する（ステップＳ２７０６）。このステップＳ２７０５の処理が行われることによって、羽根部材１９０が特定入賞装置１１９を３．２秒間開放してから閉塞する動作が１回行われることになる。
【０２８７】
一方、メインＣＰＵ１５０１は、小当たり遊技におけるオープニング中ではないと判定した場合（ステップＳ２７０２：ＮＯ）、例えば特定領域開閉部１５１９の動作状況に基づいて、小当たり遊技のエンディング中であるか否かを判定する（ステップＳ２７０７）。ここで、小当たり遊技におけるエンディング中ではないと判定した場合（ステップＳ２７０７：ＮＯ）、特定入賞装置スイッチ１５１８からの検知信号の入力の有無に基づいて、特定入賞装置スイッチ１５１８が「ＯＮ」になったか否かを判定する（ステップＳ２７０８）。ここで、特定入賞装置スイッチ１５１８が「ＯＮ」になったと判定した場合（ステップＳ２７０８：ＹＥＳ）、特定入賞装置１１９に１個の遊技球が入賞したと判断して、遊技球の入賞数Ｘを「１」加算した値に更新する（ステップＳ２７０９）。
【０２８８】
メインＣＰＵ１５０１は、ステップＳ２７０９の処理を実行した場合、特定入賞装置スイッチ１５１８が「ＯＮ」ではないと判定した場合（ステップＳ２７０８：ＮＯ）、又はステップＳ２７０６の処理を実行した場合、ステップＳ２７０６の処理で計測を開始した経過時間が予め設定された設定時間（例えば０．５秒）と一致するか否かを判定する（ステップＳ２７１０）。ここで、設定時間と一致すると判定した場合（ステップＳ２７１０：ＹＥＳ）、Ｖ入賞装置開閉部１５２２にスライド部材３０４を作動させてＶ入賞装置３０２を開放する処理を開始させる（ステップＳ２７１１）。これにより、上述した２種大当たりが発生可能となる。
【０２８９】
メインＣＰＵ１５０１は、ステップＳ２７１１の処理を実行した場合、又は経過時間が設定時間と一致しないと判定した場合（ステップＳ２７１０：ＮＯ）、Ｖ入賞装置スイッチ１５２０からの検知信号の入力の有無に基づいて、Ｖ入賞装置スイッチ１５２０が「ＯＮ」になったか否かを判定する（ステップＳ２７１２）。ここで、Ｖ入賞装置スイッチ１５２０が「ＯＮ」になったと判定した場合（ステップＳ２７１２：ＹＥＳ）、メインＲＡＭ１５０３に記憶されているＶ入賞フラグを「ＯＮ」に設定する（ステップＳ２７１３）。このＶ入賞フラグは、小当たり遊技中にＶ入賞装置３０２に遊技球が入賞して２種大当たりが発生したか否かを示すフラグであり、Ｖ入賞装置３０２に遊技球が入賞していない状態では「ＯＦＦ」に設定されており、Ｖ入賞装置３０２に遊技球が入賞すると「ＯＮ」に設定される。
【０２９０】
メインＣＰＵ１５０１は、ステップＳ２７１３の処理を実行した場合、又はＶ入賞装置スイッチ１５２０が「ＯＮ」になっていないと判定した場合（ステップＳ２７１２：ＮＯ）、Ｖ入賞装置３０２の閉塞タイミングであるか否かを判定する（ステップＳ２７１４）。具体的には、Ｖ入賞装置３０２が開放されてから所定時間（本実施形態では０．２秒）が経過したか否かを判定する。ここで、閉塞タイミングであると判定した場合（ステップＳ２７１４：ＹＥＳ）、Ｖ入賞装置開閉部１５２２にＶ入賞装置３０２を閉塞させる（ステップＳ２７１５）。
【０２９１】
メインＣＰＵ１５０１は、ステップＳ２７１５の処理を実行した場合、又はＶ入賞装置３０２の閉塞タイミングではないと判定した場合（ステップＳ２７１４：ＮＯ）、図２８に例示されるように、ステップＳ２７０６の処理によって計測を開始した経過時間に基づいて、羽根部材１９０の規定開放動作（本実施形態では、特定入賞装置１１９を３．２秒間開放する１回の動作）が終了したか否かを判定する（ステップＳ２８０１）。
【０２９２】
メインＣＰＵ１５０１は、規定開放動作が終了していないと判定した場合（ステップＳ２８０１：ＮＯ）、今回の小当たり遊技における特定入賞装置１１９への遊技球の入賞数Ｘが、予めメインＲＯＭ１５０２に記憶されている特定入賞装置１１９の閉塞タイミングを規定する遊技球数Ｘｍａｘ（例えば「６」）と一致するか否かを判定する（ステップＳ２８０２）。ここで、入賞数Ｘが遊技球数Ｘｍａｘと一致しないと判定された場合（ステップＳ２８０２：ＮＯ）、ステップＳ１６０７の大入賞装置開放制御処理に処理が進められる。
【０２９３】
一方、メインＣＰＵ１５０１は、入賞数Ｘが遊技球数Ｘｍａｘと一致すると判定した場合（ステップＳ２８０２：ＹＥＳ）、又は規定開放動作が終了したと判定した場合（ステップＳ２８０１：ＹＥＳ）、ステップＳ２７０５の処理で開始した特定入賞装置１１９の開放制御を終了させ（ステップＳ２８０３）、ステップＳ２７０６の処理で計測を開始した経過時間をリセットし（ステップＳ２８０４）、エンディング時間の計測を開始する（ステップＳ２８０５）。ここで、エンディングは、特定入賞装置１１９の開放が終了してから小当たり遊技が終了するまでの期間をいう。
【０２９４】
メインＣＰＵ１５０１は、上記ステップＳ２７０７においてエンディング中であると判定した場合（ステップＳ２７０７：ＹＥＳ）、又はステップＳ２８０５の処理を実行した場合、ステップＳ２８０５の処理で計測を開始したエンディング時間が予め設定された小当たり遊技に係るエンディング時間に達したか否かに基づいて、エンディング時間が経過したか否かを判定する（ステップＳ２８０６）。ここで、エンディング時間が経過していないと判定された場合（ステップＳ２８０６：ＮＯ）、ステップＳ１６０７の大入賞装置開放制御処理に処理が進められる。
【０２９５】
メインＣＰＵ１５０１は、予め設定されたエンディング時間が経過したと判定した場合（ステップＳ２８０６：ＹＥＳ）、小当たり遊技を終了させるために小当たり遊技フラグを「ＯＦＦ」に設定し（ステップＳ２８０７）、小当たり遊技の終了を通知するエンディングコマンドをメインＲＡＭ１５０３にセットする（ステップＳ２８０８）。このエンディングコマンドは、ステップＳ１６０９の送信処理によって演出制御基板１５３０に送信される。なお、小当たり遊技中に遊技球がＶ入賞装置３０２にＶ入賞した場合には、その旨を通知する情報を含むエンディングコマンドが演出制御基板１５３０に送信される。
【０２９６】
メインＣＰＵ１５０１は、ステップＳ２８０８の処理に続いて、Ｖ入賞フラグが「ＯＮ」に設定されているか否かを判定する（ステップＳ２８０９）。ここで、Ｖ入賞フラグが「ＯＮ」に設定されていないと判定された場合（ステップＳ２８０９：ＮＯ）、小当たり遊技中にＶ入賞装置３０２に遊技球が入賞しなかったと判断されて、ステップＳ１６０７の大入賞装置開放制御処理に処理が進められる。この場合、特別遊技が小当たり遊技のみで終了することになる。
【０２９７】
一方、メインＣＰＵ１５０１は、Ｖ入賞フラグが「ＯＮ」に設定されていると判定した場合（ステップＳ２８０９：ＹＥＳ）、Ｖ入賞フラグを「ＯＦＦ」に設定し（ステップＳ２８１０）、小当たり遊技に続いて大当たり遊技を開始させるために大当たり遊技フラグを「ＯＮ」に設定し（ステップＳ２８１１）、時短遊技フラグを「ＯＦＦ」に設定する（ステップＳ２８１１）。
【０２９８】
［遊技制御基板１５００による大入賞装置開放制御処理］
以下、図２９を参照しつつ、遊技制御基板１５００によって実行される大入賞装置開放制御処理について説明する。ここで、図２９は、図１６のステップＳ１６０７における大入賞装置開放制御処理の詳細フローチャートである。メインＣＰＵ１５０１は、ステップＳ６の特定領域開放制御処理に続いて、図２９に例示されるように、大当たり遊技フラグが「ＯＮ」に設定されているか否かを判定する（ステップＳ２９０１）。ここで、大当たり遊技フラグが「ＯＮ」に設定されていないと判定された場合（ステップＳ２９０１：ＮＯ）、ステップＳ１６０８の賞球処理に処理が進められる。
【０２９９】
メインＣＰＵ１５０１は、大当たり遊技フラグが「ＯＮ」に設定されていると判定した場合（ステップＳ２９０１：ＹＥＳ）、例えばステップＳ２４１１の処理によって大当たり遊技に係るオープニングコマンドをセットしてからの経過時間が所定のオープニング時間に達したか否かに基づいて、大当たり遊技のオープニング中であるか否かを判定する（ステップＳ２９０２）。ここで、オープニング中であると判定した場合（ステップＳ２９０２：ＹＥＳ）、同じく経過時間が所定のオープニング時間に達したか否かに基づいて、オープニング時間が経過したか否かを判定する（ステップＳ２９０３）。ここで、オープニング時間が経過していないと判定された場合（ステップＳ２９０３：ＮＯ）、ステップＳ１６０８の賞球処理に処理が進められる。
【０３００】
メインＣＰＵ１５０１は、オープニング時間が経過したと判定した場合（ステップＳ２９０３：ＹＥＳ）、大当たり遊技のラウンド数Ｒｍａｘ、大入賞装置制御部１５１６の動作パターン等を決定して、これらの情報をメインＲＡＭ１５０３に格納する（ステップＳ２９０４）。このステップＳ２９０４の処理が実行されることによって、ラウンドと次のラウンドとの間のインターバル時間、最終ラウンド終了後のエンディング時間等の大当たり遊技に関する各種時間も併せて設定される。
【０３０１】
ステップＳ２９０４の処理に続いて、メインＣＰＵ１５０１は、メインＲＡＭ１５０３に記憶されている大入賞装置１１３への遊技球の入賞数Ｙをリセットし（ステップＳ２９０５）、同じくメインＲＡＭ１５０３に記憶されている大当たり中のラウンド数Ｒを「１」加算した値に更新する（ステップＳ２９０６）。このラウンド数Ｒは、大当たり開始前は「０」に設定されており、ステップＳ２９０６の処理が行われる毎に「１」加算される。
【０３０２】
ステップＳ２９０６の処理に続いて、メインＣＰＵ１５０１は、大入賞装置制御部１５１６による大入賞装置１１３の開放制御を開始し（ステップＳ２９０７）、この開放制御が開始されてからの経過時間である開放時間の計測を開始する（ステップＳ２９０８）。そして、ラウンド遊技が開始されたことを通知するラウンド開始コマンドをメインＲＡＭ１５０３にセットする（ステップＳ２９０９）。なお、このラウンド開始コマンドには、今回のラウンド遊技中における大入賞装置１１３の開放パターンを示す情報が含まれる。
【０３０３】
メインＣＰＵ１５０１は、大当たり遊技におけるオープニング中ではないと判定した場合（ステップＳ２９０２：ＮＯ）、例えばメインＲＡＭ１５０３に記憶されている現在の状態が大当たり遊技におけるどの時点であるかを示す情報に基づいて、最終ラウンド終了直後のエンディング中であるか否かを判定する（ステップＳ２９１０）。ここで、エンディング中であると判定された場合（ステップＳ２９１０：ＹＥＳ）、後述するステップＳ２９２３に処理が進められる。
【０３０４】
メインＣＰＵ１５０１は、大当たり遊技におけるエンディング中ではないと判定した場合（ステップＳ２９１０：ＮＯ）、例えばメインＲＡＭ１５０３に記憶されている現在の状態が大当たり遊技におけるどの時点であるかを示す情報に基づいて、インターバル中（ラウンドと次のラウンドとの間）であるか否かを判定する（ステップＳ２９１１）。ここで、インターバル中であると判定した場合（ステップＳ２９１１：ＹＥＳ）、前回のラウンド終了時に大入賞装置１１３が閉塞してから、ステップＳ２９０４の処理によって設定されたインターバル時間が経過したか否かを判定する（ステップＳ２９１２）。ここで、インターバル時間が経過したと判定された場合（ステップＳ２９１２：ＹＥＳ）、次のラウンドを開始するタイミングになっているため、上記ステップＳ２９０５に処理が進められる。逆に、インターバル時間が経過していないと判定された場合（ステップＳ２９１２：ＮＯ）、ステップＳ１６０８の賞球処理に処理が進められる。
【０３０５】
一方、メインＣＰＵ１５０１は、インターバル中ではないと判定した場合（ステップＳ２９１１：ＮＯ）、ラウンド中であると判断して、大入賞装置スイッチ１５１５からの検知信号の入力の有無に基づいて、大入賞装置スイッチ１５１５が「ＯＮ」になったか否かを判定する（ステップＳ２９１３）。ここで、大入賞装置スイッチ１５１５が「ＯＮ」になったと判定した場合（ステップＳ２９１３：ＹＥＳ）、大入賞装置１１３に１個の遊技球が入賞したと判断して、遊技球の入賞数Ｙを「１」加算した値に更新する（ステップＳ２９１４）。
【０３０６】
メインＣＰＵ１５０１は、ステップＳ２９１４の処理を実行した場合、ステップＳ２９０９の処理を実行した場合、又は大入賞装置スイッチ１５１５が「ＯＮ」ではないと判定した場合（ステップＳ２９１３：ＮＯ）、大入賞装置１１３の開放開始から規定開放時間が経過したか否かを判定する（ステップＳ２９１５）。具体的には、上記ステップＳ２９０８の処理によって計測が開始された開放時間が、予めメインＲＯＭ１５０２に記憶されている規定開放時間（本実施形態では２９秒）に達したか否かを判定する。
【０３０７】
メインＣＰＵ１５０１は、規定開放時間が経過していないと判定した場合（ステップＳ２９１５：ＮＯ）、メインＲＡＭ１５０３に記憶されている今回のラウンドにおける遊技球の入賞数Ｙが、予めメインＲＯＭ１５０２に記憶されている大入賞装置１１３の閉塞タイミングを規定する遊技球数Ｙｍａｘ（例えば「９」）と一致するか否かを判定する（ステップＳ２９１６）。ここで、入賞数Ｙが遊技球数Ｙｍａｘと一致しないと判定された場合（ステップＳ２９１６：ＮＯ）、ステップＳ１６０８の賞球処理に処理が進められる。
【０３０８】
一方、メインＣＰＵ１５０１は、入賞数Ｙが遊技球数Ｙｍａｘと一致すると判定した場合（ステップＳ２９１６：ＹＥＳ）、又は規定開放時間が経過したと判定した場合（ステップＳ２９１５：ＹＥＳ）、大入賞装置制御部１５１６に大入賞装置１１３の開放制御を終了させる（ステップＳ２９１７）。
【０３０９】
ステップＳ２９１７の処理に続いて、メインＣＰＵ１５０１は、メインＲＡＭ１５０３に記憶されている大当たり遊技の現在のラウンド数Ｒが、上記ステップＳ２９０４の処理によって設定されたラウンド数Ｒｍａｘと一致するか否かを判定する（ステップＳ２９１８）。ここで、ラウンド数Ｒがラウンド数Ｒｍａｘと一致しないと判定した場合（ステップＳ２９１８：ＮＯ）、次のラウンドの開始タイミングを制御するために、大入賞装置１１３が閉塞されてからの経過時間であるインターバル時間の計測を開始する（ステップＳ２９１９）。このステップＳ２９１９の処理によって計測が開始されたインターバル時間は、上記ステップＳ２９１２の処理に使用される。
【０３１０】
一方、メインＣＰＵ１５０１は、ラウンド数Ｒがラウンド数Ｒｍａｘと一致すると判定した場合（ステップＳ２９１８：ＹＥＳ）、エンディング時間の計測を開始し（ステップＳ２９２０）、メインＲＡＭ１５０３に記憶されているラウンド数Ｒをリセットし（ステップＳ２９２１）、エンディングコマンドをメインＲＡＭ１５０３にセットする（ステップＳ２９２２）。このエンディングコマンドは、大入賞装置１１３の最後の開放が終了したことを通知するコマンドであり、ステップＳ１６０９の送信処理によって演出制御基板１５３０に送信される。
【０３１１】
メインＣＰＵ１５０１は、ステップＳ２９２２の処理を実行した場合、又はエンディング中であると判定した場合（ステップＳ２９１０：ＹＥＳ）、設定エンディング時間が経過したか否かを判定する（ステップＳ２９２３）。具体的には、上記ステップＳ２９２０の処理によって計測を開始したエンディング時間が、上記ステップＳ２９０４の処理によって設定された設定エンディング時間に達したか否かを判定する。ここで、エンディング時間が経過していないと判定された場合（ステップＳ２９２３：ＮＯ）、ステップＳ１６０８の賞球処理に処理が進められる。
【０３１２】
メインＣＰＵ１５０１は、設定エンディング時間が経過したと判定した場合（ステップＳ２９２３：ＹＥＳ）、大当たり遊技終了後のパチンコ遊技機１の遊技状態を設定する遊技状態設定処理を実行する（ステップＳ２９２４）。そして、大当たり遊技を終了させるために、大当たり遊技フラグを「ＯＦＦ」に設定する（ステップＳ２９２５）。
【０３１３】
ここでは、長開放ラウンド遊技が規定回数実行される大当たり遊技を実現するための大入賞装置開放制御処理について説明したが、短開放ラウンド遊技が規定回数実行される大当たり遊技を実現するための大入賞装置開放制御処理については、例えば大入賞装置１１３が開放されてからの大入賞装置１１３への遊技球の入賞数とは無関係に大入賞装置１１３が閉塞される点や、短開放ラウンド遊技における大入賞装置１１３の開放時間が長開放ラウンド遊技における大入賞装置１１３の開放時間よりも短い点などを除いて、図２９の処理と同様に行われる。このため、短当たり遊技から構成される大当たり遊技を実現するための大入賞装置開放制御処理についての詳細な説明は省略する。
【０３１４】
［遊技制御基板１５００による遊技状態設定処理］
図３０は、図２９のステップＳ２９２４における遊技状態設定処理の詳細フローチャートである。メインＣＰＵ１５０１は、設定エンディング時間が経過したと判定した場合（ステップＳ２９２３：ＹＥＳ）、今回の大当たり遊技が、小当たり遊技に続く大当たり遊技であるか否かを判定する（ステップＳ３００１）。本実施形態では、小当たり遊技に続いて大当たり遊技が行われる場合には上記ステップＳ２８１１（図２８参照）の処理で大当たり遊技フラグが「ＯＮ」に設定され、小当たり遊技に続く大当たり遊技ではない場合にはステップＳ２４０２（図２４参照）の処理で大当たり遊技フラグが「ＯＮ」に設定される。このため、どちらの処理によって大当たりフラグが「ＯＮ」に設定されたかに基づいて、今回の大当たり遊技が小当たり遊技に続くものであるか否かを判定することができる。
【０３１５】
メインＣＰＵ１５０１は、小当たり遊技に続く大当たり遊技ではないと判定した場合（ステップＳ３００１：ＮＯ）、大当たり遊技開始時に第１特別図柄表示器２０１又は第２特別図柄表示器２０２に停止表示された大当たり図柄（メインＲＡＭ１５０３に記憶されている大当たり図柄の設定情報）に基づいて、大当たり遊技終了後の時短の有無を判定する（ステップＳ３００２）。逆に、小当たり遊技に続く大当たり遊技であると判定した場合（ステップＳ３００１：ＹＥＳ）、小当たり遊技開始時に第２特別図柄表示器２０２に停止表示された小当たり図柄（メインＲＡＭ１５０３に記憶されている小当たり図柄の設定情報）に基づいて、大当たり遊技終了後の時短の有無を判定する（ステップＳ３００３）。
【０３１６】
メインＣＰＵ１５０１は、ステップＳ３００２の処理を実行した場合、又はステップＳ３００３の処理を実行した場合、いずれか一方の判定結果に基づいて、大当たり遊技終了後の時短の有無を判断する（ステップＳ３００４）。ここで、時短ありと判定した場合（ステップＳ３００４：ＹＥＳ）、時短遊技フラグを「ＯＮ」に設定し（ステップＳ３００５）、時短遊技残余回数Ｗを「１００」に設定する（ステップＳ３００６）。これにより、大当たり遊技が終了してから１００回の特別図柄判定が実行されるまでの間、第２始動装置１１２が開放され易い時短遊技状態で遊技が制御されることになる。これに対して、時短なしと判定された場合（ステップＳ３００４：ＮＯ）、ステップＳ３００５及びステップＳ３００６の処理が行われないので、大当たり遊技が終了した後は、第２始動装置１１２が開放され難い通常遊技状態で遊技が制御されることになる。
【０３１７】
［演出制御基板１５３０による演出制御処理］
パチンコ遊技機１の電源が投入されると、演出制御基板１５３０のサブＣＰＵ１５３１は、後述する演出制御処理を行う周期であるＣＴＣ周期を設定する。そして、サブＣＰＵ１５３１は、演出内容を決定するために用いられる演出乱数等を更新する乱数更新処理をＣＴＣ周期よりも短い所定周期で繰り返す。すなわち、サブＣＰＵ１５３１は、パチンコ遊技機１が起動している間、所定周期で乱数更新処理を繰り返しつつ、ＣＴＣ周期で演出制御処理（タイマ割込み処理）を繰り返す。
【０３１８】
以下、図３１及び図３２を参照しつつ、演出制御基板１５３０において実行される演出制御処理について説明する。ここで、図３１及び図３２は、演出制御基板１５３０において実行される演出制御処理の一例を示すフローチャートである。サブＣＰＵ１５３１は、遊技制御基板１５００で行われるタイマ割込み処理と同様に、図３１及び図３２に例示されている一連の処理を一定時間（例えば４ミリ秒）毎に繰り返し実行する。なお、図３１以降のフローチャートに基づいて説明する演出制御基板１５３０で行われる処理は、サブＲＯＭ１５３２に記憶されているプログラムに基づいてサブＣＰＵ１５３１が発行する命令に従って行われる。
【０３１９】
図３１に例示されるように、サブＣＰＵ１５３１は、まず、遊技制御基板１５００から保留コマンドを受信したか否かを判定する（ステップＳ３１０１）。ここで、保留コマンドを受信したと判定した場合（ステップＳ３１０１：ＹＥＳ）、サブＲＡＭ１５３３に記憶されている第１特別図柄判定の保留数を「１」加算した値に更新し（ステップＳ３１０２）、第１特別図柄判定が保留されていることを示す保留表示画像の更新を画像音響制御基板１５４０に指示する（ステップＳ３１０３）。
【０３２０】
サブＣＰＵ１５３１は、ステップＳ３１０３の処理を実行した場合、又は保留コマンドを受信していないと判定した場合（ステップＳ３１０１：ＮＯ）、特別図柄の変動表示に伴う変動演出の実行中であるか否かを判定する（ステップＳ３１０４）。具体的には、例えば、遊技制御基板１５００から送信された変動開始コマンドに含まれている特別図柄の変動パターンを示す情報に基づいて特別図柄の変動時間を特定し、その変動開始コマンドを受信してからその変動時間が経過したか否かに基づいて、特別図柄の変動表示に伴う変動演出の実行中であるか否かを判定する。
【０３２１】
サブＣＰＵ１５３１は、特別図柄の変動表示に伴う変動演出の実行中ではないと判定した場合（ステップＳ３１０４：ＮＯ）、遊技制御基板１５００から変動開始コマンドを受信したか否かを判定する（ステップＳ３１０５）。ここで、変動開始コマンドを受信したと判定した場合（ステップＳ３１０５：ＹＥＳ）、その変動開始コマンドを解析する（ステップＳ３１０６）。
【０３２２】
この変動開始コマンドには、上述したように、大当たり判定処理の判定結果を示す判定図柄の設定情報、この設定情報が第１特別図柄判定に係るものであるか或いは第２特別図柄判定に係るものであるかを示す情報、リーチ有り演出とリーチ無し演出のどちらの演出を行うかを示す設定情報、変動パターンの設定情報、パチンコ遊技機１の遊技状態を示す情報等が含まれている。したがって、変動開始コマンドを解析することによって、特別図柄判定の種類と結果を特定し、リーチ有り演出とリーチ無し演出のどちらを行う必要があるのかを判断し、特別図柄が変動表示される変動時間を特定し、パチンコ遊技機１の遊技状態を特定することが可能である。
【０３２３】
変動開始コマンドを解析すると、サブＣＰＵ１５３１は、その解析結果に基づいて、変動演出パターン選択処理を実行する（ステップＳ３１０７）。
図には示されていないが、サブＲＯＭ１５３２には、特別図柄の変動表示に伴う変動演出に関して、大当たり演出テーブル、ハズレリーチ有り演出テーブル、ハズレリーチ無し演出テーブル、及び小当たり演出テーブルの少なくとも４つの演出テーブルが記憶されている。これらの演出テーブルの各々には、遊技制御基板１５００において決定される変動パターン（変動時間）に対応するテーブルが複数設けられている。例えば、ハズレリーチ無し演出テーブルには、３秒用、８秒用、１３秒用のテーブルが設けられており、大当たり演出テーブルには、６０秒、８０秒、１２０秒、１６０秒のテーブルが設けられている。サブＣＰＵ１５３１は、これら複数のテーブルの中から、変動開始コマンドに含まれている設定情報に基づいて、１のテーブルを選択する。例えば、設定情報に「ハズレ」を示す情報、「リーチ無し演出」を行うことを示す情報、特別図柄の「変動時間」が３秒であることを示す変動パターンの情報が含まれている場合、サブＣＰＵ１５３１は、３秒用のハズレリーチ無し演出テーブルを選択する。その際、変動開始コマンドに含まれている設定情報に基づいて現在の遊技状態が通常遊技状態であるか或いは時短遊技状態であるかを判断し、遊技状態に応じた演出テーブルを選択する。
【０３２４】
演出テーブルにおいては、演出乱数と演出パターンとが対応付けられている。サブＣＰＵ１５３１は、上述した乱数更新処理が行われる毎に更新される演出乱数について、変動開始コマンドを受信した時点の値を取得しておき、選択した演出テーブルに格納されている多数の演出パターンの中から、予め取得した演出乱数に対応する演出パターンを読み出すことによって、１つの演出パターンを選択する。
【０３２５】
この変動演出パターン選択処理が実行されることによって、装飾図柄の変動態様、リーチ演出の有無、演出ボタン演出の有無、背景画像の種類等の変動演出を構成する各演出の態様が決定される。
【０３２６】
特に本実施形態では、第２特別図柄判定の種類と結果に応じた演出に特徴を有している。すなわち、予め取得した演出乱数に対応する演出パターンを読み出すことによって１つの演出パターンが選択されるのであるが、この演出パターンによる演出の態様に特徴を有する。
【０３２７】
ステップＳ３１０７の処理に続いて、サブＣＰＵ１５３１は、ステップＳ３１０７の処理で選択した変動演出パターンの変動演出を開始させる（ステップＳ３１０８）。具体的には、ステップＳ３１０７の処理で選択した変動演出パターンの変動演出の開始を指示するコマンドを画像音響制御基板１５４０及びランプ制御基板１５５０に送信する。これにより、演出制御基板１５３０において演出パターンが決定された変動演出が、画像音響制御基板１５４０及びランプ制御基板１５５０によって実現されることになる。
【０３２８】
特に時短遊技状態においては、図１３（Ａ）に例示されるように、味方キャラクタが「Ｖ」の文字が書かれた風船をキャッチしようとして追いかけるような演出が主液晶表示装置１０５などを用いて表示される。
【０３２９】
ここで特に、本実施形態では、第２特別図柄判定で直撃大当たり（図１４中の（４）、（５））となった場合の１種大当たりに際し、所定の割合で、大当たり遊技の終了後に時短遊技状態で遊技が制御されることを示唆する演出を行う。
【０３３０】
また、第２特別図柄判定で「ハズレ」となった場合にも、所定の割合で、大当たり遊技の終了後に時短遊技状態で遊技が制御されることを示唆する演出を行う。この場合、味方キャラクタが「ＲＵＳＨ継続」の文字が書かれた風船を取り逃がす演出が主液晶表示装置１０５などに表示される。
【０３３１】
ステップＳ３１０８の処理に続いて、サブＣＰＵ１５３１は、サブＲＡＭ１５３３に記憶されている第１特別図柄判定の保留数を「１」減算した値に更新する（ステップＳ３１０９）。そして、例えば第１特別図柄判定に係る保留表示画像の中で最古のものを主液晶表示装置１０５などから消去すると共に、残りの保留表示画像の表示位置をシフトさせる処理を画像音響制御基板１５４０に実行させる保留表示更新処理を行う（ステップＳ３１１０）。なお、このステップＳ３１０９の処理及びステップＳ３１１０の処理は、今回の特別図柄の変動表示が第１特別図柄判定に係るものである場合に行われ、第２特別図柄判定に係るものである場合には行われない。
【０３３２】
一方、サブＣＰＵ１５３１は、特別図柄の変動表示に伴う変動演出の実行中であると判定した場合（ステップＳ３１０４：ＹＥＳ）、遊技制御基板１５００から図柄確定コマンドを受信したか否かを判定する（ステップＳ３１１１）。ここで、図柄確定コマンドを受信したと判定した場合（ステップＳ３１１１：ＹＥＳ）、例えば特別図柄の変動表示に伴う変動演出の終了を指示する変動演出終了コマンドを画像音響制御基板１５４０及びランプ制御基板１５５０に送信して、ステップＳ３１０８の処理で開始させた変動演出を終了させる（ステップＳ３１１２）。
【０３３３】
本実施形態では、第２特別図柄判定で大当たり（直撃）である場合、味方キャラクタが「Ｖ」又は「ＲＵＳＨ継続」の文字が書かれた風船をキャッチする演出が主液晶表示装置１０５などに表示される。一方、第２特別図柄判定で「ハズレ」となった場合、味方キャラクタが風船を取り逃がす演出が主液晶表示装置１０５などに表示される。
【０３３４】
サブＣＰＵ１５３１は、ステップＳ３１１０の処理を実行した場合、又は変動開始コマンドを受信していないと判定した場合（ステップＳ３１０５：ＮＯ）、遊技制御基板１５００から小当たり遊技に係るオープニングコマンドを受信したか否かを判定する（ステップＳ３１１３）。
【０３３５】
サブＣＰＵ１５３１は、小当たり遊技に係るオープニングコマンドを受信したと判定した場合（ステップＳ３１１３：ＹＥＳ）、遊技球がＶ入賞装置３０２に入賞することに対する遊技者の期待感を煽る小当たり遊技中演出を画像音響制御基板１５４０及びランプ制御基板１５５０に開始させる（ステップＳ３１１４）。
【０３３６】
この小当たり遊技中演出として、味方キャラクタが「Ｖ」の文字が書かれた風船をキャッチしようとして追いかけるような演出が主液晶表示装置１０５などに表示される（図１３（Ａ）参照）。
【０３３７】
サブＣＰＵ１５３１は、ステップＳ３１１４の処理を実行した場合、又は小当たり遊技に係るオープニングコマンドを受信していないと判定した場合（ステップＳ３１１３：ＮＯ）、遊技制御基板１５００から小当たり遊技に係るエンディングコマンドを受信したか否かを判定する（ステップＳ３１１５）。
【０３３８】
サブＣＰＵ１５３１は、小当たり遊技に係るエンディングコマンドを受信したと判定した場合（ステップＳ３１１５：ＹＥＳ）、ステップＳ３１１４の処理によって画像音響制御基板１５４０及びランプ制御基板１５５０に開始させた小当たり遊技中演出を終了させる（ステップＳ３１１６）。ここで、遊技制御基板１５００から受信した小当たり遊技に係るエンディングコマンドに、遊技球がＶ入賞装置３０２にＶ入賞したことを通知する情報が含まれている場合には、このステップＳ３１１６において、Ｖ入賞を報知する報知演出の実行が画像音響制御基板１５４０及びランプ制御基板１５５０に指示されて、Ｖ入賞が報知される。
【０３３９】
本実施形態では、味方キャラクタが「Ｖ」の文字が書かれた風船をキャッチする演出が主液晶表示装置１０５などに表示される（図１３（Ｂ）参照）。
サブＣＰＵ１５３１は、ステップＳ３１１６の処理を実行した場合、又は小当たり遊技に係るエンディングコマンドを受信していないと判定した場合（ステップＳ３１１５：ＮＯ）、図３２に例示されるように、遊技制御基板１５００から大当たり遊技に係るオープニングコマンドを受信したか否かを判定する（ステップＳ３２０１）。
【０３４０】
サブＣＰＵ１５３１は、大当たり遊技に係るオープニングコマンドを受信したと判定した場合（ステップＳ３２０１：ＹＥＳ）、受信したオープニングコマンドに含まれている大当たりの種類を示す情報に基づいて、今回の大当たりが突然時短当たりであるか否かを判定する（ステップＳ３２０２）。ここで、今回の大当たりが突然時短当たりではないと判定した場合（ステップＳ３２０２：ＮＯ）、画像音響制御基板１５４０及びランプ制御基板１５５０に今回の大当たりに応じた所定のオープニング演出を開始させる（ステップＳ３２０３、図１０〜図１２参照）。
【０３４１】
サブＣＰＵ１５３１は、今回の大当たりが突然時短当たりであると判定した場合（ステップＳ３２０２：ＹＥＳ）、図９に基づいて上述したＲＵＳＨ突入予告演出（又はＲＵＳＨ継続予告演出）を画像音響制御基板１５４０及びランプ制御基板１５５０に開始させる（ステップＳ３２０４）。ここで、今回の突然時短当たりが通常遊技状態において発生したものである場合には時短遊技状態に移行することを通知するＲＵＳＨ突入予告演出が開始され、今回の突然時短当たりが時短遊技状態において発生したものである場合には時短遊技状態が継続することを通知するＲＵＳＨ継続予告演出が開始される
サブＣＰＵ１５３１は、ステップＳ３２０３の処理を実行した場合、ステップＳ３２０４の処理を実行した場合、又は大当たり遊技に係るオープニングコマンドを受信していないと判定した場合（ステップＳ３２０１：ＮＯ）、遊技制御基板１５００からラウンド開始コマンドを受信したか否かを判定する（ステップＳ３２０５）。
【０３４２】
ところで、本実施形態におけるパチンコ遊技機１では、大入賞装置１１３が長開放動作のみを行う長開放ラウンド遊技中にはラウンド数や払出賞球数等を報知する通常のラウンド中演出を行う一方で、大入賞装置１１３が短開放動作のみを行う短開放ラウンド遊技中にはチャレンジゲームを行い（図１０及び図１１参照）、大入賞装置１１３が短開放動作と長開放動作との両方を行うラウンド遊技中には昇格演出を行うこととしている（図１２（Ｂ）参照）。このため、ラウンド遊技が開始されることを通知するラウンド開始コマンドを受信した場合には、以下のような処理が行われる。
【０３４３】
サブＣＰＵ１５３１は、ラウンド開始コマンドを受信したと判定した場合（ステップＳ３２０５：ＹＥＳ）、受信したラウンド開始コマンドに含まれている大入賞装置１１３の開放パターンを示す情報に基づいて、今回のラウンド遊技が、大入賞装置１１３の長開放動作のみを含むものであるか否かを判定する（ステップＳ３２０６）。
【０３４４】
サブＣＰＵ１５３１は、今回のラウンド遊技が大入賞装置１１３の長開放動作のみを含むものであると判定した場合（ステップＳ３２０６：ＹＥＳ）、画像音響制御基板１５４０及びランプ制御基板１５５０に通常のラウンド中演出を実行させる（ステップＳ３２０７）。
【０３４５】
サブＣＰＵ１５３１は、今回のラウンド遊技が大入賞装置１１３の長開放動作のみを含むものではないと判定した場合（ステップＳ３２０６：ＮＯ）、今回のラウンド遊技が大入賞装置１１３の短開放動作と長開放動作とを両方含むものであるか否かを判定する（ステップＳ３２０８）。
【０３４６】
サブＣＰＵ１５３１は、今回のラウンド遊技が大入賞装置１１３の短開放動作と長開放動作とを両方含むものであると判定した場合（ステップＳ３２０８：ＹＥＳ）、画像音響制御基板１５４０及びランプ制御基板１５５０に昇格演出を実行させる（ステップＳ３２０９、図１２（Ｂ）参照）。
【０３４７】
サブＣＰＵ１５３１は、今回のラウンド遊技が大入賞装置１１３の短開放動作と長開放動作とを両方とも含むものではないと判定した場合（ステップＳ３２０８：ＮＯ）、すなわち短開放動作のみを含むものである場合、上述したステップＳ３２０２の処理と同様に、今回の大当たりが突然時短当たりであるか否かを判定する（ステップＳ３２１０）。
【０３４８】
本実施形態におけるパチンコ遊技機１では、突然時短当たりとなって大入賞装置１１３の短開放動作のみを含むラウンド遊技を所定回数（本実施形態では１６回）繰り返す短当たり遊技が行われる場合には、オープニング開始からエンディングの終了までの間、一連のＲＵＳＨ突入予告演出又はＲＵＳＨ継続予告演出が行われる。
【０３４９】
このため、今回の大当たりが突然時短当たりであるとサブＣＰＵ１５３１によって判定された場合（ステップＳ３２１０：ＹＥＳ）、後述するステップＳ３２１３に処理が進められる。この場合、ラウンド開始コマンドを受信したタイミングで何らかの新たな演出が開始されることはない。
【０３５０】
一方、サブＣＰＵ１５３１は、今回の大当たりが突然時短当たりではないと判定した場合（ステップＳ３２１０：ＮＯ）、今回の大当たりが４Ｒ長当たり又は８Ｒ長当たりであるので、チャレンジゲーム演出（図１０及び図１１参照）の実行に関する以下の処理を行う。
【０３５１】
すなわち、サブＣＰＵ１５３１は、突然時短当たりではないと判定した場合（ステップＳ３２１０：ＮＯ）、受信したラウンド開始コマンドが１回目の短開放ラウンド遊技の開始を通知するものであるか否かに基づいて、今回のラウンド遊技が最初の短開放ラウンド遊技であるか否かを判定する（ステップＳ３２１１）。ここで、最初の短開放ラウンド遊技ではないとサブＣＰＵ１５３１によって判定された場合（ステップＳ３２１１：ＮＯ）、後述するステップＳ３２１３に処理が進められる。
【０３５２】
サブＣＰＵ１５３１は、最初の短開放ラウンド遊技であると判定した場合（ステップＳ３２１１：ＹＥＳ）、今回の大当たりの種類に応じたチャレンジゲーム演出を画像音響制御基板１５４０及びランプ制御基板１５５０に開始させる（ステップＳ３２１２）。
【０３５３】
サブＣＰＵ１５３１は、ステップＳ３２０７の処理を実行した場合、ステップＳ３２０９の処理を実行した場合、ステップＳ３２１２の処理を実行した場合、ラウンド開始コマンドを受信していないと判定した場合（ステップＳ３２０５：ＮＯ）、今回の大当たりが突然時短当たりであると判定した場合（ステップＳ３２１０：ＹＥＳ）、又は最初の短開放ラウンド遊技ではないと判定した場合（ステップＳ３２１１：ＮＯ）、遊技制御基板１５００から大当たり遊技に係るエンディングコマンドを受信したか否かを判定する（ステップＳ３２１３）。
【０３５４】
サブＣＰＵ１５３１は、大当たり遊技に係るエンディングコマンドを受信したと判定した場合（ステップＳ３２１３：ＹＥＳ）、今回の大当たりの種類を示す情報と、遊技制御基板１５００から取得した今回の大当たり遊技開始前の遊技状態を示す情報とに基づいて、通常遊技状態が継続するか否かを判定する（ステップＳ３２１４）。すなわち、今回の大当たり遊技開始前の遊技状態が通常遊技状態であって、且つ今回の大当たり遊技が終了した後に再び通常遊技状態で遊技が制御されることになるか否かを判定する。ここで、通常遊技状態が継続すると判定した場合（ステップＳ３２１４：ＹＥＳ）、エンディング演出として、ＲＵＳＨ非突入演出（図１０及び図１１参照）を画像音響制御基板１５４０及びランプ制御基板１５５０に実行させる（ステップＳ３２１５）。
【０３５５】
サブＣＰＵ１５３１は、通常遊技状態が継続しないと判定した場合（ステップＳ３２１４：ＮＯ）、時短遊技状態に移行するか否かを判定する（ステップＳ３２１６）。すなわち、今回の大当たりの種類を示す情報と、今回の大当たり遊技開始前の遊技状態を示す情報とに基づいて、今回の大当たり遊技開始前の遊技状態が通常遊技状態であって、且つ今回の大当たり遊技が終了した後に時短遊技状態で遊技が制御されることになるか否かを判定する。ここで、時短遊技状態に移行すると判定した場合（ステップＳ３２１６：ＹＥＳ）、エンディング演出として、ＲＵＳＨ突入演出（図１０参照）を画像音響制御基板１５４０及びランプ制御基板１５５０に実行させる（ステップＳ３２１７）。
【０３５６】
サブＣＰＵ１５３１は、時短遊技状態に移行しないと判定した場合（ステップＳ３２１６：ＮＯ）、時短遊技状態が継続するか否かを判定する（ステップＳ３２１８）。すなわち、今回の大当たりの種類を示す情報と、今回の大当たり遊技開始前の遊技状態を示す情報とに基づいて、今回の大当たり遊技開始前の遊技状態が時短遊技状態であって、且つ今回の大当たり遊技が終了した後に時短遊技状態で遊技が制御されることになるか否かを判定する。ここで、時短遊技状態が継続すると判定した場合（ステップＳ３２１８：ＹＥＳ）、エンディング演出として、ＲＵＳＨ継続演出（図１０〜図１２参照）を画像音響制御基板１５４０及びランプ制御基板１５５０に実行させる（ステップＳ３２１９）。
【０３５７】
サブＣＰＵ１５３１は、時短遊技状態が継続しないと判定した場合（ステップＳ３２１８：ＮＯ）、すなわち今回の大当たり遊技の開始前には時短遊技状態で遊技が制御されていて、且つ今回の大当たり遊技が終了した後に通常遊技状態に戻る場合、エンディング演出として、ＲＵＳＨ終了演出（図１１参照）を画像音響制御基板１５４０及びランプ制御基板１５５０に実行させる（ステップＳ３２２０）。
【０３５８】
［回転表示装置の構成］
図３３に基づき、次に回転表示装置１４０について説明する。図３３は、回転表示装置１４０の概略の構造を示す図である。図３３に示すように、回転表示装置１４０は、２個の回路基板３３０１と回転機構３３０３とを備えている。
【０３５９】
回路基板３３０１は、細長い略長方形の形状であり、長手方向に複数（本実施形態では４２個）の発光素子（ＬＥＤ）３３０２が直線上に配置されている。
ＬＥＤ３３０２には、回転機構３３０３のスリップリング（不図示）を介して、ランプ制御基板１５５０から電源（ＧＮＤを含む）及び発光パターンデータなどが入力される。
【０３６０】
ランプ制御基板１５５０から送信される発光パターンデータは、４２個のＬＥＤ３３０２の発光・消灯を制御するためのデータであり、４２個のＬＥＤ３３０２発光（オン）・消灯（オフ）に対応した「１（オン）」、「０（オフ）」のデータである。
【０３６１】
回転機構３３０３は、回路基板３３０１を遊技盤１０２に取り付けるとともに、回路基板３３０１を回転させる機構であり、モータ３３０４及び図示しないギヤ、スリップリング、ブラシを備え、それらをカバーで覆っている。回転機構３３０３にはランプ制御基板１５５０からモータ３３０４に電源（ＧＮＤ）、作動ターンデータデータ（駆動パルス）が送信される。
【０３６２】
回転表示装置１４０は、いわゆる２相（Ａ相、Ｂ相）パルスモータ（ステッピングモータともいう）であり、ランプ制御基板１５５０から供給される電源（ＧＮＤを含む）、Ａ相及びＢ相のパルスにより作動する。より具体的には、Ａ相、Ｂ相に供給されるパルスの順で回転方向が制御され、パルスの数により回転角度が制御される。また、単位時間当たりに供給されるパルスの数で回転速度が制御される。また、上記回路基板３３０１が２個対向して、短手側の一端が回転機構３３０３に支持されるように配置されている。また、回路基板３３０１の短手側の反対端は、円形のリング部材により固定され、回転表示装置１４０の回転時に、回路基板３３０１が振動しないようになっている。
【０３６３】
このような構成の回転表示装置１４０において、回路基板３３０１に直線上に配置されたＬＥＤ３３０２を発光及び消灯させながら回転させると、ＬＥＤ３３０２が発光している部分が、それを視認している者（遊技者）に対し残像を発生させる。例えば、４２個のＬＥＤ３３０２のうち、１個のみを発光させ続けて回転させると、遊技者にとっては、その部分が直線上に見えることになる。
【０３６４】
したがって、ランプ制御基板１５５０から回路基板３３０１に発光パターンデータを送信し、所望のＬＥＤ３３０２を発光させつつ、ランプ制御基板１５５０から回転表示装置１４０に対して、所望速度で所望数のパルス（動作パターンデータ）を送信すると、発生する残像により、所望の映像を得ることができる。
【０３６５】
図３４に残像による映像の例を示す。図３４（ａ）において、ＬＥＤ３３０２のうち発光・消灯させるものを「■」で示し、消灯させておくものを「□」で示す。ランプ制御基板１５５０からモータ３３０４にパルス（動作パターンデータ）を送信して回路基板３３０１を回転させるとともに、ランプ制御基板１５５０から回路基板３３０１に発光パターンデータとして「ＢＫＢ」を送信すると、「■」のＬＥＤが発光・消灯し、「□」のＬＥＤは消灯したままとなり、図３４（ｂ）に示すように、回路基板３３０１が回転して形成させる回転面に、残像として縦の「ＢＫＢ」の文字図柄が提示される。
【０３６６】
また、ランプ制御基板１５５０から、モータ３３０４を制御し、回転表示装置１４０の２個の回路基板３３０１のうち１個を、ＬＥＤ３３０２が配置されている面が遊技盤１０２の正面に位置するようにして静止させ、ＬＥＤ３３０２を上下に順に発光させ、光が上下に流れるような演出を行ってもよい。
【０３６７】
本実施形態では、回転表示装置１４０は、主液晶表示装置１０５の表示領域の左右両端の前面に配置されている（図１参照）。
このように配置されている回転表示装置１４０をランプ制御基板１５５０から送信されるパルス（動作パターンデータ）及び発光パターンデータにより制御することにより種々の演出表示を行うことができるようになっている。
【０３６８】
具体的には、モータ３３０４に対して単位時間に所定数のパルス（動作パターンデータ）を送信することにより、所定の回転速度で所定の回転方向に回転機構３３０３を回転させる。このとき、発光パターンデータによりＬＥＤ３３０２をすべて消灯にすると、対向して配置された２個の細長い回路基板３３０１が主液晶表示装置１０５の前面で回転していることになるので、遊技者は、回転表示装置１４０を通して主液晶表示装置１０５に表示されている演出表示を視認することができる。また、発光しているＬＥＤ３３０２の数が少ない場合には、同様に消灯しているＬＥＤ３３０２の部分に対応する主液晶表示装置１０５に表示されている演出表示を視認できる。
【０３６９】
逆に、ＬＥＤ３３０２が全部又は数多く発光している場合には、主液晶表示装置１０５の前面でＬＥＤ３３０２が発光し、残像が発生するため、主液晶表示装置１０５の表示領域のうち回転表示装置１４０が配置されている部分は視認が困難となる。また、回転表示装置１４０の回転速度が小さい場合（遅く回転している場合）、主液晶表示装置１０５の表示領域のうち回転表示装置１４０が配置されている部分は、回転表示装置１４０の回転に伴って、視認できたりできなかったりする状態が交互に発生する。
【０３７０】
このように、回転表示装置１４０を主液晶表示装置１０５の前面に配置することにより、回転表示装置１４０の回転速度と発光・消灯パターンを制御することにより、主液晶表示装置１０５と回転表示装置１４０とを組み合わせて、種々の演出表示が可能となる。
【０３７１】
さらに、図１に示すように、回転表示装置１４０を主液晶表示装置１０５の前面左右端部に配置した場合、回転表示装置１４０は、ランプ制御装置１５０からそれぞれ逆回転方向に同期して回転するように制御される。
【０３７２】
つまり、一方の回転表示装置１４０の回路基板３３０１が遊技盤２の正面に位置した場合、他方の回転表示装置１４０の回路基板３３０１も遊技盤３３０１の正面に位置するように制御される。
【０３７３】
［副液晶表示装置の移動による演出］
図３５に基づき、次に副液晶表示装置１５０の移動による演出について説明する。なお、副液晶表示装置１５０が移動するための具体的な機構については後述する。
【０３７４】
図３５は、副液晶表示装置１５０の概略の構成を示す図であり、図３５（ａ）は、前面を副表示部３５０１の表面とした状態の図であり、図３５（ｂ）は、副表示部３５０１の回転途中の状態を示す図であり、図３５（ｃ）は、前面を副表示部３５０１の裏面とした状態の図である。
【０３７５】
図３５（ａ）に示すように、副液晶表示装置１５０は、副表示部３５０１と移動機構３５０２とを備えている。
副表示部３５０１は、略長方形の表裏面を有する表示装置であり、図３５（ａ）に示すように、表面には、主液晶表示装置１０５に比べ小型の液晶表示画面３５０１ａを有している。
【０３７６】
また、副表示部３５０１の裏面３５０１ｂには、後述する上部可動役物１６０と連動して作動し、図３５（ｃ）に示すように、上部可動役物１６０と一体化した場合に、表示内容として遊技者の興趣を高める演出内容（例えば、一体化したときに、「４６」の表示）となるような場合の一部となる表示がなされている。
【０３７７】
ここで、「上部可動役物１６０と一体化した場合に,遊技者の興趣を高める演出内容」とは、副表示部３５０１の裏側の表示だけでは演出内容とはならないが、上部可動役物１６０と一体化した場合に演出内容と関連した（又は演出内容となる）装飾、例えば、上部可動役物１６０と一体化したときに数字の「４６」となったり、文字「ＲＵＳＨ」となったり、装飾絵柄となったりするものを意味している。
【０３７８】
移動機構３５０２は、副表示部３５０１を、主液晶表示装置１０５の下側から中央部近傍まで上下に移動させる機構であり、下部回転支持部３５０３と支持装置３５０４とを備えている。
【０３７９】
下部回転支持部３５０３は、副表示部３５０１の両側面に配置され、副表示部３５０１の回転軸を支持するとともに、後述するモータ及びギヤの組み合わせにより、副表示部３５０１を回転させる。下部回転支持部３５０３の正面には、図３５（ｃ）に示すように、上部可動役物１６０と一体化したときに、遊技者の興趣を高める演出表示を行うための演出図柄（図３７参照）の一部が描かれている。
【０３８０】
支持装置３５０４は、後述するモータと複数のギヤの組み合わせにより下部回転支持部３５０３及び下部回転支持部３５０３に支持される副表示部３５０１を、主液晶表示装置１０５の上側から中央部分まで上下に移動させる機構である。
【０３８１】
このような構成の副表示部３５０１は、主液晶表示装置１０５の下側を原点位置としているため、通常主液晶表示装置１０５の下側に位置しているが、上記機構により、演出内容に応じて、上下移動や回転しながらの上下移動を行って遊技者により興趣を起こさせる演出を行うことが可能となっている。
【０３８２】
例えば、副液晶表示装置１５０を主液晶表示装置１０５の下側（原点位置）から中央部まで上昇させる場合には、原点位置では、図３５（ａ）に示すように、前面を副表示部３５０１の表面（液晶表示画面３５０１ａ）とし、原点位置から上昇させつつ図３５（ｂ）に示すように副表示部３５０１を回転させ、主液晶表示装置１０５の中央部では、前面に副表示部３５０１の裏面となるようにし、上部可動役物１６０と一体化させるようにする。
【０３８３】
［上部可動役物］
図３６に基づき、次に上部可動役物１６０について説明する。図３６は、上部可動役物１６０の概略の構成を示す図である。図３６（ａ）は、上部可動役物１６０の全体の構成図であり、図３６（ｂ）は、回転役物３６０１の拡大図である。
【０３８４】
図３６（ａ）に示すように、上部可動役物１６０は、回転役物３６０１、上部移動機構３６０２及び固定部３６０３を備えている。
図３６（ｂ）に示すように、回転役物３６０１は、左回転役物３６０１ａ、中回転役物３６０１ｂ及び右回転役物３６０１ｃの３個の回転役物からなり、３個の回転役物３６０１ａ，３６０１ｂ、３６０１ｃは、すべて三角柱形状であり、三角形状の中心を回転軸として、回転できるようになっている。また、回転役物３６０１ａ、３６０１ｂ、３６０１ｃの３個の方形状の面には、図柄表示がなされている。
【０３８５】
また、回転役物３６０１ａ、３６０１ｂ、３６０１ｃの隣接する面（三角柱形状の底面及び天面の何れか又は両方）には磁石が配置されている。当該磁石の配置については後述する。
【０３８６】
上部移動機構３６０２は、回転役物の両端部（図３６では、左回転役物の左側と右回転役物の右側）に配置され、回転役物３６０１の回転軸を支持するとともに、図示しないモータ及びギヤの組み合わせにより、図３６（ｂ）に示すように、３個の回転役物のうち左回転役物３６０１ａと右回転役物３６０１ｃとを同じ回転方向、中回転役物３６０１ｂを逆回転方向に回転させ、所定の位置で停止させる。
【０３８７】
また、上部移動機構３６０２は、図示しないモータと複数のギヤの組み合わせにより回転役物３６０１を、主液晶表示装置１０５の上側から中央部分まで上下に移動させるようになっている。
【０３８８】
図３７に基づき、ここで、上部可動役物１６０の作動について説明する。図３７は、上部可動役物１６０の作動状態を示す図である。
図３７（ａ）に示すように、上部移動機構３６０２は、回転役物３６０１を、主液晶表示装置１０５の上側にある原点位置とし、回転役物３６０１と固定部３６０３とを一体化させた場合には、固定部３６０３の後部に位置し、遊技者からは視認できないようになっている。また、原点位置では、回転役物３６０１は、回転できないようになっている。
【０３８９】
そして、図３７（ｂ）に示すように、上部移動機構３６０２により回転役物３６０１を原点位置から少し下降させた場合には、遊技者から下部が視認できるようになる。
図３７（ｃ）に示すように、回転役物３６０１を更に下降させると、回転役物３６０１及び上部移動機構３６０２が視認可能となる。この状態で、回転役物３６０１を構成する左回転役物３６０１ａ、中回転役物３６０１ｂ及び右回転役物３６０１ｃは回転可能となり、図３７（ａ）に示す「Ｋ」の下の部分の表示から変化し、図３７（ｄ）に示すように「４６」の上の部分の表示に変化していく。
【０３９０】
固定部３６０３は、回転役物３６０１が最上部に位置しているときにその両側に位置するように、主液晶表示装置１０５の上側に固定されている。また、固定部３６０３の表面には、図柄表示（本実施形態では、図３７（ａ）に示すように「Ｂ」の文字）がなされており、回転役物３６０１の図柄表示と一体となって、遊技者の興趣を高める演出表示を行うようになっている。
【０３９１】
また、各回転役物３６０１ａ〜３６０１ｃの３角柱形状の四角の側面には、複数の図柄表示がなされている。したがって、図３７（ａ）に示すように、上部移動機構３６０２により回転役物３６０１が原点位置に位置すると、固定部３６０３と一体化して遊技者の興趣を高める演出表示を行うようになっている（本実施形態の場合「ＢＫＢ］の文字表示）。また、回転役物３６０１を下降させた場合には、図３７（ｂ）〜図３７（ｄ）に示すように、各回転役物３６０１ａ〜３６０１ｃを回転させ、回転役物３６０１が最上部に位置するときとは異なる演出図柄（本実施形態の場合「４６」の文字の一部）を表示するようになっている。
【０３９２】
なお、各回転役物３６０１ａ〜３６０１ｃを回転させて停止させたときは、方形状の面が同一平面上に揃うこととなる。そしてそのとき各方形状の面は固定部３６０３の前面とも同一平面に位置することとなる。よって、全体として統一感のある形状が完成する。なお、３つの方形状の面が同一平面上にあれば、固定部３６０３の前面とは同一平面に位置する必要はなく、美観を考慮した様々なデザインとすることができる。
【０３９３】
このように、上部回転支持部３６０４により３つの回転役物３６０１ａ，３６０１ｂ、３６０１ｃを回転させたり、静止させたりしながら上部回転支持部３６０４を上下に移動させることにより、種々の演出を行うことができる（図３７（ａ）〜図３７（ｄ）参照）。さらに、副液晶表示装置１５０と遊技盤１０２中央近傍で近接させたり一体化させたりすることで、さらに遊技者にとって興趣を高める演出を行うことができる（図３８参照）。
【０３９４】
［回転表示装置と他の可動役物等との連動作動］
図３８及び図３９に基づき、次に、回転表示装置１４０、主液晶表示装置１０５、副液晶表示装置１５０及び上部可動役物１６０の連動作動について説明する。図３８は、回転表示装置１４０、副液晶表示装置１５０及び上部可動役物１６０を連動させて演出を行った場合の図であり、図３９は、回転表示装置１４０、主液晶表示装置１０５、副液晶表示装置１５０及び上部可動役物１６０を連動させて演出を行った場合の図である（図３８の態様に対し、主液晶表示装置１０５を加えた態様）。また、図４０は、回転表示装置１４０と主液晶表示装置１０５を連動させて演出を行った場合の図である。
【０３９５】
図３８に示すように、上部可動役物１６０を遊技盤１０２中央部近傍まで降下させ、副液晶表示装置１５０（副表示部３５０１及び下部回転支持部３５０３を意味する。以下、図３８及び図３９の説明においては同様の意味とする）を遊技盤１０２中央近傍まで上昇させ、上部可動役物１６０と副液晶表示装置１５０とを一体化させる。このとき、副液晶表示装置１５０は裏面を表示させて、上部可動役物１６０の表示と一体化した表示内容（本実施形態の場合「４６」）とする。
【０３９６】
なお副液晶表示装置１５０は上昇する前は上部が奥側となるように傾斜しており、上昇して上部可動役物１６０と一体化するときには奥側が前方に移動して前面が略鉛直になる。
【０３９７】
上部可動役物１６０と副液晶表示装置１５０とを一体化させたうえで、回転表示装置１４０の縦方向に、上部可動役物１６０と副液晶表示装置１５０とを一体化させたものに表示させている内容と関連させた表示（例えば、グループ名「ＢＫＢ」）を提示させ、上部可動役物１６０、副液晶表示装置１５０と一体になって、グループ名を表示するような演出を行う。
【０３９８】
また、図３９に示すように、図３８に示す態様に加え、主液晶表示装置１０５のうち、遊技者が視認可能な領域（上部可動役物１６０と副液晶表示装置１５０とが一体化して視認できない領域を除く左右両端部分）に、縦に「ＢＫＢ」の表示を行うようにしてもよい。
【０３９９】
さらに、図４０に示すように、回転表示装置１４０と主液晶表示装置１０５を用い、２個の回転表示装置１４０に縦に文字表示（「ＢＫＢ」）を行い、主液晶表示装置１０５の表示領域の４隅に文字表示（図４０（ａ）において、左上隅に「ＴＹＭ」、右上隅に「ＮＩＭ」、右下隅に「ＳＳＫ」、左下隅に「ＭＮＮ」の４個）を行う。
【０４００】
そして、２個の回転表示装置１４０に表示されている文字と主液晶表示装置１０５の表示領域の４隅に表示されている文字を右回転移動するように表示を変化させる（図４０（ａ）〜図４０（ｄ）参照）。
【０４０１】
このように、回転表示装置１４０、主液晶表示装置１０５、副液晶表示装置１５０及び上部可動役物１６０を連動させて作動させることにより、「ＢＫＢ」の表示を、遊技盤１０２上で異なる４カ所に表示することができ、遊技者にとって非常にインパクトのある（興趣を高める）表示内容とすることができる。
【０４０２】
［副液晶表示装置の移動機構］
図４１〜図４５に基づき、副液晶表示装置１５０の移動機構について説明する。まず、図４１、図４２により上下方向の移動を実現する機構を説明する。
【０４０３】
図４１（Ａ）は、副液晶表示装置１５０の正面図である。副表示部３５０１と下部回転支持部３５０３を含む前方部４１０１は破線で示している。副液晶表示装置１５０のうち、前方部４１０１を除く部分が、前方部４１０１を移動させる支持装置３５０４となる。
【０４０４】
本図では上下方向に関して一体となって移動するものについて色分けして示している。支持装置３５０４は、固定部４１０２と、第１移動部４１０３と、第２移動部４１０４と、を含む。
【０４０５】
固定部４１０２は遊技盤１０２に固定されている。第１移動部４１０３及び第２移動部４１０４は固定部４１０２に対して上下方向に移動可能に連結されている。また前方部４１０１は第２移動部４１０４に取り付けられている。
【０４０６】
図４１（Ａ）は前方部４１０１が下方に位置するときの状態を示している。この状態からわずかに前方部４１０１が上方に移動した状態を図４１（Ｂ）に示す。図４１（Ｂ）を用いて、主に固定部４１０２の構造を説明する。なお図４１（Ｂ）は図４１（Ａ）と同様に副液晶表示装置１５０の正面図である。
【０４０７】
図４１（Ｂ）に示すように、固定部４１０２にはモータ４１１１と、第１回転体４１１２が設けられている。モータ４１１１の回転駆動力は図示しないギヤなどを介して第１回転体４１１２に伝えられる。つまりモータ４１１１が第１回転体４１１２を回転させる。
【０４０８】
第１回転体４１１２は回転軸４１１３を中心に回転する。第１回転体４１１２における回転軸４１１３から間隔を空けた位置に突起４１１４が設けられている。この突起４１１４は第１移動部４１０３に設けられた左右方向に長さを有する溝４１１５の内部に差込まれて溝４１１５と係合している。
【０４０９】
このように構成された固定部４１０２は、モータ４１１１が第１回転体４１１２を回転させると、突起４１１４が上下移動し、それにより第１移動部４１０３が上下に移動する。図４１（Ｂ）の状態は図４１（Ａ）の状態よりも第１回転体４１１２が左回りに回転して突起４１１４が上昇しており、それにより第１移動部４１０３は上方に移動している。
【０４１０】
図４２（Ａ）は、図４１（Ｂ）よりも前方部４１０１が上方に移動した状態を示している。図４２（Ａ）を用いて、主に第１移動部４１０３の構造を説明する。なお図４２（Ａ）、（Ｂ）は副液晶表示装置１５０の正面図である。
【０４１１】
図４２（Ａ）に示すように、第１移動部４１０３にはギヤ４２０１と、第２回転体４２０２と、２つの突条４２０３と、が設けられている。
ギヤ４２０１は、上下方向に延びるラック４２０４と係合する。ラック４２０４は上述した固定部４１０２に固定されており、第１移動部４１０３が上下方向に移動したときに、いわゆるラックアンドピニオン構造によりギヤ４２０１が回転する。
【０４１２】
ギヤ４２０１が回転すると、図示しないギヤなどを介して、第１移動部４１０３に設けられる回転軸４２０５を中心に第２回転体４２０２が回転する。上述したように第１移動部４１０３はモータ４１１１により上下動しているため、第２回転体４２０２はモータ４１１１の駆動力によって回転しているといえる。
【０４１３】
第２回転体４２０２における回転軸４２０５から間隔を空けた位置には突起４２０６が設けられている。この突起４２０６は第２移動部４１０４に設けられた左右方向に長さを有する貫通孔４２０７に差込まれて貫通孔４２０７と係合している。
【０４１４】
そしてモータ４１１１によって第１移動部４１０３が上昇すると、第２回転体４２０２が右回転し、突起４２０６が上方に移動することにより第２移動部４１０４を上方向に移動させる。図４２（Ａ）の状態から更に第２回転体４２０２が右回転すると、第２移動部４１０４が上部まで移動した図４２（Ｂ）の状態となる。前方部４１０１は第２移動部４１０４に取り付けられているため、第２移動部４１０４の移動に伴って移動する。
【０４１５】
以上説明した機構により、副液晶表示装置１５０の前方部４１０１は、支持装置３５０４によって上方向に移動する。また、モータ４１１１が逆に回転することで、前方部４１０１は下方向に移動する。
【０４１６】
続いて前方部４１０１の上下移動に伴う回転変位（傾斜）について説明する。まず、回転変位を実現するための第２移動部４１０４の構造を説明する。
図４２（Ｂ）は、図４２（Ａ）よりも前方部４１０１が上方に移動した状態である。第２移動部４１０４には左右方向に延びる軸４２１１と、つるまきバネ４２１２と、ローラーユニット４２１３と、が設けられている。
【０４１７】
軸４２１１は、第２移動部４１０４における所定の位置において、軸４２１１の中心軸を中心に回転可能となっている。
つるまきバネ４２１２は、軸４２１１を所定方向に回転するように付勢している。付勢方向については後述する。
【０４１８】
ローラーユニット４２１３は、左右方向の間隔を空けた２箇所に設けられており、それぞれ軸４２１１に固定されている。またローラーユニット４２１３は、軸４２１１と同じ方向の回転軸を有するローラ４２１４を有している。ローラ４２１４は上述した突条４２０３と接触可能な位置に配置される。
【０４１９】
図４３を用いて、前方部４１０１（表示部３５０１及び下部回転支持部３５０３）の高さに応じた傾斜状態を説明する。図４３（Ａ）は前方部４１０１が下方に位置する状態の側面図であり、図４３（Ｂ）は前方部４１０１が所定量上昇した状態の側面図であり、図４３（Ｃ）は前方部４１０１が上方に位置する状態の側面図である。
【０４２０】
図４３（Ｃ）のように前方部４１０１が上方に位置する状態であるとき、図１に破線で示すように、副表示部３５０１は遊技領域１１０の中央部に位置している。以降、このときの副表示部３５０１の位置を第１位置とする。また、図４３（Ａ）のように前方部４１０１が下方に位置する状態であるときの副表示部３５０１の位置を第２位置とする。つまり副表示部３５０１は少なくとも第１位置と第２位置との間を移動可能である。
【０４２１】
補足的に説明すると、第１位置は遊技機１が演出を行う演出領域の中央近傍の位置であって、第２位置はその演出領域の外縁側の位置である。ここでいう演出領域とは遊技中の遊技者に対して視覚的な演出を実行する領域であって、遊技機１においては遊技領域１１０と同義である。
【０４２２】
図４３（Ａ）、（Ｃ）から明らかなように、副表示部３５０１が第１位置に位置するときの傾斜角度と、第２位置に位置するときの傾斜角度と、は異なる傾斜角度となる。より具体的には、副表示部３５０１が第１位置に位置するときは表面（液晶表示画面３５０１ａ）が遊技盤１０２と平行（鉛直方向と略平行）となり、副表示部３５０１が第２位置に位置するときは遊技者から見て表面の上部が下部よりも奥側に位置するように傾斜する。
【０４２３】
図４４、図４５を用いて、副表示部３５０１の傾斜機構を説明する。なお、以下では下部回転支持部３５０３の傾斜について説明するが、副表示部３５０１はそれを単独で回転させる制御を実行しない限り下部回転支持部３５０３の変位に従って変位するため、副表示部３５０１（液晶表示画面３５０１ａ）も下部回転支持部３５０３と同様に傾斜する。また、下部回転支持部３５０３は左右に設けられているが、傾斜機構の概要は左右同様であるため、一方のみを説明し、他方の説明は割愛する。また、図４４、図４５の説明において、左右は図面中の方向を意味するにすぎず、実際とは相違する場合がある。
【０４２４】
図４４は、第１移動部４１０３に設けられている突条４２０３を基準として、第２移動部４１０４に取り付けられている下部回転支持部３５０３とローラーユニット４２１３が上下方向に移動した時の状態を示す側面図である。実線で示す下部回転支持部３５０３とローラーユニット４２１３は、第１位置のときのそれらの位置を示している。破線は第２位置のときの位置を示している。
【０４２５】
ローラーユニット４２１３は軸４２１１を中心に回転可能となっており、また本図では図示しないつるまきバネ４２１２により本図で右回りに軸４２１１を付勢している。よって、軸４２１１に固定されているローラーユニット４２１３の上端のローラ４２１４は右方向に付勢される。
【０４２６】
第２位置のとき、ローラ４２１４は突条４２０３と接している。突条４２０３は、上部の手前側（左側）が削られたように厚みが薄く（第１移動部４１０３からの突出量が小さく）なる傾斜部４２０３ａが形成されている。よって下部回転支持部３５０３が上昇すると、傾斜部４２０３ａの形状に合わせてローラ４２１４が右に移動可能となり、軸４２１１は右回りに回転する。この軸４２１１の回転と下部回転支持部３５０３の回転との関係を図４５にて説明する。
【０４２７】
図４５（Ａ）は軸４２１１が上述したように右回転する前の下部回転支持部３５０３状態を示す側面図であり、図４５（Ｂ）は軸４２１１が右回転した後の状態を示す側面図である。
【０４２８】
軸４２１１には、軸４２１１を回転軸として回転するリンク部材４５０１が取り付けられている。リンク部材４５０１には、軸４２１１から間隔を空けて連結軸４５０２が設けられている。
【０４２９】
一方、下部回転支持部３５０３は第２移動部４１０４に設けられた回転軸４５０３を中心に回転可能に構成されている。また下部回転支持部３５０３は連結軸４５０２とも連結されている。なお、下部回転支持部３５０３と連結軸４５０２との連結部分には若干のクリアランスが設けられている。
【０４３０】
ここで、ローラーユニット４２１３（ローラ４２１４）の右方向への移動に伴って軸４２１１が右回転すると、連結軸４５０２も軸４２１１を中心に右回転する。そのときの連結軸４５０２の移動は回転軸４５０３を基準に見ると左方向への移動となる。よって、連結軸４５０２と連結している下部回転支持部３５０３は左方向に回転して傾斜する。
【０４３１】
以上説明したように、第２移動部４１０４が第１移動部４１０３に対して上昇すると、それに伴って下部回転支持部３５０３が傾斜する。その結果、副表示部３５０１も傾斜することとなる。
【０４３２】
なお、図３８などで示すように、上昇した副表示部３５０１及び下部回転支持部３５０３が上部可動役物１６０と一体化するときには、副表示部３５０１の液晶表示画面３５０１ａは、鉛直方向と略平行、かつ、遊技機１の後方を向く位置になっている。換言すると、液晶表示画面３５０１ａと平行である副表示部３５０１の裏面３５０１ｂが、鉛直方向と略平行になっている。その結果、副表示部３５０１及び下部回転支持部３５０３が上部可動役物１６０と揃い、上述した「４６」などの表示内容が完成することとなる。
【０４３３】
なお、第２移動部４１０４が下降すると、ローラ４２１４が上記とは逆に移動して軸４２１１が左回転する結果、下部回転支持部３５０３及び副表示部３５０１は元の位置に戻ることとなる。
【０４３４】
［副表示部の回転機構］
図４６〜図５０に基づき、副表示部３５０１の回転機構について説明する。
図４６は、下部回転支持部３５０３の内部を説明する斜視図である。副表示部３５０１は左右の下部回転支持部３５０３により支持されるが、その一方に駆動源が設けられ、他方は単に支持するだけであるため、駆動源が設けられる側のみ説明する。なお回転機構の説明に必須でない構造の一部は図示を省略している。
【０４３５】
下部回転支持部３５０３には、副表示部３５０１の回転軸となる第１軸４６０１と、第１ギヤ４６０２と、第２ギヤ４６０３と、第２軸４６０４と、回転制御用ギヤ４６０５と、副表示部３５０１を回転させるステッピングモータを備えるモーターユニット４６０６と、を有している。
【０４３６】
第１ギヤ４６０２はモーターユニット４６０６の駆動力を受けて回転する。第２ギヤ４６０３は２段ギヤであり、下段のギヤが第１ギヤ４６０２とかみ合って回転する。第２ギヤ４６０３は第１軸４６０１に固定されている。副表示部３５０１も第１軸４６０１に固定されており、第２ギヤ４６０３は副表示部３５０１の回転と共に回転する。
【０４３７】
回転制御用ギヤ４６０５は第２ギヤ４６０３の上段のギヤとかみ合って、第２軸４６０４を中心として回転する。つまり、副表示部３５０１の回転と回転制御用ギヤ４６０５との回転は連動している。
【０４３８】
図４７（Ａ）、（Ｂ）は、下部回転支持部３５０３の内部を示す側面図である。図４７（Ａ）に示されるように、第２軸４６０４から外側に延び出す突出片４７０１が設けられている。
【０４３９】
また第２軸４６０４の近傍には板バネ４７０２が設けられている。板バネ４７０２は一方の端部４７０３が下部回転支持部３５０３にネジ止めにより固定されている。板バネ４７０２の中央部には、第２軸４６０４に向かって飛び出すように折り曲げられてなる山折り部４７０４が形成されている。
【０４４０】
また下部回転支持部３５０３には壁部４７０５が設けられている。
板バネ４７０２は、端部４７０３を基点に第２軸４６０４に対する距離が変化するように（図４７（Ａ）における矢印方向に）弾性変位する。壁部４７０５は、板バネ４７０２の他方の端部と接触することで板バネ４７０２がそれ以上第２軸４６０４側に変位することを抑制する。
【０４４１】
図４８（Ａ）、（Ｂ）を用いて、回転制御用ギヤ４６０５の詳細な形状を説明する。図４８（Ａ）は回転制御用ギヤ４６０５を軸方向から見た図であり、図４８（Ｂ）は斜視図である。回転制御用ギヤ４６０５は、中心に筒状の軸受４８０１が形成されており、ここに第２軸４６０４が挿入される。また軸受４８０１を中心に板状の歯車４８０２が形成されている。また軸受４８０１の周囲を囲うように、軸受４８０１と略同軸の筒部４８０３が形成されている。
【０４４２】
筒部４８０３の内側には、軸受４８０１に向かって延び出す当接部４８１１が形成されている。また筒部４８０３は、外側に突出するものを凸として、凸部４８１２ａ、凹部４８１２ｂ、凸部４８１２ｃからなる第１凹凸部４８１２と、凸部４８１３ａ、凹部４８１３ｂからなる第２凹凸部４８１３と、凹部４８１４ａ、凸部４８１４ｂからなる第３凹凸部４８１４と、が形成されている。
【０４４３】
上述した回転制御用ギヤ４６０５を第２軸４６０４取り付けると、図４７（Ｂ）のようになる。
図４９（Ａ）、（Ｂ）を用いて、回転制御用ギヤ４６０５による副表示部３５０１の回転範囲制御について説明する。なお図４９（Ａ）、（Ｂ）は回転制御用ギヤ４６０５を軸方向から見た図であるが、回転制御用ギヤ４６０５における筒部４８０３以外の構成については図示を省略する。
【０４４４】
回転制御用ギヤ４６０５が回転すると当接部４８１１も第２軸４６０４を中心に回転変位するが、突出片４７０１は、当接部４８１１が回転変位したときに通過する領域に配置されているため、当接部４８１１と接触することによって当接部４８１１の移動を制限する。即ち、図４９（Ａ）の位置から図４９（Ｂ）の位置までの１回転弱の範囲内でのみ当接部４８１１の移動が許可される。このように、突出片４７０１と当接部４８１１により、回転制御用ギヤ４６０５の回転可能範囲が定められる。
【０４４５】
そして、上述したように副表示部３５０１の回転と回転制御用ギヤ４６０５の回転とは連動しているため、副表示部３５０１が、回転制御用ギヤ４６０５の回転可能範囲により定まる範囲を超えて回転することが抑制される。本実施形態においては、２回転半までの範囲に抑制される。
【０４４６】
図５０（Ａ）〜（Ｃ）を用いて、回転制御用ギヤ４６０５による副表示部３５０１の回転方向に関する位置決めについて説明する。なお図５０（Ａ）〜（Ｃ）は回転制御用ギヤ４６０５を軸方向から見た図であるが、板バネ４７０２に関連する部分、及び回転制御用ギヤ４６０５の筒部４８０３以外の構成については図示を省略する。
【０４４７】
第２軸４６０４に回転制御用ギヤ４６０５を取り付けると、筒部４８０３の外周に山折り部４７０４が接触する。山折り部４７０４は板バネ４７０２全体の弾性力により常に筒部４８０３に向けて付勢されているため、図５０（Ａ）〜（Ｃ）に示すように、回転制御用ギヤ４６０５が回転すると、第１凹凸部４８１２の凹部４８１２ｂ、第２凹凸部４８１３の凹部４８１３ｂ、第３凹凸部４８１４の凹部４８１４ａ、に山折り部４７０４が入り込んで係止する。
【０４４８】
副表示部３５０１の回転量はモーターユニット４６０６のステップ数制御により制御されているが、上述したように回転制御用ギヤ４６０５の位置を板バネ４７０２により係止することで、副表示部３５０１の位置決めが実現される。
【０４４９】
なお、第１凹凸部４８１２において、凹部４８１２ｂは両側の凸部４８１２ａ、凸部４８１２ｃに囲まれることで形成されており、凹部４８１３ｂ、凹部４８１４ａと比較すると第２軸４６０４から離れた位置にある。よって板バネ４７０２の弾性力を強く受けることとなり、位置決めを良好に実現できる。
【０４５０】
また第２凹凸部４８１３において、凹部４８１３ｂの深さは凸部４８１３ａ側の方が、その反対側の壁面５００１側より深い。よって、凹部４８１３ｂに山折り部４７０４が入り込んでいるとき、回転制御用ギヤ４６０５が回転して山折り部４７０４が凸部４８１３ａを乗り越える方向には係止が解除されにくい一方、壁面５００１側には係止が解除されやすい。
【０４５１】
また第３凹凸部４８１４の場合も同様に、凹部４８１４ａに山折り部４７０４が入り込んでいるとき、回転制御用ギヤ４６０５が回転して山折り部４７０４が凸部４８１４ｂを乗り越える方向には係止が解除されにくい一方、壁面５００１側には係止が解除されやすい。
【０４５２】
即ち、山折り部４７０４が壁面５００１上をスライドして凹部４８１３ｂや凹部４８１４ａに入り込むように回転制御用ギヤ４６０５が回転すると、スムーズに各凹部に山折り部４７０４が入り込むと共に、回転しすぎて係止が解除されてしまうことが抑制される。また、山折り部４７０４が壁面５００１上に乗りあがる方向への係止解除は相対的に容易であり、スムーズに実現される。
【０４５３】
このことを利用して、山折り部４７０４が第２凹凸部４８１３と第３凹凸部４８１４との間（図５０（Ｃ）における矢印の間）を移動するように副表示部３５０１を回転制御することで、その位置決め精度を高めるとともにスムーズな回転を実現できる。例えば、山折り部４７０４が第２凹凸部４８１３と係止する位置を副表示部３５０１の表示画面が正面を向く位置とし、山折り部４７０４が第３凹凸部４８１４と係止する位置を表示画面が背面を向く位置とすれば、正面から背面へ、又はその反対方向の半回転を滑らかにかつ高い位置決め精度で実現できる。
【０４５４】
［モーターユニットの詳細構成］
図５１〜図５４に基づき、モーターユニット４６０６の詳細な構成について説明する。
図５１（Ａ）はモーターユニット４６０６の斜視図であり、図５１（Ｂ）はモーターユニット４６０６の平面図であり、図５１（Ｃ）はモーターユニット４６０６の側面図である。
【０４５５】
モーターユニット４６０６は、モータ５１０１と、ギヤユニット５１０２と、を有する。ギヤユニット５１０２にはモーターユニット４６０６の出力を行う出力ギヤ５１０３が設けられている。
【０４５６】
図５２は、モーターユニット４６０６の分解斜視図である。図５２に示すように、モーターユニット４６０６は、ギヤユニット５１０２を構成する、第１ハウジング５２０１、伝達部５２０２、３つの補助ギヤ５２０３、回転体補助部５２０４、第２ハウジング５２０５、及びギヤ側ネジ５２０６と、モータ５１０１と、モータ側ネジ５２０７と、を有する。
【０４５７】
第１ハウジング５２０１は、概形が略円筒形状であって、その内側がモータ５１０１の出力回転軸と同軸の内歯車５２０８として形成されている。軸方向の一方には貫通孔５２０９が形成されており、他方は完全に開放されている。
【０４５８】
また第１ハウジング５２０１の外周には、ギヤ側ネジ５２０６と螺合する上記軸方向と同方向の第１ネジ孔５２１１と、モータ側ネジ５２０７と螺合する上記軸方向と同方向の第２ネジ孔５２１２と、モーターユニット４６０６を下部回転支持部３５０３に固定するときに用いる第３ネジ孔５２１３と、が設けられている。
【０４５９】
伝達部５２０２は全体として略円盤形状であって、一方の面の中央に出力ギヤ５１０３が設けられている。出力ギヤ５１０３と反対側の面には、等間隔の３箇所にギヤ軸５２１４が形成されている。
【０４６０】
補助ギヤ５２０３には、ギヤ軸５２１４を挿入可能な貫通孔５２１５が形成されている。補助ギヤ５２０３は貫通孔５２１５にギヤ軸５２１４を挿入した状態でギヤ軸５２１４を中心に回転可能に構成されている。
【０４６１】
回転体補助部５２０４は、円板状の部材であって、中央に後述するモータギヤ５２２１が通過する貫通孔５２１７が形成されている。また回転体補助部５２０４はギヤ軸５２１４それぞれと連結可能に構成されており、ギヤ軸５２１４に補助ギヤ５２０３を取り付けた状態でギヤ軸５２１４と連結することで、補助ギヤ５２０３がギヤ軸５２１４から脱落してしまうことを抑制する。
【０４６２】
第２ハウジング５２０５は、円板状の部材であって、その外周には、ギヤ側ネジ５２０６が挿入可能である上記軸方向と同方向の第１挿入孔５２１８と、モータ側ネジ５２０７が挿入可能である上記軸方向と同方向の第２挿入孔５２１９と、が形成されている。
【０４６３】
また第２ハウジング５２０５の中央に、後述するモータギヤ５２２１が通過する貫通孔５２２０が形成されている。
そして、伝達部５２０２のギヤ軸５２１４に補助ギヤ５２０３を取り付けて回転体補助部５２０４を連結したものを、第１ハウジング５２０１の円筒状部分に挿入して、第１ハウジング５２０１の開口を第２ハウジング５２０５で覆い、ギヤ側ネジ５２０６を第１挿入孔５２１８を通して第１ネジ孔５２１１に螺合させて固定することでギヤユニット５１０２が完成する。
【０４６４】
モータ５１０１は、ギヤレスのステッピングモータであり、電力の供給を受けてモータギヤ５２２１を回転させる。また外周部には、モータ側ネジ５２０７が挿入可能である上記軸方向と同方向の挿入孔５２２２が形成されている。
【０４６５】
モータ５１０１とギヤユニット５１０２との連結は、回転体補助部５２０４の貫通孔５２１７と第２ハウジング５２０５の貫通孔５２２０とにモータギヤ５２２１が挿入された状態で、モータ側ネジ５２０７を、挿入孔５２２２及び第２挿入孔５２１９を通して第２ネジ孔５２１２に螺合させて固定することで実現される。
【０４６６】
図５３は、図５１（Ｃ）のＡ−Ａ断面図である。モータギヤ５２２１の回転駆動力は補助ギヤ５２０３に伝えられる。補助ギヤ５２０３は内歯車５２０８とかみ合っているため補助ギヤ５２０３の回転力は内歯車５２０８に伝えられるが、内歯車５２０８はモータ５１０１に対して固定されているため、内歯車５２０８が回転することなく、補助ギヤ５２０３自体がモータギヤ５２２１の周囲（モータギヤ５２２１の回転軸を中心とする円周上）を回転移動する。そのときに補助ギヤ５２０３がギヤ軸５２１４を回転させることで伝達部５２０２が回転し、出力ギヤ５１０３が回転する。
【０４６７】
このように補助ギヤ５２０３がモータギヤ５２２１の周囲を回転移動することで伝達部５２０２が回転することから、出力ギヤ５１０３はモータギヤ５２２１の回転軸と同軸で回転することとなる。
【０４６８】
図５４は、副液晶表示装置１５０を正面から見たときのモーターユニット４６０６の概略配置を示す図である。モーターユニット４６０６は厚さが抑えられているため、下部回転支持部３５０３の内部に収めることができる。
【０４６９】
［回転部材の磁石配置］
図５５、図５６を用いて、回転役物３６０１の磁石配置について説明する。図５５は回転役物３６０１の斜視図であるが、配置を理解しやすくする目的で左回転役物３６０１ａ、中回転役物３６０１ｂ及び右回転役物３６０１ｃの間隔を空けて示している。
【０４７０】
図５５において、軸５５は各回転役物３６０１が上部移動機構３６０２によって回転するときの回転軸である。各回転役物３６０１は側面視で正三角形であり、軸５５はその中心を通過する。
【０４７１】
各回転役物３６０１における図５５中の左側側面を第１面、右側側面を第２面とする。左回転役物３６０１ａは第１面３６０１ａａ、第２面３６０１ａｂを有する。また中回転役物３６０１ｂは第１面３６０１ｂａ、第２面３６０１ｂｂを有する。また右回転役物３６０１ｃは第１面３６０１ｃａ、第２面３６０１ｃｂを有する。
【０４７２】
上述したように図５５では各回転役物３６０１は間隔が空いているが、実際には、第２面３６０１ａｂと第１面３６０１ｂａが対向して隣接し、第２面３６０１ｂｂと第１面３６０１ｃａが対向して隣接している。これら隣接する各面には、磁石５５０２が配置されている。なお磁石５５０２は各面の表面に露出していてもよいが、表面には露出しておらず、各面の表面近傍に配置されていてもよい。
【０４７３】
図５６（Ａ）に第２面３６０１ａｂにおける磁石５５０２の配置を示す。磁石５５０２は第２面３６０１ａｂにおける３箇所の頂点のうちの１つの近傍に配置されている。より具体的には、軸５５０１を中心とする第２面３６０１ａｂの内接円５６０１の外側に磁石５５０２の少なくとも一部が位置するように配置される。本実施形態では磁石５５０２全体が内接円５６０１の外側に配置される。
【０４７４】
図５６（Ｂ）に第１面３６０１ｂａにおける磁石５５０２の配置を示す。磁石５５０２は第１面３６０１ｂａにおける３箇所の頂点それぞれの近傍に配置されている。なお第２面３６０１ａｂの場合と同様に内接円５６０１の外側に磁石５５０２の少なくとも一部が位置するように配置される。
【０４７５】
回転役物３６０１を回転駆動させる上部移動機構３６０２は、各回転役物３６０１の頂点が揃う位置関係となるように各回転役物３６０１の回転と停止を制御する。換言すると上部移動機構３６０２は、対向して隣接する第２面３６０１ａｂと第１面３６０１ｂａ、及び第２面３６０１ｂｂと第１面３６０１ｃａが、それぞれ頂点が揃う位置関係となるように回転と停止を制御する。
【０４７６】
第２面３６０１ａｂに配置された磁石５５０２は、上述した位置関係となったときに第１面３６０１ｂａに配置された各磁石５５０２のいずれかと吸引し合い、上述した位置関係を保持する位置に配置されている。
【０４７７】
なお、第２面３６０１ｂｂと第１面３６０１ｃａも、上述した第２面３６０１ａｂと第１面３６０１ｂａと同様の位置関係で磁石５５０２が配置されている。
［磁石配置のバリエーション］
磁石５５０２の配置は上述したものに限定されないので、以下にそのバリエーションの例を説明する。
【０４７８】
なお、ここまでは正三角形である第１面及び第２面の側面の頂点が揃うように隣接する回転役物を回転させることを前提に説明したが、第１面及び第２面は、正三角形以外の多角形であってもよいし、それ以外の形状であってもよい。２つの回転役物が回転に相対的に角度を変更した結果、それらの組み合わせによって何らかの有意の形状を構成するならば、回転役物をそのように回転させる意味が生じる。以降、このように有意の形状を構成するように組み合わせた状態を「回転態様」と述べる。例えば上述した図５５の場合は３つの回転態様が３つ存在する。
【０４７９】
対向して隣接する２つの面において、配置される磁石の数は特に限定されない。例えば第２面３６０１ａｂには１つの磁石５５０２が配置されている構成を例示したが、第１面３６０１ｂａのように３箇所に配置されていてもよいし、２箇所であってもよい。また、例えば第２面３６０１ａｂと第１面３６０１ｂａの両方とも２箇所に磁石５５０２が配置される構成であってもよい。
【０４８０】
なお、取り得る回転態様の全てにおいて、隣接する面のいずれかの磁石５５０２同士が吸引し合って位置関係を保持するように磁石５５０２が配置されていると、どの回転態様となるように回転させても位置関係を保持することができる。
【０４８１】
図５７（Ａ）〜（Ｄ）に、回転役物として側面形状が三角形以外のものを用いたときの磁石５５０２の配置の例を示す。各図は隣接する２つの回転役物の対向する面の組み合わせを示している。つまり各面はそれぞれ異なる回転役物に設けられる面である。図５７（Ａ）、（Ｂ）は四角形のときの例であり、頂点同士が揃う４つの回転態様が存在する。また図５７（Ｃ）、（Ｄ）は六角形のときの例であり、６つの回転態様が存在する。
【０４８２】
図５７（Ａ）には、一方の面では磁石５５０２を１つの頂点の近傍に設け、他方の面では磁石５５０２を４つの頂点すべての近傍に設ける場合の例を示す。図５７（Ｂ）には、一方の面では隣り合う２つの頂点の近傍に磁石５５０２を設け、他方の面では１つ間隔を空けた頂点の近傍の２箇所に磁石５５０２を設ける場合の例を示す。
【０４８３】
図５７（Ｃ）には、一方の面では隣り合う２つの頂点の近傍に磁石５５０２を設け、他方の面では１つずつ間隔を空けた３つの頂点の近傍の３箇所に磁石５５０２を設ける場合の例を示す。図５７（Ｄ）には、一方の面では順に並ぶ３つの頂点の近傍の３箇所に磁石５５０２を設け、他方の面では２つ間隔を空けた２つの頂点の近傍の２箇所に磁石５５０２を設ける場合の例を示す。
【０４８４】
図５７（Ａ）〜（Ｄ）に示す磁石配置は、いずれも、どの頂点同士が揃う回転態様であっても、いずれか一対の磁石５５０２が吸引し合うこととなる。
次に、複数の回転態様それぞれにおいて少なくともいずれか一対の磁石５５０２が吸引し合うように磁石５５０２を配置する場合において、なるべく少ない磁石５５０２を配置する方法とその数について説明する。
【０４８５】
図５８（Ａ）のように、隣接する２つの回転役物５８０１、５８０２が存在する場合を想定する。これらは回転軸５８０３を中心として回転する。回転役物５８０１の面５８０３と、回転役物５８０２の面５８０４とが対向している。
【０４８６】
図５８（Ｂ）に、一対の面５８０３、５８０４を正面から見た図を示す。図５８（Ｂ）は、面５８０３、５８０４それぞれに、回転軸５８０３を中心とする円周上に角度間隔θ（本図の例ではθ＝４５°）の等間隔で磁石５５０２が配置されている状態を示している。このように磁石を配置すると、２つの回転役物が相対的に角度θ回転する毎にその位置を維持するように磁石同士が吸引するが、磁石が多く必要となる。なお、磁石同士が隣接することとなる回転位置をこの構成における回転態様とする。
【０４８７】
図５８（Ｃ）は磁石の数を減らした場合の状態を示している。面５８０３には、磁石５５０２を角度間隔θでｎ個（本図においてはｎ＝３）連続して配置している。一方、面５８０４には、磁石５５０２を最も広い角度範囲がｎ×θとなるように配置している。このように配置すると、各回転態様において必ず少なくとも一対の磁石５５０２が重なる位置関係となる。
【０４８８】
次に、上述した図５８（Ｃ）の磁石配置をとる前提で、いくつの磁石５５０２が必要となるかを検討する。２つの回転役物が回転することによって取りうる回転態様がｍ通りであるとする。図５８（Ｂ）、（Ｃ）の場合はｍ＝８である。
【０４８９】
図５８（Ｃ）のように面５８０３に磁石をｎ個連続して並べると、面５８０４では（ｎ−１）個とばして磁石を配置することができる。即ち、配置可能な場所ｎ個につき１つの磁石が必要となる。ｍは磁石を配置可能な場所の数でもあることから、面５８０４全体では、ｍ／ｎ個（小数点以下切り上げ）の磁石が必要となる。
【０４９０】
つまり、面５８０３，５８０４の両面を合わせて必要な磁石の個数Ｓは、
Ｓ＝ｎ＋（ｍ／ｎ）（小数点以下切り上げ）
となる。
【０４９１】
ｍ＝８の場合、ｎが２〜４のときにＳ＝６で最小となる。ｍ＝９の場合、ｎ＝２であれば、Ｓ＝２＋（９／２）となり７個が必要となる。ｎ＝３であればＳ＝３＋（９／３）となり６個が必要となる。同様にｎ＝４であればＳ＝４＋（９／４）となり７個が必要となる。よってｍ＝９の場合、ｎ＝３のときＳ＝６で最小となる。
【０４９２】
このように、各ｍ（ｍ≧３）について、ｎの値を変えて最も少ない磁石の合計数Ｓを求めた結果、下記式で表されるＳ個の磁石が必要となることが分かった。
Ｓ＝（ｍ０．５）×２  （小数点以下切り上げ）
このように、回転態様をｍ通りとしたときに、各回転態様それぞれにおいて少なくとも一対の磁石が相互に吸引して位置関係を保持するためには、少なくとも上記Ｓ個の磁石が必要である。
【０４９３】
［本発明の適用範囲］
本実施形態においては、端末２８０２により読み取り可能な読取用画像を表示し、また読取可能な可動役物を有する遊技機として、いわゆるパチンコ遊技機を例示しているが、本発明はパチンコ遊技機以外の遊技機、例えばパチスロ遊技機において適用されていてもよい。
【０４９４】
◇［本実施形態の第１の効果］
本実施形態の遊技機１は、所定の回転軸を中心に回転変位する、隣接して配置される左回転役物３６０１ａ、中回転役物３６０１ｂ及び右回転役物３６０１ｃ（第１可動部材及び第２可動部材の一例）と、それら回転役物３６０１の回転及び停止を制御する上部移動機構３６０２（駆動装置の一例）と、第２面３６０１ａｂ、第１面３６０１ｂａ、第２面３６０１ｂｂ、及び第１面３６０１ｃａに配置された磁石５５０２（発磁体及び被吸引体の一例）と、を備える。
【０４９５】
磁石５５０２は、隣接する回転役物３６０１の頂点が揃う位置関係となったときに、互いに吸引してその位置関係を保持する位置保持手段として機能する。また上部移動機構３６０２は、上述した位置関係となるように回転役物３６０１を回転させる。
【０４９６】
このように構成された遊技機１は、磁石５５０２によって位置決めの精度を高めることができる。よって回転した後の回転役物３６０１の位置がずれていることにより遊技者の興趣が低下してしまうことを抑制できる。
【０４９７】
なお上記実施形態では、回転役物３６０１は三角柱形状であったが、四角柱形状や五角柱形状などの多面体や、円柱形状であってもよいし、球状や楕円球状のものを複数並べて配置するようにし、それらの回転角度を変化させることによって、表示内容が変化するようにしてもよい。
【０４９８】
また上記実施形態においては、回転役物３６０１が同一の回転軸を中心に回転する構成を例示したが、役物が所定の範囲で変位し、磁石によって位置決めを行うことができるものであれば、上述した以外の変位を行う構成であってもよい。
【０４９９】
図５９（Ａ）は、直線的に動く２つの役物５９０１、５９０２が磁石により位置決めされる構成を説明する側面図である。このように、回転変位以外の変位においても磁石による位置決めを実現することができる。
【０５００】
図５９（Ｂ）のように、役物５９０３が直線的に変位し、役物５９０４が回転変位する構成であってもよい。また、かさ歯車のように角度が異なる回転軸を中心に回転する２つの役物の位置決めに磁石を用いる構成であってもよい。また、役物のいずれか一方は変位しない構成であってもよい。
【０５０１】
また上記実施形態においては、２つの役物に設けられた磁石同士が吸引し合う構成を例示したが、いずれか一方が磁石であって、他方は磁石により吸引されるスチール等の被吸引体であってもよい。また発磁体としては、磁石に変えて電磁石を用いてもよい。
【０５０２】
また上記実施形態においては、複数の回転役物３６０１の位置決めをすることで、一つの有意の形状を精度よく成す構成を例示したが、それ以外の目的で位置決めをしてもよい。
【０５０３】
図６０は、直線的に移動する２つの役物６００１、６００２を示している。役物６００１、６００２が精度よく位置決めされたときに限り、後方に配置される光源６００３から照射される光６００３ａが役物６００１、６００２のスリット６００４、６００５を通過して遊技者に到達するように構成されている。このように精度の高い位置決めをすることによって、光による演出を実現する構成としてもよい。
【０５０４】
◆［本実施形態の第２の効果］
本実施形態の遊技機１は、遊技盤１０２に遊技領域１１０が形成されてなるものであって、画像が表示される液晶表示画面３５０１ａを有する副表示部３５０１（表示装置の一例）と、副表示部３５０１を第１位置及び第２位置の間で移動可能に支持する支持装置３５０４と、を備えている。支持装置３５０４は、副表示部３５０１が第１位置に位置するときの液晶表示画面３５０１ａの傾斜角度と、第２位置に位置するときの傾斜角度と、が異なる傾斜角度となるように副表示部３５０１を支持する。
【０５０５】
このように構成された遊技機１は、単に副表示部３５０１が上下に移動するだけでなく、そのときに傾斜角度を変化させることから、遊技者は副表示部３５０１の複雑な移動を見て楽しむことができ、興趣の向上を図ることができる。
【０５０６】
なおここでいう傾斜角度とは、液晶表示画面３５０１ａやその裏面などを遊技者がどのような傾斜状態であるかを把握できるものを指しており、単に副表示部３５０１が回転する動作をするもののように、停止することなく、どのような角度状態であるかを把握できないものは含まない。
【０５０７】
また本実施形態の遊技機１は、副表示部３５０１を第１位置及び第２位置のいずれか一方から他方に移動させたときに、液晶表示画面３５０１ａの傾斜角度を変化させる。
このように構成された遊技機１は、副表示部３５０１が移動するタイミングとは異なるタイミングで傾斜角度が変化する場合と比較して、副表示部３５０１が移動する時の面白みを深めることができる。
【０５０８】
また本実施形態の遊技機１において、上述した第１位置は、第２位置よりも遊技機１が演出を行う演出領域の中央に近い位置である。そして支持装置３５０４は、副表示部３５０１が第１位置に位置するときは液晶表示画面３５０１ａが鉛直方向と略平行になるように副表示部３５０１を支持する。
【０５０９】
より詳細には本実施形態の遊技機１は、上述した第１位置が遊技領域１１０の中央部に位置しており、上述した第２位置は第１位置の下方に位置している。また、副表示部３５０１が第１位置に位置するときは液晶表示画面３５０１ａが遊技盤１０２と略平行となり、第２位置に位置するときは液晶表示画面３５０１ａの上部が下部よりも奥側に位置するように、即ち液晶表示画面３５０１ａが斜め上を向くように傾斜する。
【０５１０】
通常、遊技者の目線は遊技領域１１０の中央部に近い高さとなり、遊技領域１１０の下方を見るときには遊技者は若干俯きながら見ることとなることが多い。よってこのように構成された遊技機１は、副表示部３５０１が第１位置に位置するときも第２位置に位置するときにも液晶表示画面３５０１ａが遊技者の方向を向く。よって、副表示部３５０１が移動することで見易さが低下してしまうことを抑制できる。なお液晶表示画面３５０１ａの向く方向とは、その方向から見ると液晶表示画面３５０１ａの視認性が高くなる方向であり、例えば液晶表示画面３５０１ａの法線方向とすることができる。
【０５１１】
また、副表示部３５０１が第２位置に位置しているときは、上部が奥側に傾斜することによって、遊技盤１０２の視認性低下を抑制できる。遊技機１は副表示部３５０１の後方に主液晶表示装置１０５が配置されているが、副表示部３５０１の上部が奥側に傾斜すると、遊技者から見て副表示部３５０１により主液晶表示装置１０５が隠される面積が小さくなるため都合がよい。
【０５１２】
もちろん、上述した効果は副表示部３５０１の裏面３５０１ｂが前面にある（遊技者の側を向いている）ときにも奏する。
ところで、上記実施形態においては、副表示部３５０１に液晶表示装置を備える構成を例示したが、液晶以外の画像表示装置を用いてもよい。
【０５１３】
また上記実施形態においては、副表示部３５０１を第１位置及び第２位置のいずれか一方から他方に移動させるタイミングで液晶表示画面３５０１ａの傾斜角度を変化させる構成を例示したが、そのタイミングに限定されることはなく、予め傾斜角度を変化させてから移動させる構成や、移動させた後に傾斜角度を変化させる構成であってもよい。
【０５１４】
また上記実施形態においては、副表示部３５０１が遊技領域１１０の中央部（第１位置）に位置しているときは液晶表示画面３５０１ａが遊技盤１０２に沿う略鉛直となり、中央部より下方（第２位置）に位置しているときは液晶表示画面３５０１ａが斜め上を向く構成を例示したが、このような傾斜角度に限定されず、様々な傾斜角度とすることができる。また、第１位置及び第２位置も上述した位置に限定されず、上下が逆転していたり、第１位置と第２位置が左右や斜めに並ぶ位置関係となっていてもよい。副表示部３５０１の第１位置と第２位置との間の移動も直線的なものに限られず、曲線的に移動するものであってもよい。即ち、第１位置及び第２位置の具体的な位置と、各位置における傾斜角度は何ら制限されない。
【０５１５】
図６１を用いて第１位置及び第２位置の例を説明する。図６１では理解を容易にする目的で副表示部３５０１の位置のみを記載し、他の構成については省略する。副表示部３５０１は演出領域６１０１を移動する。副表示部３５０１ｎは演出領域の中心点６１０２に相対的に近い第１位置にある副表示部を示している。また副表示部３５０１ｍは第１位置よりも中心点６１０２から遠い第２位置にある副表示部を示している。
【０５１６】
図６１に示すように、第１位置を中心点６１０２に近い位置とすることで、副表示部３５０１を移動させたときの演出効果を増大することができる。そして第１位置において液晶表示画面が鉛直方向に対して略平行とすると、遊技者による視認性を向上でき、更に演出効果を増すことができる。
【０５１７】
なお演出領域とは、上記実施形態においては上述したように遊技領域１１０が該当する。本発明をパチスロ遊技機に用いた場合には、例えばリール上部の液晶表示装置や役物装置が配置される領域が演出領域となる。
【０５１８】
◆［本実施形態の第３の効果］
本実施形態の遊技機１は、モータ５１０１と、該モータに組み付けられるギヤユニット５１０２と、を含み、副表示部３５０１（駆動対象物の一例）を駆動させるモーターユニット４６０６（駆動装置の一例）を備えている。
【０５１９】
ギヤユニット５１０２は、モータ５１０１の回転軸と同軸に配置され、モータ５１０１によって回転するモータギヤ５２２１（第１のギヤの一例）と、モータギヤ５２２１と同軸で配置される内歯車であり、モータ５１０１に対して固定される内歯車５２０８（第２のギヤの一例）と、モータギヤ５２２１及び内歯車５２０８と噛み合い、モータギヤ５２２１の駆動力により回転すると共に、モータギヤ５２２１の回転軸を中心とする円周上を移動する補助ギヤ５２０３（第３のギヤの一例）と、補助ギヤ５２０３を回転可能に支持し、該補助ギヤ５２０３の移動を駆動力としてモータギヤ５２２１と同軸の回転軸にて回転する伝達部５２０２と、を備える。
【０５２０】
このように構成された遊技機１では、モーターユニット４６０６はギヤユニット５１０２によりモータ５１０１のトルクを増幅することができる。
そしてギヤユニット５１０２の厚み（軸方向の幅）が小さいため、モーターユニット４６０６は全体としての厚みを小さくできる。よって、モーターユニット４６０６を配置するスペースを小さくできる。本実施形態のように、モーターユニット４６０６が収められる下部回転支持部３５０３は支持装置３５０４に上下方向に移動されて演出に用いられるものであるため、モーターユニット４６０６が小型化されることで下部回転支持部３５０３を小さくすることが可能となり、役物のデザインなどの設計の自由度が低下することを抑制できる。
【０５２１】
特に、本実施形態のモータ５１０１はギヤレスモータであるためモータ自体のトルクが小さいが、ギヤユニット５１０２によりトルクを十分に増幅できる。またギヤレスモータであるためモータ自体の厚みが小さく、モーターユニット４６０６を高度に薄く構成することができる。
【０５２２】
またモーターユニット４６０６はモータ５１０１の出力回転軸と出力ギヤ５１０３とが同軸であるため、モーターユニット４６０６が組み付けられる下部回転支持部３５０３の設計を容易にすることができると共に、組み付け作業を簡便なものとすることができる。
【０５２３】
またギヤユニット５１０２はその構造上、高いギヤ比を設定し易く、また各ギヤの歯数を調整することでギヤ比の調整を容易に行うことができ、設計上都合がよい。
またギヤユニット５１０２には、モーターユニット４６０６を下部回転支持部３５０３に固定するときに用いる第３ネジ孔５２１３を自在に形成することができる。よって、下部回転支持部３５０３の設計が困難になることを抑制できる。
【０５２４】
なお上記実施形態においては、モーターユニット４６０６は遊技領域１１０を移動する下部回転支持部３５０３の内部に設けられる構成を例示したが、移動しない部分に取り付けて用いられる構成であってもよい。
【０５２５】
またモーターユニット４６０６にはギヤレスモータを用いる構成を例示したが、ギヤレスモータ以外にギヤユニット５１０２を組み付けて用いる構成であってもよい。
◆［本実施形態の第４の効果］
本実施形態の遊技機１は、第１軸４６０１（第１の回転軸の一例）を中心に回転可能に構成される副表示部３５０１（可動役物の一例）と、副表示部３５０１の回転に連動して第２軸４６０４（第２の回転軸の一例）を中心に回転する回転制御用ギヤ４６０５（回転体の一例）と、回転制御用ギヤ４６０５における、第２軸４６０４の軸心から間隔を有する３箇所に設けられる第１凹凸部４８１２、第２凹凸部４８１３、第３凹凸部４８１４（いずれも第１係止部の一例）と、それらと係止可能であって、その係止によって回転制御用ギヤ４６０５の回転方向に関する位置決めを実現する山折り部４７０４（第２係止部の一例）と、を備える。
【０５２６】
このように構成された遊技機１は、副表示部３５０１を回転させたときにその位置決め精度を高めることができる。したがって、副表示部３５０１が回転したときに適切な位置（所望の位置）からずれた位置に移動して停止してしまい、遊技者の興趣を低下させてしまうことを抑制できる。
【０５２７】
また本実施形態の遊技機１は、山折り部４７０４が板バネ４７０２の一部であり、その弾性力で山折り部４７０４は第１〜第３凹凸部と係止する方向に付勢されている。即ち、板バネ４７０２が付勢手段として機能する。
【０５２８】
このように構成された遊技機１は、山折り部４７０４と第１〜第３凹凸部との係止を適切に実現でき、位置決めの精度を高めることができる。
また本実施形態の遊技機１は、回転制御用ギヤ４６０５に形成される当接部４８１１と、回転制御用ギヤ４６０５の回転に伴って当接部４８１１が回転変位したときに当接部４８１１と接触することによって、回転制御用ギヤ４６０５が予め設定した範囲を超えて回転することを抑制する突出片４７０１（変位抑制部の一例）と、を備えている。
【０５２９】
このように構成された遊技機１は、副表示部３５０１の回転範囲を制限できるため、副表示部３５０１が想定していない位置に回転して停止することを抑制できる。それにより遊技者に違和感を与え、興趣を低下させてしまうことや、副表示部３５０１が回転し過ぎることによりハーネスなどの部品を損傷してしまうことを抑制できる。
【０５３０】
なお上記実施形態においては、回転制御用ギヤ４６０５が１回転以下の回転可能範囲であって、副表示部３５０１が２回転半の回転可能範囲である構成を例示したが、それらの回転可能範囲は特に限定されず、様々な条件とすることができる。なお回転制御用ギヤ４６０５の回転可能範囲を１回転以下とすることで設計が容易になる。また、副表示部３５０１の回転数を大きく設定することで、ダイナミックな動作を実現できる。
【０５３１】
また上記実施形態においては、山折り部４７０４が第１〜第３凹凸部の凹部に入り込むことで係止が実現される構成を例示したが、板バネ４７０２に溝が形成されており、第１〜第３凹凸部に形成された凸部がその溝に入り込むことで係止が実現される構成であってもよい。
【０５３２】
また上記実施形態においては３つの凹凸部を有する構成を例示したが、その数は特に限定されず、副表示部３５０１の回転制御に合わせて様々な数に設定できる。また凹凸部は凹部と凸部の両方を備えている必要はなく、いずれか一方のみであってもよい。
【符号の説明】
【０５３３】
１…遊技機
１５００…遊技制御基板（主制御手段）
１５３０…演出制御基板（副制御手段）
３６０１…回転役物（第１可動役物、第２可動役物）
３６０２…上部移動機構（駆動装置）
５５０２…磁石（発磁体、被吸引体）
【要約】
【課題】  可動役物の位置決め精度を向上することができる遊技機を提供する。
【解決手段】  遊技機１は、所定の回転軸を中心に回転変位する、隣接して配置される左回転役物３６０１ａ、中回転役物３６０１ｂ及び右回転役物３６０１ｃと、それら回転役物３６０１の回転及び停止を制御する上部移動機構３６０２と、第２面３６０１ａｂ、第１面３６０１ｂａ、第２面３６０１ｂｂ、及び第１面３６０１ｃａに配置された磁石５５０２と、を備える。磁石５５０２は、隣接する回転役物３６０１の頂点が揃う位置関係となったときに、互いに吸引してその位置関係を保持する位置保持手段として機能する。また上部移動機構３６０２は、上述した位置関係となるように回転役物３６０１を回転させる。
【選択図】図５５【図１】
0005863908.tif 000002
【図２】
0005863908.tif 000003
【図３】
0005863908.tif 000004
【図４】
0005863908.tif 000005
【図５】
0005863908.tif 000006
【図６】
0005863908.tif 000007
【図７】
0005863908.tif 000008
【図８】
0005863908.tif 000009
【図９】
0005863908.tif 000010
【図１０】
0005863908.tif 000011
【図１１】
0005863908.tif 000012
【図１２】
0005863908.tif 000013
【図１３】
0005863908.tif 000014
【図１４】
0005863908.tif 000015
【図１５】
0005863908.tif 000016
【図１６】
0005863908.tif 000017
【図１７】
0005863908.tif 000018
【図１８】
0005863908.tif 000019
【図１９】
0005863908.tif 000020
【図２０】
0005863908.tif 000021
【図２１】
0005863908.tif 000022
【図２２】
0005863908.tif 000023
【図２３】
0005863908.tif 000024
【図２４】
0005863908.tif 000025
【図２５】
0005863908.tif 000026
【図２６】
0005863908.tif 000027
【図２７】
0005863908.tif 000028
【図２８】
0005863908.tif 000029
【図２９】
0005863908.tif 000030
【図３０】
0005863908.tif 000031
【図３１】
0005863908.tif 000032
【図３２】
0005863908.tif 000033
【図３３】
0005863908.tif 000034
【図３４】
0005863908.tif 000035
【図３５】
0005863908.tif 000036
【図３６】
0005863908.tif 000037
【図３７】
0005863908.tif 000038
【図３８】
0005863908.tif 000039
【図３９】
0005863908.tif 000040
【図４０】
0005863908.tif 000041
【図４１】
0005863908.tif 000042
【図４２】
0005863908.tif 000043
【図４３】
0005863908.tif 000044
【図４４】
0005863908.tif 000045
【図４５】
0005863908.tif 000046
【図４６】
0005863908.tif 000047
【図４７】
0005863908.tif 000048
【図４８】
0005863908.tif 000049
【図４９】
0005863908.tif 000050
【図５０】
0005863908.tif 000051
【図５１】
0005863908.tif 000052
【図５２】
0005863908.tif 000053
【図５３】
0005863908.tif 000054
【図５４】
0005863908.tif 000055
【図５５】
0005863908.tif 000056
【図５６】
0005863908.tif 000057
【図５７】
0005863908.tif 000058
【図５８】
0005863908.tif 000059
【図５９】
0005863908.tif 000060
【図６０】
0005863908.tif 000061
【図６１】
0005863908.tif 000062